(57)【要約】【課題】基板のグルーブ形状を最適化することにより記録再生特性を向上した情報記録媒体を提供する。【解決手段】２以上の記録層を有し、そのトラックピッチが２５０−５００ｎｍの範囲にあり、基板のグルーブ溝の半値幅がトラックピッチの４７．５％から７２．５％の範囲にある情報記録媒体。【選択図】図１
2008010129.tif 000002
【特許請求の範囲】
【請求項１】
内周側から順にデータリードイン領域、データ領域、データリードアウト領域が配置され、
前記データリードイン領域には記録管理データを記録する記録管理ゾーンが形成され、
前記記録管理ゾーンの拡張領域がデータ領域に形成され、
前記データリードイン領域には記録管理ゾーンの拡張領域の位置を管理する記録管理データ複製ゾーンが形成され、
同心円またはスパイラル形状のグルーブ及びランドにより規定されたトラックを有し、
第１の基板、第１の記録層、第２の基板、及び第２の記録層を有し、
そのトラックピッチが２５０−５００ｎｍの範囲にあり、
第１の基板及び第２の基板のグルーブ溝の半値幅がトラックピッチの４７．５％から７２．５％の範囲にあることを特徴とする情報記録媒体。
【請求項２】
内周側から順にデータリードイン領域、データ領域、データリードアウト領域が配置され、
前記データリードイン領域には記録管理データを記録する記録管理ゾーンが形成され、
前記記録管理ゾーンの拡張領域がデータ領域に形成され、
前記データリードイン領域には記録管理ゾーンの拡張領域の位置を管理する記録管理データ複製ゾーンが形成され、
同心円またはスパイラル形状のグルーブ及びランドにより規定されたトラックを有し、
第１の基板、第１の記録層、中間層、第２の記録層、及び第２の基板を有し、
そのトラックピッチが２５０−５００ｎｍの範囲にあり、
第１の基板及び第２の基板のグルーブ溝の半値幅がトラックピッチの４７．５％から７２．５％の範囲にあることを特徴とする情報記録媒体。
【請求項３】
前記第１の基板は、３９０−４１０ｎｍのトラックピッチを有し、グルーブは１９０−２９０ｎｍの範囲にある半値幅を有することを特徴とする請求項１または２に記載の情報記録媒体。
【請求項４】
前記第１の記録層は、そのグルーブが１９０−２９０ｎｍの範囲にある半値幅を有することを特徴とする請求項１ないし３のいずれか１項に記載の情報記録媒体。
【請求項５】
前記第２の記録層は、そのグルーブが１９０−２９０ｎｍの半値幅を有することを特徴とする請求項１ないし４のいずれか１項に記載の情報記録媒体。
【請求項６】
前記第１の記録層は、５０−６５ｎｍの溝深さを有することを特徴とする請求項１ないし５のいずれか１項に記載の情報記録媒体。
【請求項７】
前記第２の記録層は、７０−８５ｎｍの溝深さを有することを特徴とする請求項１ないし６のいずれか１項に記載の情報記録媒体。
【請求項８】
前記第１の基板のグルーブの半値幅をWg(L0)、前記トラックピッチをTPとするとき、
前記第２の基板のグルーブの半値幅をWg(L1)が下記式
Wg(L0)≦ Wg(L1) ≦ TP×0.725
を満足することを特徴とする請求項１ないし７のいずれか１項に記載の情報記録媒体。
【請求項９】
請求項１ないし８のいずれか１項に記載の情報記録媒体にレーザ光を照射して得られた反射光を検出する検出手段と、
この検出手段によって検出された前記反射光に基づいて再生信号を生成する生成手段とを備えたことを特徴とするディスク装置。
【発明の詳細な説明】
【技術分野】
【０００１】
この発明は、光入射面側から複数の記録膜に対して情報の記録再生を行うことが可能な多層光ディスク等の情報記録媒体に関する。
【背景技術】
【０００２】
情報記録媒体としての光ディスクは、映像や音楽コンテンツの記録が可能なＤＶＤ規格の光ディスクが広く利用されており、再生専用型、１回のみ情報の記録が可能な追記型、コンピュータの外付けメモリや録再ビデオ等に代表される書き換え可能型等がある。このうち、記録が可能なものとしては、製造コストが低いことから、記録層に有機色素を用いた追記型光ディスクが最も普及している。CD-RやDVD-Rなどの記録層に有機色素を用いた追記型光ディスクでは、グルーブによって規定された記録領域（トラック）にレーザ光を照射して、樹脂基板をそのガラス転移点Ｔｇ以上に加熱すると、グルーブ内の有機色素膜が熱分解を起こして負圧を生じさせる結果、グルーブ内で樹脂基板が変形することを利用して記録マークを形成している。
【０００３】
現状の光ディスクに比べて、より一層の高密度かつ高性能な記録再生を実現する次世代の光ディスクでは、記録再生用レーザ光として波長が４０５ｎｍ程度の青色レーザ光が使用される。赤外線レーザ光又は赤色レーザ光を用いて記録再生を行なう現状の光ディスクでは、記録再生用レーザ光の波長（７８０ｎｍ，６５０ｎｍ）よりも短波長側に吸収極大を持つ有機色素材料が使用される。これにより、現状の光ディスクは、レーザ光を照射して形成した記録マーク部分の光反射率が、レーザ光照射前の光反射率よりも低くなるという、いわゆるＨ（High）to Ｌ（Low）の特性を実現している。これに対し、青色レーザ光を用いて記録再生を行なう場合、記録再生用レーザ光の波長（４０５ｎｍ）よりも短波長側に吸収極大を持つ有機色素材料は、紫外線等に対する安定性が悪いばかりでなく、熱に対しての安定性も悪く、記録マークのコントラスト及び解像度が低いという問題を有している。記録層に含まれる有機色素化合物の吸収極大が書き込み光の波長よりも長波長にある有機色素材料が特開２００５−２９７４０７に開示されている。この材料を使用した場合には記録マーク部分の光反射率が、レーザ光照射前の光反射率よりも高くなる、いわゆるＬ（Low）to  Ｈ（High）特性となる。
【０００４】
さらなる容量増加のため情報記録媒体の多層化についても進められている（例えば特許文献１参照）。ＤＶＤ、ＨＤ  ＤＶＤどちらにおいても２層以上の多層ディスクでは、球面収差や非再生層からの信号の漏れこみによる再生信号品質の劣化という問題がある。
【０００５】
例えば、有機色素材料は液体であり、塗布により情報記録層を形成する。従来のDVDではグルーブ内の情報記録層厚さとランドの情報記録層厚さは同等の厚さで形成されていた。しかし、さらなる高密度記録を行うと、トラックピッチも詰まり、溝幅が細くなるので、グルーブ内の情報記録層厚さとグルーブ外の情報記録層厚さに差が生じるため、従来通りに設計された溝深さの基板を用いても、安定した信号が得られず、信号品質の劣化が生じる傾向があった。
【０００６】
また、Ｌ  ｔｏ  Ｈの記録特性を有する有機色素材料を用いた片面多層追記型光記録媒体に、単層追記型媒体用の透明基板形状を適用しても、各層の安定した記録再生を行うことは難しく、各層の構成に応じた最適化基板形状が必要となっていた。
【特許文献１】特開２０００−３２２７７０号公報
【発明の開示】
【発明が解決しようとする課題】
【０００７】
本発明は、２以上の記録層を有する情報記録媒体において、基板のグルーブ形状を最適化することにより記録再生特性を向上した情報記録媒体を提供することを目的とする。
【課題を解決するための手段】
【０００８】
本発明の情報記録媒体は、内周側から順にデータリードイン領域、データ領域、データリードアウト領域が配置され、
前記データリードイン領域には記録管理データを記録する記録管理ゾーンが形成され、
前記記録管理ゾーンの拡張領域がデータ領域に形成され、
前記データリードイン領域には記録管理ゾーンの拡張領域の位置を管理する記録管理データ複製ゾーンが形成され、
同心円またはスパイラル形状のグルーブ及びランドにより規定されたトラックを有し、
光入射側から、第１の基板、第１の記録層、第２の基板、及び第２の記録層を有するか、あるいは、光入射側から、第１の基板、第１の記録層、中間層、第２の記録層、及び第２の基板を有し、
そのトラックピッチが２５０−５００ｎｍの範囲にあり、
第１の基板及び第２の基板のグルーブ溝の半値幅がトラックピッチの４７．５％から７２．５％の範囲にあることを特徴とする。
【０００９】
また、本発明のディスク装置は、内周側から順にデータリードイン領域、データ領域、データリードアウト領域が配置され、
前記データリードイン領域には記録管理データを記録する記録管理ゾーンが形成され、
前記記録管理ゾーンの拡張領域がデータ領域に形成され、
前記データリードイン領域には記録管理ゾーンの拡張領域の位置を管理する記録管理データ複製ゾーンが形成され、
同心円またはスパイラル形状のグルーブ及びランドにより規定されたトラックを有し、
光入射側から、第１の基板、第１の記録層、第２の基板、及び第２の記録層を有するか、あるいは、光入射側から、第１の基板、第１の記録層、中間層、第２の記録層、及び第２の基板を有し、
そのトラックピッチが２５０−５００ｎｍの範囲にあり、
第１の基板及び第２の基板のグルーブ溝の半値幅がトラックピッチの４７．５％から７２．５％の範囲にある情報記録媒体にレーザ光を照射して得られた反射光を検出する検出手段と、
この検出手段によって検出された前記反射光に基づいて再生信号を生成する生成手段とを備えたことを特徴とする。
【発明の効果】
【００１０】
本発明によれば、使用される基板の溝幅を設定することにより、記録再生を安定して行うことができる情報記録媒体が得られる。
【発明を実施するための最良の形態】
【００１１】
本発明の情報記録媒体は、内周側から順にデータリードイン領域、データ領域、データリードアウト領域が配置され、データリードイン領域には記録管理データを記録する記録管理ゾーンが形成され、記録管理ゾーンの拡張領域がデータ領域に形成され、データリードイン領域には記録管理ゾーンの拡張領域の位置を管理する記録管理データ複製ゾーンが形成されており、同心円またはスパイラル形状のグルーブ及びランドにより規定されたトラックを有する多層情報記録媒体であって以下の特徴を有する。
【００１２】
本発明の情報記録媒体は、その媒体の製造工程により、光入射側から、第１の基板、第１の記録層、第２の基板、及び第２の記録層を有するか、あるいは第１の基板、第１の記録層、中間層、第２の記録層、及び第２の基板を有する。
【００１３】
また、本発明の情報記録媒体は、そのトラックピッチが２５０−５００ｎｍの範囲にあり、第１の基板のグルーブ溝の半値幅が、トラックピッチの４７．５％から７２．５％の範囲にあることを特徴としている。
【００１４】
ここで、ランド及びグルーブとは、第１の基板、第１の記録層、第２の記録層、及び第２の基板等の表面に形成された同心円またはスパイラル形状の凹凸のうち、光入射側からみて、凸部形状の領域をグルーブ、各グルーブ間に設けられた凹部の底部をランドというものとする。
【００１５】
また、第１の記録層は、光入射側から第１の色素層及び第１の反射層を有し、第２の記録層は、光入射側から第２の色素層及び第２の反射層を有する。
【００１６】
以下、図面を参照し、本発明をより詳細に説明する。
【００１７】
本発明の一実施形態にかかる追記形光情報記録媒体は記録層に有機色素材料を使用した色素層を含み、未記録状態で反射率が低く、記録状態で反射率が上がるいわゆるL-H媒体である。この記録層を用いた２層追記型情報記録媒体の構成の一例を図１に示す。
【００１８】
この２層追記型情報記録媒体は、読み出し面から、第１の透明基板５１、第１の色素膜５２、第１の反射膜５３、第２の透明基板５４，第２の色素層５５、第２の反射層５６、及び第３の透明基板５７を含む構成を有する。このうち、第１の有機色素膜５２及び第１の反射膜５３が第１の記録層５８、第２の色素層５５及び第２の反射層５６が第２の記録層５９を構成している。
【００１９】
第１の基板上にはトラックピッチ２５０−５００ｎｍの範囲でランド及びグルーブが存在している。
【００２０】
本発明にかかる追記形光情報記録媒体は、このグルーブに光が集光されて、情報の記録及び再生が行われる。
【００２１】
この透明基板材料としては、ポリカーボネート（PC）またはアクリルPMMA（ポリメチルメタクリレート）がよく用いられる。
【００２２】
記録層は、有機色素材料を含む塗布液を用いて、スピンコート法などを用いて膜厚30-150nm程度の範囲で塗布される。反射層としては、Agの合金を主成分とする膜を20-200nm程度の範囲でスパッタリング法などを用いて形成する。このような有機色素層を用いるディスク構造の特徴としては、透明基板上のランド・グルーブ形状は矩形または台形であるにも関わらず、有機色素膜がスピンコート法で作製されるため、有機色素材料と反射膜の界面は矩形ではなく、図示するように、正弦波に近い形状になることがあげられる。これは、有機色素が2,2,3,3,-テトラフルオロプロパノール（TFP）などの溶媒に溶かした状態で、スピンコートされるため、ランド部よりグルーブ部に色素溶液が溜まりやすく、塗布後に溶媒を乾燥させるとランド部とグルーブ部の記録膜厚分布に差が出ることによる。このような有機色素層の形状は、ほぼ基板形状をそのまま再現するスパッタリング法などで作製された無機材料記録膜とは大きく異なる>。
【００２３】
図１に示す本実施形態での片面2層追記形光情報記録媒体は以下のように製造される。
【００２４】
読み出し面に近い第１の記録層（L0）は、0.6mm厚の第１の透明基板上に形成され、有機色素溶液のスピン塗布、溶媒の乾燥して得られた色素層、及び反射膜の形成で作製される。
【００２５】
読み出し面から遠い第２の記録層（L1）の作製方法は一般的に順積み法と逆積み法の２種類ある。
【００２６】
順積み法では、L0層の反射膜の上に、フォトポリマー（２P）剤などのUV硬化樹脂を塗布し、上からスタンパを押し当て、ランド及びグルーブを転写して第２の透明基板を作成し、その後、UV硬化させ、スタンパを剥離して溝形状を第２の基板に作製する。従って、読み出し側から見た場合、グルーブ部の突き出し方向がL0層と揃っており、１の基板、第１の記録層、第２の基板、及び第２の記録層の順に積層される。この２P剤で作られた透明基板上に再度、有機色素記録材料をスピン塗布し、反射膜形成をしてL1層を作製する。L1層の反射膜の上に、UV接着剤を塗布し、0.6mm厚基盤をUV硬化で張り合わせてディスクが完成する。ここでは、層構造が第なる。
【００２７】
一方、逆積み法では、L1層用にさらに第２の透明基板を用意し、L0層と同様に0.6mm厚の第２の透明基板上に、有機色素塗布、反射膜スパッタを行い、L1層基板を作製する。L0層基板とL1層基板を接着剤で張り合わせ、片面2層追記型媒体を作製する。ここでは、層構成が第１の基板、第１の記録層、中間層（接着層）、第２の記録層、及び第２の基板の順となる。
【００２８】
以下の実施例では、一例として、順積み法で作製される片面2層追記型媒体を示す。
【００２９】
第１の色素層および第２の色素層に使われる記録層用色素材料としては、下記構造式（Ｉ）で表される有機金属錯体部と、図示しない色素材料部を組み合わせた構造を持つ有機色素材料を用いることができる。
【化１】
2008010129.tif 000003
【００３０】
式中、中心金属Ｍとしては、代表的にはコバルトあるいはニッケルが用いられ、さらには、スカンジウム、イットリウム、チタン、ジルコニウム、ハフニウム、バナジウム、ニオブ、タンタル、クロム、モリブデン、タングステン、マンガン、テクネチウム、レニウム、鉄、ルテニウム、オスミウム、ロジウム、イリジウム、パラジウム、白金、銅、銀、金、亜鉛、カドミウム、及び水銀などから選択することもできる。
【００３１】
また、色素材料部分としては図示しないがシアニン色素、スチリル色素、モノメチンシアニン色素、及びアゾ色素を用いることができる。
【００３２】
反射膜としては、Ａｇ，Ａｕ，Ｃｕ，Ａｌ，Ｔｉ等を主成分とする金属膜を用いることができる。
【００３３】
本実施形態に適用される記録再生装置については、後述する。
【００３４】
本実施形態での２層追記形光情報記録媒体で安定した情報記録及び再生を行うためには、記録材料の特性、トラックピッチなどの条件から適切な溝幅と溝深さが必要である。
【００３５】
透明基板は、ディスク原盤から電鋳工程で作製されたスタンパから射出成形プロセスにより作製され、透明基板上のピット及びグルーブ形状はディスク原盤の溝形状をほぼ再現する。ディスク原盤の作製法としては、UVからDUV領域（190-450nm）のレーザー光を用いて例えばフォトレジストを感光させ、アルカリ溶液で現像する手法が一般的である。また、電子ビーム（EB）露光機を用いて、EBレジストを感光させ、同様にアルカリ溶液で現像する手法でもよい。また、レーザー光で無機材料の結晶状態を変化させ、アモルファス部と結晶部の現像溶液に対するエッチング速度の差を利用した手法でもよい。
【００３６】
図２に、本発明の情報記録媒体におけるランド及びグルーブ形状を説明するための図を示す。
【００３７】
図示するように、本発明の情報記録媒体におけるグルーブ６１とランド６２グルーブ幅をWg、グルーブ溝のトラックピッチをTP、ランド部の高さ、すなわちグルーブの深さをDg、上幅をWgt、底幅をWgb、グルーブの側壁角度θとする。このとき、グルーブ幅Wgは、
Wg=(Wgt+Wgb)/2                               (1)
で表される。
【００３８】
ある側壁角度θ、溝深さDgの場合、作製可能なグルーブ溝幅の最大値Wg(Max)は、Wgt=Tpの時であり、この時、Wgbは
Wgb=TP-2・Dg/tanθ                             (2)
従って、式（１）に代入すると、
Wg(Max)= TP-Dg/tanθ                          (3)
となる。一方、最小値Wg(min)は、Wgb=0であるから、この時、
Wgt=2・Dg/tanθ                                (4)
となり、(1)式に代入すると、
Wg(Min)= Dg/tanθ                             (5)
となる。従って、作製可能な溝幅の範囲は次のようになる。
【００３９】
Dg/ tanθ≦  Wg  ≦ TP-Dg/tanθ                       (6)
溝形状が矩形に近いと、転写時に、樹脂がスタンパの溝奥まで入らない、剥離時にランド部周りに爪が立つなどの転写不良が生じる。従って、一般的に、溝の側壁の傾斜角度θは緩やかである方が転写特性がよく、特に70°より小さい方が転写特性がよいことが実験から判っている。式（６）から分かるように、同じ深さで比較すると、作製した透明基板の溝形状は側壁角度が急峻であればあるほど、作製可能な溝幅の範囲は大きくなる。最大傾斜角度を70°とすると、本実施例で使用可能な溝幅の範囲は、
Dg/2.75  ≦  Wg  ≦  TP-Dg/2.75                    (7)
となる。
【００４０】
従って、後はグルーブの深さとトラックピッチに依存することになる。深さが浅くなればなるほど、作製可能な溝幅は広くなる。また、側壁角度の調整は、ディスク原盤に塗布するフォトレジストの解像度に依存しており、所望の解像度に応じたフォトレジストを選択すればよい。本実施形態で取り扱う２層追記型情報記録媒体には、式(6)を満たす全ての溝幅条件を使用することができ、その中で、情報再生装置でのトラッキング特性及び再生信号特性条件の良好な溝幅条件の透明基板を選択して使用する。
【００４１】
本実施例も含めて、記録型情報媒体の情報の安定した記録再生には、未記録状態、記録状態に関わらず、アドレス情報の安定した読み取りが必要となる。これには、記録領域であるグルーブ領域に対してビームスポットを安定にしてトラッキングをかける必要がある。これにはプッシュプル法が用いられ、プッシュプル法でのトラックずれ検出信号が最も大きい場合は、グルーブ領域とランド領域での反射膜上でのグルーブ領域とランド領域の厚み段差Ｄｒが
Ｄｒ=λ/８ｎｄ                                   (8)
となる場合である。ここで、ｎdは記録膜材料の記録再生用のレーザー波長での屈折率である。グルーブ形状が矩形であると仮定した場合であるので、実際には、グルーブ形状が台形である場合、トラッキング誤差信号が最大となるのは、
λ/8ｎd  ≦  Dr  ＜  λ/4ｎd                         (9)
上記の範囲に入る場合である。ただし、グルーブの側壁傾斜角に依存する。相変化膜のようなスパッタ成膜の場合は、透明基板の形状をほぼ再現するため、記録膜上でのグルーブ領域とランド領域の厚み段差Drは透明基板のグルーブ領域とランド領域の厚み段差Dgにほぼ等しくなるため、作製する透明基板の溝深さDgはDrとほぼ等しくなる。しかし、有機色素膜を塗布した場合、グルーブ領域に溶液が溜まりやすいため、透明基板での段差厚みDgよりも記録膜での段差厚みDrは小さくなる。従って、良好なトラッキング誤差信号を得るためには、透明基板の段差厚みDgは
Dr  ≦   Dg                               (10)
と、予め大きめに設定する必要がある。プッシュプル信号特性のために下限値が式（4）のように定まっている。本実施例では、有機色素材料の屈折率は400nm付近の波長に対して、n=1.3-2.0の範囲であるため、Drの下限値は25nm-40nm程度となる。従って、少なくとも透明基板でのグルーブ深さDｇはこの下限値25nmよりは大きくなければならない。
【００４２】
従って、本実施形態では、トラックピッチが400nmであるから、例えば、深さ25nmの場合だと、作製可能なグルーブ溝の半値幅Wgの範囲は式（２）より
10 nm  ≦  Wg  ≦  390 nm                        （５）
となる。
【００４３】
プッシュプル法でのトラックずれ検出信号は溝深さの他にトラックピッチTPと溝幅及びビームスポット径に依存する。本実施形態では、使用されるレーザー光の中心波長は405nmであり、また対物レンズのNAは0.65、透明基板にPC（屈折率  1.65@405nm）を用いるため、ビームスポット系は0.52μmとなる。このような光学系で、本実施形態での片面２層追記型情報記録媒体において、プッシュプル信号が上述の範囲に入るような溝幅を特定するために、グルーブ溝幅条件を振って片面2層追記型媒体のプッシュプル信号特性、及び記録信号再生特性(SbER、PRSNR)を測定した。
【００４４】
なお、ＰＲＳＮＲの定義及び測定法はＤＶＤフォーマットロゴライセンシング(株)から購入可能なブックに記載されている。DVD Specifications for High Density Read-Only Disc PART 1 Physical Specifications  Version 0.9のAnnex Hの部分である。ＰＲＳＮＲは１５以上にすることが好ましい。ＳｂＥＲの定義及び測定法はＤＶＤフォーマットロゴライセンシング(株)から購入可能なブックに記載されている。DVD Specifications for High Density Read-Only Disc PART 1 Physical Specifications  Version 0.9のAnnex Hの部分である。ＳｂＥＲは５．０×１０−５以下にすることが好ましい。
【００４５】
なお、ＰＲＳＮＲとＳｂＥＲとは、隣接するトラックにも情報を記録した状態で測定を行なっている。
【００４６】
実施例
有機色素材料はL0層、L1層伴に、上記構造式（Ｉ）の基本骨格を持つアゾ金属錯体色素で置換基R1=R2=R3=CH3、R4=R5=Cl、中心金属M＝Cuとしたものを用いた。L0層の色素膜厚は90nm、反射膜は25nm、L1層の色素膜厚は90nm、反射膜厚は120nmとした。また、中間層膜厚は15nmとした。実験に用いた透明基板条件は、トラックピッチTP=400nm、溝深さ条件はL0層で55nm-70nm、L1層で60-90nmの範囲を用いた。評価機として、記録再生光の中心波長405nm、対物レンズNA=0.65の光学系であるODU-1000(パルステック社)を用いた。
【００４７】
測定項目は、
１．   プッシュプル信号
２．   SbER
３．   PRSNR
４．   反射率
５．   ウォブルクロストーク量
である。
【００４８】
プッシュプル信号特性
本実施例での片面２層追記型情報記録媒体では、安定した情報再生のためには、プッシュプル信号値として、後述のＨフォーマットに基づいて、
0.30  ≦  (I1-I2)pp/(I1+I2)dc  ≦  0.60
となっていることが望ましい。
【００４９】
図３及び図４には、L0層及びL1層のプッシュプル信号特性と透明基板の溝幅の相関についての実験結果を示す。図からプッシュプル信号特性がこの範囲に入るのは、溝幅がL0層で最小値が198nmで、最大値が292nmとなることが判明した。従って、
198 nm  ≦  Wg(L0)  ≦  292 nm                       (6)
の溝幅の範囲に良好なトラッキング特性が実現できることがわかった。
【００５０】
また、  図５及び図６には、L0層及びL1層のプッシュプル信号特性と透明基板の溝深さの相関についての実験結果を示す。
【００５１】
この時、良好なトラッキング特性を示す溝深さの最小値は、50.2nmであり、最大値は67.3nmであることが確認できた。従って、
50.2 nm ≦  Dg(L0)  ≦ 67.3 nm                      (7)
の範囲の溝深さでトラッキング特性が良好な透明基板を作製できることがわかった。
【００５２】
一方、L1層では、良好なトラッキング特性を示す最小値は194nm、最大値は287nmであることが確認できた。従って、少なくとも、
194 nm  ≦  Wg(L1)  ≦  287 nm                       (8)
の条件を用いることによって、良好なトラッキング特性を示すL1用基板を作製できる。このとき、良好なトラッキング特性を示す溝深さは最小値で、73.6nm、最大値で86.9nmであることが確認できた。従って、
73.6 nm ≦  Dg(L1)  ≦  86.9 nm                      (9)
の範囲に良好なトラッキング特性を示す溝深さ条件が存在する。
【００５３】
この結果は、本実施例で用いた片面2層追記型媒体では、単層追記型媒体よりも全体として溝幅を広くする方向に基板形状をシフトさせて作製することにより、良好なプッシュプル信号特性を実現できることを示している。
【００５４】
再生信号特性
本実施例で用いた片面２層追記型情報記録媒体で信頼性のある情報記録及び再生が求められる。この指標として、DVD-Rなどでは、ジッタ値が良く用いられるが、本実施例の高密度媒体では、その記録情報の再生信号特性は、SbERとPESNRの２つの指標で評価される。そこで、透明基板の溝形状と記録情報の再生信号特性との相関を様々な条件で測定した。
【００５５】
図７及び図８には、L0層及びL1層のSbERと透明基板の溝幅の相関についての測定結果を示す。
【００５６】
記録情報の安定再生には、SbER=1.0E-5以下の値が必要である。今回の実験結果では、L0層では規格値に入る溝幅の最小値は198nmであり、最大値285nmである。従って、
198 nm  ≦  Wg(L0)  ≦  285 nm                       (12)
の間で良好な条件を満たす条件が存在することが判明した。
【００５７】
またこの時、規格値に入る溝深さの最小値は50.2nmであり、最大値は、64.3nmであった。従って、
50.2nm ≦   Dg(L0)  ≦  64.3 nm                      (13)
の間で良好な条件があることがわかった。
【００５８】
一方、図９及び図１０には、L0層及びL1層のSbERと透明基板の溝深さの相関についての測定結果を示す。L1層では、規格値に入る溝幅の最小値は194nmであり、最大値は287nmであった。従って、
194 nm  ≦  Wg(L1)  ≦  287 nm                       (14)
の範囲で基準値を満たす条件が存在することが判明した。またこの時、規格値に入る溝深さの最小値は73.6nmであり、最大値は86.9nmであった。従って、
73.6 nm ≦   Dg(L1)  ≦  86.9 nm                      (15)
の間で良好な条件があることがわかった。
【００５９】
以上の溝幅及び溝深さの範囲に、透明基板のグルーブ溝幅を設定することにより、SbERの良好な信号特性を示す記録媒体を作製することができる。
【００６０】
また、図１１及び図１２には、もう一つの再生信号の特性指標であるPRSNRとグルーブの溝幅との相関を表す測定結果を示す。安定した記録情報の再生には、PRSNRが規格値として15dB以上が必要である。
【００６１】
実験結果から、L0層では規格値以上となる、最小溝幅は194nmであり、最大溝幅は292nmであった。従って、
194 nm  ≦  Wg(L0)  ≦  292 nm                       (14)
の範囲にPRSNRが良好になる溝幅条件が存在することが判明した。
【００６２】
図１３及び図１４には、もう一つの再生信号の特性指標であるPRSNRとグルーブの溝深さとの相関を表す測定結果を示す。
【００６３】
この時、規格値を満たす溝深さはの最小値は50.2nmであり、最大値は63.5nmであった。従って、
50.2nm ≦  Dg(L0)  ≦  63.5 nm                      (15)
の範囲にPRSNRが良好になる溝深さ条件が存在することが判明した。また、L1層では、規格値を満たす溝幅は最小値で186nm、最大値で287nmであることがわかった。従って、
186 nm  ≦  Wg(L1)  ≦  287 nm                       (15)
の範囲にPRSNRが良好な溝幅条件が存在することが判明した。この時、規格値を溝深さは、最小値で73.6nm、最大値で86.9nmであることがわかった。従って、
73.6nm ≦  Dg(L1)  ≦  86.9 nm                      (16)
の範囲内にPRSNRが良好になる溝深さ条件が存在することがわかる。従って、以上の溝幅及び溝深さの範囲を持つ透明基板を用いれば、PRSNRの良好な信号特性を示す片面２層追記型情報記録媒体を作製することができる。
【００６４】
結果のまとめ
下記表１に、良好なトラッキング特性、SbER、及びPRSNRの指標を満たす透明基板の溝幅、下記表２に、良好なトラッキング特性、SbER、及びPRSNRの指標を満たす透明基板の溝深さの実験結果の範囲をまとめた。
【表１】
2008010129.tif 000004
【００６５】
【表２】
2008010129.tif 000005
【００６６】
この３条件の特性を満たす溝幅Wgと溝深さDgの範囲としては、
194 nm  ≦  Wg(L0)  ≦  285 nm                       (17)
194 nm  ≦  Wg(L1)  ≦  287 nm                       (18)
50.2 nm  ≦  Dg(L0)  ≦  63.5 nm                      (19)
73.6 nm  ≦  Dg(L1)  ≦  86.9 nm                      (20)
の範囲であることが確認できた。測定値の誤差も含めれば、L0、L1層伴に、
190 nm  ≦  Wg(L0)  ≦  290 nm                       (21)
の範囲に設定すれば、本実施例において、後述するＨフォーマットに適用可能な情報再生装置で良好な情報の記録再生特性を満たす２層追記型情報記録媒体を作製できる。本実施例では、TP=400nmであったから、一般的には、溝幅WgがトラックピッチTPに対して、
0.475  ≦  Wg/TP  ≦  0.725                       (22)
を満たす２層追記型情報媒体であればよい。また深さについても、数パーセントの測定誤差は想定の範囲内であるので、
50 nm  ≦  Dg(L0)  ≦  65 nm                      (23)
70 nm  ≦  Dg(L1)  ≦  85 nm                      (24)
であれば、記録再生装置で良好な記録再生特性を示す２層追記型情報媒体を実現できる。
【００６７】
L1層の反射率とウォブル信号特性
トラッキング特性及び再生信号特性は、基板形状に起因して最終的に作製される記録膜及び反射膜形状に依存する。一般的に、L1層の記録再生には、L0層での光透過率が高い方が、記録光パワー及び、再生信号度も有利となる。特に、この要求は、高線速記録になればなるほど顕著となる。L0層の透過率を上げるためには、まず反射膜層を薄くする、光吸収のある色素記録膜を薄くすることが上げられる。しかし、半透過の反射膜もスパッタプロセスの安定性を考えると、厚みは20nmから30nmの範囲であり、また、色素膜の厚みは記録信号の変調度を優先して60nmから120nmの範囲で調整が必要で、薄くするには限度がある。グルーブ溝が小さいほど、反射率は下がり、透過率は上がるが、L0層の書き込み前のアドレス再生に必要な反射率R(L0)は4.5%から9.0%を確保する必要がある。また、L1層書き込み前に、L0層を書き込んだ後でのL1層の反射率R(L1)も4.5%から9.0%の範囲を確保し、この範囲内でできるだけ大きい方が再生信号の品質がよい。全反射膜は150nｍより厚くしても、反射率は上がらなく、色素膜の厚み調整もまた、60nm-から120nmの範囲でしか行えない。一方、L0層、L1層ともに、グルーブ溝幅によって反射率が調整できる。ビームフォーカスは、グルーブ底に合っているため、グルーブ溝幅が大きくなれば反射率は上昇する。一方、溝幅が小さくなれば、反射率は下がる。
【００６８】
図１５には、L0層のグルーブ溝幅が225nm、256nm、285nmの3種類を用いた場合、それぞれについて、L1層のグルーブ溝幅を変えた時のL1層の反射率の測定結果を示す。
【００６９】
図からわかるように、L１層のグルーブ溝幅が大きくなるに連れて、反射率を稼ぐことができる。また、L0層の溝幅が小さくなると、L1層の反射率は大きくなる。これは、L0層の透過率が上がるためである。L0層の溝幅の80%以下のL1層の溝幅では、L1層の規格値反射率の下限値である4.5%を越えてこない。このような結果から、L0層とL1層の反射膜・記録膜でのグルーブ溝幅は、L1層が大きい方が、L1層の情報再生信号品質は良い。
【００７０】
しかし、L1層のグルーブ溝幅を大きくしすぎると、隣接トラックからのウォブルクロストークが大きくなり、安定したアドレス情報の再生ができなくなる傾向がある。
【００７１】
図１６には、L0層のグルーブ幅256nmの時の、L1層のウォブル信号特性指標であるWobble apmlitude fluctuationである Wpp-max/Wpp-minの測定結果を示す。
【００７２】
安定したアドレス情報の読み取りには、Wpp-max/Wpp-min  ≦ 2.3 である必要がある。
【００７３】
TP=400nmにおいては、L0層及びL1層ともに、溝幅290nm辺りからWpp-max/Wpp-minが2.3を超えてしまう。従って、ウォブル振幅信号の安定再生信号には、
Wg/TP  ≦  0.725                               (20)
が必要となる。
【００７４】
以上からL1層の記録再生信号特性から２種類の特性の媒体が作製できる。従って、L0層とL1層の溝幅は式(22)を満たす範囲で、次式の関係式を満たす組み合わせであることが必要である。L0層は
Wg(L0)  ≦  0.725×TP                            (21)
L1層は
0.8×Wg(L0) ≦  Wg(L1)  ≦  0.725×TP                     (22)
上記の範囲で取り得るL0層とL1層の組み合わせにおいて、２種類の用途の媒体が考えられる。L1層がL0層より溝幅が大きくなる組み合わせであり、
Wg(L0) ≦  Wg(L1)  ≦  0.725×TP                     (23)
がL1層の溝幅の範囲となる。この場合、L0層の反射率を再生信号品質が確保できる程度に溝幅を細くし、透過率をできるだけ稼げるため、L1の記録光量を抑えることができる。また、L1層ではウォブルクロストークが支障ない範囲まで溝幅を広げることで、再生信号に必要な反射率を確保できる。従って、高速記録への対応を可能とする組み合わせである。一方、もう一つは、L1層のグルーブ溝幅がL0層より小さくなる組み合わせであり、
0.8 ≦  Wg(L1)/Wg(L0) ≦  1.0                       (24)
となる場合である。この場合は、L1層のアドレス情報再生の信頼性は高くなるが、溝幅を広くできく、反射率が抑えられるため、読み取りパワーが大きくなる。従って、高速記録再生は必要とせず、L1層のアドレス情報の再生特性を優先し、より情報の正確さを要求する媒体例えば、プロフェッショナル用配布用途、データバックアップ用途に望ましい特性である。
【００７５】
以上のように、L0層とL1層の溝幅範囲を設定するだけでなく。L0層とL1層の相対溝幅値を設定することによって、反射率規格及びウォブル信号規格を満たすことができる。更に、L0層とL1層の溝幅の大小関係により、目的用途に応じた追記型情報媒体を作成することができる。
【００７６】
以下に、本発明の情報記録媒体に適用可能な規格の例を以下に示す。
【００７７】
§１  Ｈフォーマット
本発明に用いられる第１の次世代光ディスク：ＨＤ  ＤＶＤ方式（以下、Ｈフォーマットと称する）について、以下に説明する。
【００７８】
“Ｌ→Ｈ”記録膜を使用する場合には、バーストカッティング領域ＢＣＡに予め形成する微細な凹凸形状の具体的内容として図１７に示すようにシステムリードイン領域ＳＹＬＤＩ内と同様にエンボスピット領域２１１とする方法が有るが、他の実施形態としてデータリードイン領域ＤＴＬＤＩやデータ領域ＤＴＡと同様にグルーブ領域２１４あるいはランド及びグルーブ領域にする方法もある。システムリードイン領域ＳＹＬＤＩとバーストカッティング領域ＢＣＡを分離配置させる実施形態では、バーストカッティング領域ＢＣＡ内とエンボスピット領域２１１が重なると不要な干渉によるバーストカッティング領域ＢＣＡ内に形成されたデータからの再生信号へのノイズ成分が増加する。
【００７９】
バーストカッティング領域ＢＣＡ内の微細な凹凸形状の実施形態としてエンボスピット領域２１１にせずにグルーブ領域２１４あるいはランド及びグルーブ領域にすると、不要な干渉によるバーストカッティング領域ＢＣＡ内に形成されたデータからの再生信号へのノイズ成分が減少して再生信号の品質が向上すると言う効果が有る。
【００８０】
バーストカッティング領域ＢＣＡ内に形成するグルーブ領域２１４あるいはランド及びグルーブ領域のトラックピッチをシステムリードイン領域ＳＹＬＤＩのトラックピッチに合わせると情報記憶媒体の製造性が向上する効果が有る。すなわち、情報記憶媒体の原盤製造時に原盤記録装置の露光部の送りモータ速度を一定にしてシステムリードイン領域内のエンボスピットを作成している。この時、バーストカッティング領域ＢＣＡ内に形成するグルーブ領域２１４あるいはランド及びグルーブ領域のトラックピッチをシステムリードイン領域ＳＹＬＤＩ内のエンボスピットのトラックピッチに合わせる事でバーストカッティング領域ＢＣＡとシステムリードイン領域ＳＹＬＤＩとで引き続き送りモータ速度を一定に保持できるため、途中で送りモータの速度を変える必要が無いのでピッチムラが生じ辛く情報記憶媒体の製造性が向上する。
【００８１】
再生専用形または追記形情報記憶媒体に対して書替え専用形情報記憶媒体の方がトラックピッチ及び線密度（データビット長）を詰める事により記録容量を高くしている。後述するように、書替え専用形情報記憶媒体ではランドグルーブ記録を採用する事で隣接トラックのクロストークの影響を低減させてトラックピッチを詰めている。または再生専用形情報記憶媒体、追記形情報記憶媒体、書替え形情報記憶媒体のいずれにおいてもシステムリードイン/アウト領域ＳＹＬＤＩ/ＳＹＬＤＯのデータビット長とトラックピッチ（記録密度に対応）をデータリードイン/データリードアウト領域ＤＴＬＤＩ/ＤＴＬＤＯよりも大きく（記録密度を低く）している所に特徴が有る。
【００８２】
システムリードイン/システムリードアウト領域ＳＹＬＤＩ/ＳＹＬＤＯのデータビット長とトラックピッチを現行ＤＶＤのリードイン領域の値に近付けることで現行ＤＶＤとの互換性を確保している。
【００８３】
本実施形態でも現行ＤＶＤ−Ｒと同様に追記形情報記憶媒体のシステムリードイン/システムリードアウト領域ＳＹＬＤＩ/ＳＹＬＤＯでのエンボスの段差を浅く設定している。これにより、追記形情報記憶媒体のプリグルーブの深さを浅くし、プリグルーブ上に追記により形成する記録マークからの再生信号変調度を高くする効果が有る。逆に、その反作用としてシステムリードイン/システムリードアウト領域ＳＹＬＤＩ/ＳＹＬＤＯからの再生信号の変調度が小さくなると言う問題が生じる。それに対して、システムリードイン/システムリードアウト領域ＳＹＬＤＩ/ＳＹＬＤＯのデータビット長（とトラックピッチ）を粗くする事で、最も詰まった位置でのピットとスペースの繰り返し周波数を再生用対物レンズのＭＴＦ（Modulation Transfer Function）の光学的遮断周波数から離す（大幅に小さくする）事で、システムリードイン/システムリードアウト領域ＳＹＬＤＩ/ＳＹＬＤＯからの再生信号振幅を引き上げ、再生の安定化を図る事が出来る。
【００８４】
図１７に示すように、イニシャルゾーンＩＮＺはシステムリードインＳＹＬＤＩの開始位置を示している。イニシャルゾーンＩＮＺ内に記録されている意味を持った情報としては、物理セクタ番号ＰＳＮ：Physical Sector Number（あるいは物理セグメント番号ＰＳＮ：Physical Segment Number）または論理セクタ番号の情報を含むデータＩＤ（Identification Data）情報が離散的に配置されている。１個の物理セクタ内には後述するようにデータＩＤ、ＩＥＤ（ID Error Detection code）、ユーザ情報を記録するメインデータ、ＥＤＣ（Error Detection Code）から構成されるデータフレーム構造の情報が記録されるが、イニシャルゾーンＩＮＺ内にも上記のデータフレーム構造の情報が記録される。しかしイニシャルゾーンＩＮＺ内ではユーザ情報を記録するメインデータの情報を全て“００ｈ”に設定するため、イニシャルゾーンＩＮＺ内での意味の有る情報は前述したデータＩＤ情報のみとなる。この中に記録されている物理セクタ番号または論理セクタ番号の情報から現在位置を知る事ができる。すなわち、図１８の情報記録再生部１４１で情報記憶媒体からの情報再生を開始する時にイニシャルゾーンＩＮＺ内の情報から再生開始した場合には、まずデータＩＤ情報の中に記録されている物理セクタ番号または論理セクタ番号の情報を抽出して情報記憶媒体内の現在位置を確認しつつ制御データゾーンＣＤＺへ移動する。
【００８５】
バッファゾーン１ ＢＦＺ１及びバッファゾーン２ ＢＦＺ２はそれぞれ３２ＥＣＣブロックから構成されている。１ＥＣＣブロックはそれぞれ３２物理セクタから構成されているので、３２ＥＣＣブロックは１０２４物理セクタ分に相当する。バッファゾーン１ ＢＦＺ１及びバッファゾーン２ ＢＦＺ２内もイニシャルゾーンＩＮＺと同様にメインデータの情報を全て“００ｈ”に設定している。
【００８６】
コネクション領域（Connection Area）ＣＮＡ内に存在するコネクションゾーンＣＮＺはシステムリードイン領域ＳＹＬＤＩとデータリードイン領域ＤＴＬＤＩを物理的に分離するための領域で、この領域はいかなるエンボスピットやプリブルーブも存在しないミラー面（鏡面）になっている。
【００８７】
再生専用形情報記憶媒体と追記形情報記憶媒体の参照コード記録ゾーン（Reference code zone）ＲＣＺは再生装置の再生回路調整用に用いられる領域で、前述したデータフレーム構造の情報が記録されている。参照コードの長さは１ＥＣＣブロック（＝３２セクタ）になっている。再生専用形情報記憶媒体と追記形情報記憶媒体の参照コード記録ゾーン（Reference code zone）ＲＣＺをデータ領域（Data Area）ＤＴＡの隣りに配置することができる。現行ＤＶＤ−ＲＯＭディスク及び現行ＤＶＤ−Ｒディスクいずれの構造においても参照コード記録ゾーン（Reference code zone）とデータ領域（Data Area）との間に制御データゾーンが配置されており、参照コード記録ゾーンとデータ領域との間が離れている。参照コード記録ゾーンとデータ領域との間が離れていると、情報記憶媒体の傾き量や光反射率あるいは（追記形情報記憶媒体の場合には）記録膜の記録感度が若干変化し、参照コード記録ゾーンの所で再生装置の回路定数を調整してもデータ領域での最適な回路定数がずれてしまうと言う問題が発生する。上記問題を解決するために、参照コード記録ゾーン（Reference code zone）ＲＣＺをデータ領域（Data Area）ＤＴＡに隣接配置すると、参照コード記録ゾーン（Reference code zone）ＲＣＺ内で情報再生装置の回路定数を最適化した場合に、隣接するデータ領域（Data Area）ＤＴＡ内でも同じ回路定数で最適化状態が保持される。データ領域（Data Area）ＤＴＡ内の任意の場所で精度良く信号再生したい場合には、
（１）参照コード記録ゾーン（Reference code zone）ＲＣＺ内で情報再生装置の回路定数を最適化する
→（２）データ領域ＤＴＡ内の参照コード記録ゾーンＲＣＺに最も近い部分を再生しながら情報再生装置の回路定数を再度最適化する
→（３）データ領域ＤＴＡ内の目的位置と（２）で最適化した位置との中間位置で情報再生しながら回路定数を再々度最適化する
→（４）目的位置に移動して信号再生する
のステップを経る事で非常に精度良く目的位置での信号再生が可能となる。
【００８８】
追記形情報記憶媒体と書替え形情報記憶媒体内に存在するガードトラックゾーン１、２（Guard track zone）ＧＴＺ１、ＧＴＺ２はデータリードイン領域ＤＴＬＤＩの開始境界位置とディスクテストゾーンＤＫＴＺ、ドライブテストゾーンＤＲＴＺの境界位置を規定するための領域で、この領域には記録マーク形成による記録をしてはいけない領域として規定される。ガードトラックゾーン１ ＧＴＺ１、ガードトラックゾーン２ ＧＴＺ２はデータリードイン領域ＤＴＬＤＩ内に存在するため、この領域内には追記形情報記憶媒体ではプリグルーブ領域、または書替え形情報記憶媒体ではグルーブ領域とランド領域は事前に形成されている。プリグルーブ領域、あるいはグルーブ領域、ランド領域内はウォブルアドレスが予め記録されているので、このウォブルアドレスを用いて情報記憶媒体内の現在位置を判定する。
【００８９】
ディスクテストゾーンＤＫＴＺは情報記憶媒体の製造メーカーが品質テスト（評価）を行うために設けられた領域である。
【００９０】
ドライブテストゾーンＤＲＴＺは情報記録再生装置が情報記憶媒体への情報を記録する前に試し書きするための領域として確保されている。情報記録再生装置は予めこの領域内で試し書きを行い、最適な記録条件（ライトストラテジ）を割り出した後、その最適記録条件でデータ領域ＤＴＡ内に情報を記録する事が出来る。
【００９１】
書替え形情報記憶媒体内に有るディスク識別ゾーンＤＩＺ内の情報はオプショナル情報記録領域で記録再生装置の製造メーカー名情報とそれに関する付加情報及びその製造メーカーが独自に記録可能な領域から構成されるドライブ記述子（Drive description）を１組みとして１組み毎に追記可能な領域となっている。
【００９２】
書替え形情報記憶媒体内に有る欠陥管理ゾーン１ ＤＭＡ１、欠陥管理ゾーン２ ＤＭＡ２はデータ領域ＤＴＡ内の欠陥管理情報が記録される場所で、例えば、欠陥個所が発生した時の代替え箇所情報などが記録されている。ここで、上記ＤＭＡ１およびＤＭＡ２の他にＤＭＡ管理情報（DMA Manager1）をあわせて欠陥管理領域（Defect Management Zone）として取り扱うことができる。
【００９３】
追記形情報記憶媒体ではＲＭＤディプリケーションゾーンＲＤＺと記録位置管理ゾーンＲＭＺ、Ｒ物理情報ゾーンＲ−ＰＦＩＺが独自に存在する。記録位置管理ゾーンＲＭＺ内にはデータの追記処理により更新されるデータの記録位置に関する管理情報で有る記録位置管理データＲＭＤ（Recording Management Data）が記録される（詳細は後述する）。後ほど図１７の所で説明するようにこの実施形態では各ボーダー内領域ＢＲＤＡ毎にそれぞれ記録位置管理ゾーンＲＭＺを設定し、記録位置管理ゾーンＲＭＺの領域の拡張を可能としている。その結果、追記頻度が増加して必要とする記録位置管理データＲＭＤ領域が増加しても、逐次記録位置管理ゾーンＲＭＺを拡張する事で対応可能なため、追記回数を大幅に増やせると言う効果が生まれる。その場合、本実施形態では各ボーダー内領域ＢＲＤＡに対応した（各ボーダー内領域ＢＲＤＡの直前に配置された）ボーダーインＢＲＤＩ内に記録位置管理ゾーンＲＭＺを配置する。本実施形態では最初のボーダー内領域ＢＲＤＡ＃１に対応したボーダーインＢＲＤＩとデータリードイン領域ＤＴＬＤＩを兼用化し、データ領域ＤＴＡ内での最初のボーダーインＢＲＤＩの形成を省略してデータ領域ＤＴＡの有効活用を行っている。すなわち、データリードイン領域ＤＴＬＤＩ内の記録位置管理ゾーンＲＭＺは最初のボーダー内領域ＢＲＤＡ＃１に対応した記録位置管理データＲＭＤの記録場所として利用されている。
【００９４】
ＲＭＤディプリケーションゾーンＲＤＺは記録位置管理ゾーンＲＭＺ内の下記の条件を満足する記録位置管理データＲＭＤの情報を記録する場所で、本実施形態のように記録位置管理データＲＭＤを重複して持つ事で、記録位置管理データＲＭＤの信頼性を高めている。すなわち、追記形情報記憶媒体表面に付いたゴミや傷の影響で記録位置管理ゾーンＲＭＺ内の記録位置管理データＲＭＤが不可能になった場合、このＲＭＤディプリケーションゾーンＲＤＺ内に記録された記録位置管理データＲＭＤを再生し、更に、残りの必要な情報をトレーシングにより収集する事で最新の記録位置管理データＲＭＤの情報を復元できる。
【００９５】
このＲＭＤディプリケーションゾーンＲＤＺ内には（複数の）ボーダーをクローズする時点での記録位置管理データＲＭＤが記録される。後述するように１個のボーダーをクローズし、次の新たなボーダー内領域を設定する毎に新たな記録位置管理ゾーンＲＭＺを定義するので、新たな記録位置管理ゾーンＲＭＺを作成する毎に、その前のボーダー内領域に関係した最後の記録位置管理データＲＭＤをこのＲＭＤディプリケーションゾーンＲＤＺ内に記録すると言っても良い。追記形情報記憶媒体上に記録位置管理データＲＭＤを追記する毎に同じ情報をこのＲＭＤディプリケーションゾーンＲＤＺに記録すると、比較的少ない追記回数でＲＭＤディプリケーションゾーンＲＤＺが一杯になってしまうため追記回数の上限値が小さくなってしまう。それに比べて本実施形態のようにボーダーをクローズした時やボーダーインＢＲＤＩ内の記録位置管理ゾーン内が一杯になり、Ｒゾーンを用いて新たな記録位置管理ゾーンＲＭＺを形成するなど新たに記録位置管理ゾーンを作る場合に、今までの記録位置管理ゾーンＲＭＺ内の最後の記録位置管理データＲＭＤのみをＲＭＤディプリケーションゾーンＲＤＺ内に記録する事でＲＭＤディプリケーションゾーンＲＤＺ内を有効活用して追記可能回数を向上できる効果が有る。
【００９６】
例えば、追記途中の（クローズする前の）ボーダー内領域ＢＲＤＡに対応した記録位置管理ゾーンＲＭＺ内の記録位置管理データＲＭＤが追記形情報記憶媒体表面に付いたゴミや傷の影響で再生不可能になった場合には、このＲＭＤディプリケーションゾーンＲＤＺ内の最後に記録された記録位置管理データＲＭＤを読み取る事で既にクローズされたボーダー内領域ＢＲＤＡの場所が分かる。従って、情報記憶媒体のデータ領域ＤＴＡ内のそれ以外の場所をトレースする事で追記途中の（クローズする前の）ボーダー内領域ＢＲＤＡの場所とそこに記録された情報内容を収集でき、最新の記録位置管理データＲＭＤの情報を復元できる。
【００９７】
制御データゾーンＣＤＺ内の物理フォーマット情報ＰＦＩ（後で詳細に説明する）に類似した情報がＲ物理情報ゾーンＲ−ＰＦＩＺ内に記録される。
【００９８】
追記形情報記憶媒体内に有るＲＭＤディプリケーションゾーンＲＤＺと記録位置管理ゾーンＲＭＺ内のデータ構造を図１７に示す。図１７（ａ）はシステムリードイン領域とデータリードイン領域内のデータ構造を比較する図を示し、図１７（ａ）内のＲＭＤディプリケーションゾーンＲＤＺと記録位置管理ゾーンＲＭＺの拡大図が図１７（ｂ）に示されている。上述したようにデータリードイン領域ＤＴＬＤＩ内の記録位置管理ゾーンＲＭＺには最初のボーダー内領域ＢＲＤＡ内に対応した記録位置管理に関するデータが１個の記録位置管理データ（Recording Management Data）ＲＭＤの中にそれぞれまとめて記録され、追記形情報記憶媒体への追記処理が行われた時に発生する記録位置管理データＲＭＤの中身が更新される毎に新たな記録位置管理データＲＭＤとして順次後ろ側に追記される。すなわち、記録位置管理データ（Recording Management Data）ＲＭＤは１物理セグメントブロック（物理セグメントブロックに付いては後述する）のサイズ単位で記録され、データ内容が更新される毎に新たな記録位置管理データＲＭＤとして順次後ろに追記されて行く。図１７（ｂ）の例では事前に記録位置管理データＲＭＤ＃１と＃２が記録されていた所に管理データに変更が生じたので、変更後（アップデート後）のデータを記録位置管理データＲＭＤ＃３として記録位置管理データＲＭＤ＃２の直後に記録した例を示している。従って、記録位置管理ゾーンＲＭＺ内では更に、追記可能なように予約領域２７３が存在している。
【００９９】
図１７（ｂ）ではデータリードイン領域ＤＴＬＤＩ中に存在する記録位置管理ゾーンＲＭＺ内の構造を示しているが、それに限らず後述するボーダーインＢＲＤＩ内またはボーダー内領域ＢＲＤＡ内に有る記録位置管理ゾーンＲＭＺ（または拡張記録位置管理ゾーン：拡張ＲＭＺと呼ぶ）内の構造も図１７（ｂ）に示した構造と同じである。
【０１００】
本実施形態では最初のボーダー内領域ＢＲＤＡ＃１をクローズするかデータ領域ＤＴＡの終了処理（ファイナライズ）をする場合には、最後の記録位置管理データＲＭＤで図１７（ｂ）に示した予約領域２７３を全て埋める処理を行う。これにより、
（１）“未記録状態”の予約領域２７３が無くなり、ＤＰＤ（Differential Phase Detection）検出法によるトラッキング補正の安定化を保証する
（２）かつての予約領域２７３に最後の記録位置管理データＲＭＤを多重書きする事になり、最後の記録位置管理データＲＭＤに関する再生時の信頼性が大幅に向上する
（３）誤って未記録状態の予約領域２７３に異なった記録位置管理データＲＭＤを記録する事件を防止できる
と言う効果が有る。
【０１０１】
上記処理方法はデータリードイン領域ＤＴＬＤＩ内の記録位置管理ゾーンＲＭＺに限らず、本実施形態では後述するボーダーインＢＲＤＩ内またはボーダー内領域ＢＲＤＡ内に有る記録位置管理ゾーンＲＭＺ（または拡張記録位置管理ゾーン：拡張ＲＭＺと呼ぶ）に対しても対応するボーダー内領域ＢＲＤＡをクローズするかデータ領域ＤＴＡの終了処理（ファイナライズ）をする場合には最後の記録位置管理データＲＭＤで予約領域２７３を全て埋める処理を行う。
【０１０２】
ＲＭＤディプリケーションゾーンＲＤＺ内はＲＤＺリードインＲＤＺＬＩと対応ＲＭＺ最後の記録位置管理データＲＭＤの記録領域２７１に分かれている。ＲＤＺリードインＲＤＺＬＩの中は図１７（ｂ）に示すようにデータサイズが４８ＫＢのシステム予約領域ＳＲＳＦとデータサイズが１６ＫＢのユニークＩＤ領域ＵＩＤＦから構成される。システム予約領域ＳＲＳＦ内は全て“００ｈ”にセットされる。
【０１０３】
本実施形態では追記可能なデータリードイン領域ＤＴＬＤＩ内にＲＤＺリードインＲＤＺＬＩを記録することができる。本実施形態の追記形情報記憶媒体では製造直後はＲＤＺリードインＲＤＺＬＩは未記録の状態で出荷される。ユーザサイドの情報記録再生装置内でこの追記形情報記憶媒体を使う段階で初めてＲＤＺリードインＲＤＺＬＩの情報を記録する。従って、追記形情報記憶媒体を情報記録再生装置に装着直後にこのＲＤＺリードインＲＤＺＬＩに情報が記録されているか否かを判定する事で、対象の追記形情報記憶媒体が製造・出荷直後の状態か少なくとも一回でも使用したかを容易に知る事が出来る。更に、図１７に示すようにＲＭＤディプリケーションゾーンＲＤＺが最初のボーダー内領域ＢＲＤＡに対応した記録位置管理ゾーンＲＭＺより内周側に配置され、ＲＭＤディプリケーションゾーンＲＤＺ内にＲＤＺリードインＲＤＺＬＩが配置され得る。
【０１０４】
追記形情報記憶媒体が製造・出荷直後の状態か少なくとも一回でも使用したかの情報（ＲＤＺリードインＲＤＺＬＩ）を共通な利用目的（ＲＭＤの信頼性向上）に使われるＲＭＤディプリケーションゾーンＲＤＺ内に配置する事で情報収集の利用効率が向上する。また、ＲＤＺリードインＲＤＺＬＩを記録位置管理ゾーンＲＭＺより内周側に配置する事で必要情報収集に必要な時間の短縮化が図れる。情報記憶媒体を情報記録再生装置に装着すると、情報記録再生装置は、最内周側に配置されたバーストカッティング領域ＢＣＡから再生を開始し、順次外側に再生位置を移動させながらシステムリードイン領域ＳＹＬＳＩ、データリードイン領域ＤＴＬＤＩへと再生場所を変えて行く。ＲＭＤディプリケーションゾーンＲＤＺ内のＲＤＺリードインＲＤＺＬＩに情報が記録されているかを判別する。出荷直後で一度も記録されて無い追記形情報記憶媒体では記録位置管理ゾーンＲＭＺ内には一切の記録位置管理データＲＭＤが記録されて無いので、ＲＤＺリードインＲＤＺＬＩに情報が記録されて無い場合には“出荷直後で未使用”と判定し、記録位置管理ゾーンＲＭＺの再生を省く事が出来、必要情報収集に必要な時間の短縮化が図れる。
【０１０５】
ユニークＩＤ領域ＵＩＤＦ内は図１７（ｃ）に示すように、初めて出荷直後の追記形情報記憶媒体を使用した（記録を開始した）情報記録再生装置に関する情報が記録される。すなわち、情報記録再生装置のドライブメーカーＩＤ２８１や情報記録再生装置のシリアル番号２８３、モデル番号２８４が記録される。ユニークＩＤ領域ＵＩＤＦ内は図１７（ｃ）に示した２ＫＢ（厳密には２０４８バイト）の同じ情報が８回繰り返し記録されている。ユニークディスクＩＤ２８７内情報には図１７（ｄ）に示すように初めて使用（記録を開始）した時の年情報２９３、月情報２９４、日情報２９５、時間情報２９６、分情報２９７、秒情報２９８が記録される。それぞれの情報のデータタイプは図１７（ｄ）に記載されているようにＨＥＸ、ＢＩＮ、ＡＳＣＩＩで記載され、使用バイト数も２バイトもしくは４バイト使われる。
【０１０６】
このＲＤＺリードインＲＤＺＬＩの領域のサイズと前記１個の記録位置管理データＲＭＤのサイズが６４ＫＢすなわち、１個のＥＣＣブロック内のユーザデータサイズの整数倍にすることができる。追記形情報記憶媒体の場合、１個のＥＣＣブロック内のデータの一部を変更後に情報記憶媒体に変更後のＥＣＣブロックのデータを書き替えると言う処理が出来ない。従って、特に追記形情報記憶媒体の場合には後述するように、１個のＥＣＣブロックを含むデータセグメントの整数倍で構成されるレコーディングクラスタ単位で記録される。従って、ＲＤＺリードインＲＤＺＬＩの領域のサイズと前記１個の記録位置管理データＲＭＤのサイズがＥＣＣブロック内のユーザデータサイズと異なると、レコーディングクラスター単位に合わせるためのパディング領域またはスタッフィング領域が必要となり、実質的な記録効率が低下する。本実施形態のようにＲＤＺリードインＲＤＺＬＩの領域のサイズと前記１個の記録位置管理データＲＭＤのサイズが６４ＫＢの整数倍に設定する事で記録効率の低下を防止できる。
【０１０７】
図１７（ｂ）における対応ＲＭＺ最後の記録位置管理データＲＭＤ記録領域２７１についての説明を行う。登録２６２１４５９号に記載されているように、リードイン領域の内側に記録中断時の中間情報を記録する方法が有る。この場合には記録を中断する毎あるいは追記処理を行う毎に、この領域に中間情報（本実施形態では記録位置管理データＲＭＤ）を逐次追記する必要が有る。そのため、頻繁に記録中断または追記処理が繰り返されると、この領域が直ぐに満杯となり更なる追加処理が不可能になると言う問題が発生する。この問題を解決するために、本実施形態では特定の条件を満たす時にのみ更新された記録位置管理データＲＭＤを記録できる領域としてＲＭＤディプリケーションゾーンＲＤＺを設定し、特定条件の下で間引かれた記録位置管理データＲＭＤを記録する事を特徴とする。このようにＲＭＤディプリケーションゾーンＲＤＺ内に追記される記録位置管理データＲＭＤの頻度を低下させる事でＲＭＤディプリケーションゾーンＲＤＺ内で満杯になるのを防ぎ、追記形情報記憶媒体に対する追記可能な回数を大幅に向上できると言う効果が有る。これと並行して、追記処理毎に更新される記録位置管理データＲＭＤは図２０（ｃ）に示すボーダーインＢＲＤＩ内（最初のボーダー内領域ＢＲＤＡ＃１に関しては図１７（ａ）に示すようにデータリードイン領域ＤＴＬＤＩ内）の記録位置管理ゾーンＲＭＺ、あるいは後述するＲゾーンを利用した記録位置管理ゾーンＲＭＺ内に逐次追記される。そして、次のボーダー内領域ＢＲＤＡを作成（新たなボーダーインＢＲＤＩを設定）したりＲゾーン内に新たな記録位置管理ゾーンＲＭＺを設定するなど新たな記録位置管理ゾーンＲＭＺを作る時に、最後の（新たな記録位置管理ゾーンＲＭＺを作る直前の状態での最新の）記録位置管理データＲＭＤをＲＭＤディプリケーションゾーンＲＤＺ（の中の対応ＲＭＺ最後の記録位置管理データＲＭＤ記録領域２７１）内に記録する。これにより、追記形情報記憶媒体への追記可能回数が大幅に増大するだけでなく、この領域を利用する事で最新のＲＭＤ位置検索が容易になると言う効果が生まれる。
【０１０８】
再生専用形、追記形、書替え形いずれの情報記憶媒体においてシステムリードイン領域がデータリードイン領域を挟んでデータ領域の反対側に配置され、更に、システムリードイン領域ＳＹＬＤＩを挟んでバーストカッティング領域ＢＣＡとデータリードイン領域ＤＴＬＤＩが互いに反対側に配置されている所に本実施形態の特徴が有る。情報記憶媒体を図１８に示した情報再生装置または情報記録再生装置に挿入すると、情報再生装置または情報記録再生装置は
（１）バーストカッティング領域ＢＣＡ内の情報の再生
→（２）システムリードイン領域ＳＹＬＤＩ内の情報データゾーンＣＤＺ内の情報の再生
→（３）データリードイン領域ＤＴＬＤＩ内の情報の再生（追記形または書替え形の場合）
→（４）参照コード記録ゾーンＲＣＺ内での再生回路定数の再調整（最適化）
→（５）データ領域ＤＴＡ内に記録された情報の再生もしくは新たな情報の記録
の順で処理を行う。
【０１０９】
上記処理の順に沿って情報が内周側から順に配置されているため、不要な内周へのアクセス処理が不要となり、アクセス回数を少なくしてデータ領域ＤＴＡへ到達できるため、データ領域ＤＴＡ内に記録された情報の再生もしくは新たな情報の記録の開始時間を早める効果が有る。また、システムリードイン領域ＳＹＬＤＩでの信号再生にスライスレベル検出方式を利用し、データリードイン領域ＤＴＬＤＩとデータ領域ＤＴＡでは信号再生にＰＲＭＬを用いるので、データリードイン領域ＤＴＬＤＩとデータ領域ＤＴＡを隣接させると、内周側から順に再生した場合、システムリードイン領域ＳＹＬＤＩとデータリードイン領域ＤＴＬＤＩの間で１回だけスライスレベル検出回路からＰＲＭＬ検出回路に切り替えるだけで連続して安定に信号再生が可能となる。そのため、再生手順に沿った再生回路切り替え回数が少ないので処理制御が簡単になりデータ領域内再生開始時間が早くなる。
【０１１０】
再生専用形情報記憶媒体においてデータリードアウト領域ＤＴＬＤＯとシステムリードアウト領域ＳＹＬＤＯ内に記録されているデータはデータフレーム構造（データフレーム構造に付いては後述）を持ち、その中のメインデータの値を全て“００ｈ”に設定している。再生専用形情報記憶媒体ではデータ領域ＤＴＡ内の全領域に亘りユーザデータの事前記録領域２０１として使用できるが、後述するように追記形情報記憶媒体と書替え形情報記憶媒体のいずれの実施形態でもユーザデータの書替え／追記可能範囲２０２〜２０５がデータ領域ＤＴＡよりも狭くなっている。
【０１１１】
追記形情報記憶媒体あるいは書替え形情報記憶媒体ではデータ領域ＤＴＡの最内周部に代替え領域（Spare Area）ＳＰＡが設けて有る。データ領域ＤＴＡ内に欠陥場所が発生した場合に前記代替え領域ＳＰＡを使って代替え処理を行い、書替え形情報記憶媒体の場合にはその代替え履歴情報（欠陥管理情報）を欠陥管理ゾーン１ ＤＭＡ１、欠陥管理ゾーン２ ＤＭＡ２及び欠陥管理ゾーン３ ＤＭＡ３、欠陥管理ゾーン４ ＤＭＡ４に記録する。欠陥管理ゾーン３ ＤＭＡ３、欠陥管理ゾーン４ ＤＭＡ４に記録される欠陥管理情報は欠陥管理ゾーン１ ＤＭＡ１、欠陥管理ゾーン２ ＤＭＡ２に記録される情報と同じ内容が記録される。追記形情報記憶媒体の場合には代替え処理を行った場合の代替え履歴情報（欠陥管理情報）はデータリードイン領域ＤＴＬＤＩ内及び後述するボーダーゾーン内に存在する記録位置管理ゾーンへの記録内容のコピー情報Ｃ_ＲＭＺ内に記録される。現行のＤＶＤ−Ｒディスクでは欠陥管理を行わなかったが、ＤＶＤ−Ｒディスクの製造枚数の増加に連れて一部に欠陥場所を持つＤＶＤ−Ｒディスクが出廻るようになり、追記形情報記憶媒体に記録する情報の信頼性向上を望む声が大きくなっている。
【０１１２】
ドライブテストゾーンＤＲＴＺは情報記録再生装置が情報記憶媒体への情報を記録する前に試し書きするための領域として確保されている。情報記録再生装置は予めこの領域内で試し書きを行い、最適な記録条件（ライトストラテジ）を割り出した後、その最適記録条件でデータ領域ＤＴＡ内に情報を記録する事が出来る。
【０１１３】
ディスクテストゾーンＤＫＴＺは情報記憶媒体の製造メーカーが品質テスト（評価）を行うために設けられた領域である。
【０１１４】
追記形情報記憶媒体では内周側と外周側の２箇所にドライブテストゾーンＤＲＴＺを設けて有る。ドライブテストゾーンＤＲＴＺに行う試し書きの回数が多い程、細かくパラメータを振って最適な記録条件を詳細に探すことが出来てデータ領域ＤＴＡへの記録精度が向上する。書替え形情報記憶媒体では重ね書きによるドライブテストゾーンＤＲＴＺ内の再利用が可能となるが、追記形情報記憶媒体では試し書きの回数を多くして記録精度を上げようとするとドライブテストゾーンＤＲＴＺ内をすぐに使い切ってしまうと言う問題が発生する。その問題を解決するために本実施形態では外周部から内周方向に沿って逐次拡張ドライブテストゾーン（Extended Drive Test Zone）ＥＤＲＴＺの設定を可能とし、ドライブテストゾーンの拡張を可能とすることができる。
【０１１５】
拡張ドライブテストゾーンの設定方法とその設定された拡張ドライブテストゾーン内での試し書き方法に関する特徴として、本実施形態では、
１．拡張ドライブテストゾーンＥＤＲＴＺの設定（枠取り）は外周方向（データリードアウト領域ＤＴＬＤＯに近い方）から内周側にむけて順次まとめて設定する
…  データ領域内の最も外周に近い場所（データリードアウト領域ＤＴＬＤＯに最も近い場所）からまとまった領域として拡張ドライブテストゾーン１ ＥＤＲＴＺ１を設定し、その拡張ドライブテストゾーン１ ＥＤＲＴＺ１を使い切った後で、それより内周側に存在するまとまった領域として拡張ドライブテストゾーン２ ＥＤＲＴＺ２を次に設定可能とする。
【０１１６】
２．拡張ドライブテストゾーンＥＤＲＴＺの中では内周側から順次試し書きを行う
…  拡張ドライブテストゾーンＥＤＲＴＺの中で試し書きを行う場合には内周側から外周側に沿ってスパイラル状に配置されたグルーブ領域２１４に沿って行い、前回試し書きをした（既に記録された）場所のすぐ後ろの未記録場所に今回の試し書きを行う。
【０１１７】
データ領域内は内周側から外周側に沿ってスパイラル状に配置されたグルーブ領域２１４に沿って追記される構造となっており、拡張ドライブテストゾーン内での試し書きが直前に行われた試し書き場所の後ろに順次追記する方法で行う事により、“直前に行われた試し書き場所の確認”→“今回の試し書きの実施”の処理がシリアルに行えるため、試し書き処理が容易となるばかりでなく、拡張ドライブテストゾーンＥＤＲＴＺ内での既に試し書きされた場所の管理が簡単になる。
【０１１８】
３．拡張ドライブテストゾーンＥＤＲＴＺも含めた形でデータリードアウト領域ＤＴＬＤＯの再設定可能
…  データ領域ＤＴＡ内に２箇所拡張代替え領域１ ＥＳＰＡ１、拡張代替え領域２ ＥＳＰＡ２を設定し、２箇所の拡張ドライブテストゾーン１ ＥＤＲＴＺ１、拡張ドライブテストゾーン２ ＥＤＲＴＺ２を設定した例を示す。この場合に本実施形態では拡張ドライブテストゾーン２ ＥＤＲＴＺ２までを含めた領域に対してデーターリードアウト領域ＤＴＬＯとして再設定出来る。これに連動して範囲を狭めた形でデータ領域ＤＴＡの範囲の再設定を行うことになり、データ領域ＤＴＡ内に存在するユーザデータの追記可能範囲２０５の管理が容易になる。
【０１１９】
拡張代替え領域１ ＥＳＰＡ１の設定場所を“既に使い切った拡張代替え領域”と見なし、拡張ドライブテストゾーンＥＤＲＴＺ内の拡張代替え領域２ ＥＳＰＡ２内のみに未記録領域（追記の試し書きが可能な領域）が存在すると管理する。この場合、拡張代替え領域１ ＥＳＰＡ１内に記録され、代替えに使われた非欠陥の情報はそっくりそのまま拡張代替え領域２ ＥＳＰＡ２内の未代替え領域の場所に移され、欠陥管理情報が書き替えられる。この時再設定されたデータリードアウト領域ＤＴＬＤＯの開始位置情報は記録位置管理データＲＭＤ内のＲＭＤフィールド０の最新の（更新された）データ領域ＤＴＡの配置位置情報内に記録される。
【０１２０】
図１９を参照して追記形情報記憶媒体におけるボーダー領域の構造について説明する。追記形情報記憶媒体に初めて１個のボーダー領域を設定した時は図１９（ａ）に示すように内周側（データリードイン領域ＤＴＬＤＩに最も近い側）にボーダー内領域（Bordered Area）ＢＲＤＡ＃１を設定後、その後ろにボーダーアウト（Border out）ＢＲＤＯを形成する。
【０１２１】
更に、その次のボーダー内領域（Bordered Area）ＢＲＤＡ＃２を設定したい場合には、図１９（ｂ）に示すように前の（＃１の）ボーダーアウトＢＲＤＯの後ろに次の（＃１の）ボーダーイン（Border in）ＢＲＤＩを形成した後に次のボーダー内領域ＢＲＤＡ＃２を設定し、次のボーダー内領域ＢＲＤＡ＃２をクローズしたい場合にはその直後に（＃２）のボーダーアウトＢＲＤＯを形成する。本実施形態ではこの前の（＃１の）ボーダーアウトＢＲＤＯの後ろに次の（＃１の）ボーダーイン（Border in）ＢＲＤＩを形成して組みにした状態をボーダーゾーン（Border Zone）ＢＲＤＺと呼んでいる。ボーダーゾーンＢＲＤＺは情報再生装置（ＤＰＤ検出法を前提）で再生した時の各ボーダー内領域ＢＲＤＡ間で光学ヘッドがオーバーランするのを防止するために設定している。従って、情報が記録された追記形情報記憶媒体を再生専用装置で再生する場合には、このボーダーアウトＢＲＤＯとボーダーインＢＲＤＩが既に記録されると共に最後のボーダー内領域ＢＲＤＡの後ろにボーダーアウトＢＲＤＯが記録されるボーダークローズ処理がなされる事が前提となる。最初のボーダー内領域ＢＲＤＡ＃１は４０８０個以上の物理セグメントブロックで構成され、追記形情報記憶媒体上の半径方向で最初のボーダー内領域ＢＲＤＡ＃１が１．０ｍｍ以上の幅を持っている必要が有る。図１９（ｂ）ではデータ領域ＤＴＡ内に拡張ドライブテストゾーンＥＤＲＴＺを設定した例を示している。
【０１２２】
追記形情報記憶媒体をファイナライズ（Finalization）した後の状態を図１９（ｃ）に示す。図１９（ｃ）の例では拡張ドライブテストゾーンＥＤＲＴＺをデータリードアウト領域ＤＴＬＤＯ内に組み込み、更に、拡張代替え領域ＥＳＰＡも設定済みの例を示している。この場合にはユーザデータの追加可能範囲２０５を残さないように最後のボーダーアウトＢＲＤＯで埋める。
【０１２３】
上記説明したボーダーゾーンＢＲＤＺ内の詳細なデータ構造を図１９（ｄ）に示す。各情報は後述する１物理セグメントブロック（Physical Segment Block）のサイズ単位で記録される。ボーダーアウトＢＲＤＯ内の最初には記録位置管理ゾーンへ記録された内容のコピー情報Ｃ_ＲＭＺが記録され、ボーダーアウトＢＲＤＯで有る事を示すボーダー終了用目印（Stop Block）ＳＴＢが記録される。さらに次のボーダーインＢＲＤＩが来る場合には、このボーダー終了用目印（Stop Block）ＳＴＢが記録された物理セグメントブロックから数えて“Ｎ１番目”の物理セグメントブロックに次にボーダー領域が来る事を示す最初の目印（Next Border Marker）ＮＢＭが、そして“Ｎ２番目”の物理セグメントブロックに次にボーダー領域が来る事を示す２番目の目印ＮＢＭ、“Ｎ３番目”の物理セグメントブロックに次にボーダー領域が来る事を示す３番目の目印ＮＢＭがそれぞれ１物理セグメントブロックのサイズ毎に離散的に合計３箇所に記録される。
【０１２４】
次のボーダーインＢＲＤＩ内にはアップデートされた物理フォーマット情報（Updated Physical Format Information）Ｕ_ＰＦＩが記録される。現行のＤＶＤ−ＲまたはＤＶＤ−ＲＷディスクでは次のボーダー領域が来ない場合には（最後のボーダーアウトＢＲＤＯ内では）、図１９（ｄ）に示した“次のボーダーを示す目印ＮＢＭ”を記録すべき場所（１物理セグメントブロックサイズの場所）は“全くデータを記録しない場所”のまま保持される。この状態でボーダークローズされると、この追記形情報記憶媒体（現行のＤＶＤ−ＲまたはＤＶＤ−ＲＷディスク）は従来のＤＶＤ−ＲＯＭドライブまたは従来のＤＶＤプレーヤーでの再生が可能な状態となる。従来のＤＶＤ−ＲＯＭドライブまたは従来のＤＶＤプレーヤーではこの追記形情報記憶媒体（現行のＤＶＤ−ＲまたはＤＶＤ−ＲＷディスク）上に記録された記録マークを利用してＤＰＤ（Differential Phase Detection）法を用いたトラックずれ検出を行う。しかし、上記の“全くデータを記録しない場所”では１物理セグメントブロックサイズにも亘って記録マークが存在しないので、ＤＰＤ（Differential Phase Detection）法を用いたトラックずれ検出が行え無いので安定にトラックサーボがかから無いと言う問題が有る。
【０１２５】
上記の現行のＤＶＤ−ＲまたはＤＶＤ−ＲＷディスクの問題点の対策として、本実施形態では、
（１）次のボーダー領域が来ない場合には“次のボーダーを示す目印ＮＢＭを記録すべき場所”には予め特定パターンのデータを記録しておく、
（２）次のボーダー領域が来る場合には上記予め特定パターンのデータが記録されている“次のボーダーを示す目印ＮＢＭ”の場所には部分的かつ離散的に特定の記録パターンで『重ね書き処理』を行う事で“次のボーダー領域が来る事”を示す識別情報として利用する、と言う方法を新規に採用している。
【０１２６】
このように重ね書きにより次のボーダーを示す目印を設定する事で、（１）に示すように次のボーダー領域が来ない場合でも“次のボーダーを示す目印ＮＢＭを記録すべき場所”には予め特定パターンの記録マークが形成でき、ボーダークローズ後に再生専用の情報再生装置でＤＰＤ法によりトラックずれ検出を行っても安定にトラックサーボが掛かると言う効果が生まれる。追記形情報記憶媒体において既に記録マークが形成されている部分に対して部分的にでもその上に新たな記録マークを重ね書きすると、情報記録再生装置または情報再生装置において図１８に示したＰＬＬ回路の安定化が損なわれる危惧が有る。その危惧対策として本実施形態では更に、
（３）１物理セグメントブロックサイズの“次のボーダーを示す目印ＮＢＭ”の位置に重ね書きする時に同一データセグメント内の場所により重ね書き状況を変化させる方法と
（４）シンクデータ４３２内に部分的に重ね書きを行い、シンクコード４３１上での重ね書きを禁止する
（５）データＩＤとＩＥＤを除いた場所に重ね書きする
と言う方法を更に、新規に採用している。後で詳細に説明するように、ユーザデータを記録するデータフィールド４１１〜４１８とガード領域４４１〜４４８が交互に情報記憶媒体上に記録される。データフィールド４１１〜４１８とガード領域４４１〜４４８を組み合わせた組をデータセグメント４９０と呼び、１個のデータセグメント長は１個の物理セグメントブロック長に一致する。図１８に示したＰＬＬ回路はＶＦＯ領域４７１、４７２内で特にＰＬＬの引き込みがし易くなっている。従って、ＶＦＯ領域４７１、４７２の直前ならばＰＬＬが外れてもＶＦＯ領域４７１、４７２を用いてＰＬＬの再引き込みが容易に行われるので、情報記録再生装置または情報再生装置内でのシステム全体としての影響は軽減される。この状況を利用し上記のように（３）データセグメント内の場所により重ね書き状況を変化させ、同一データセグメント内のＶＦＯ領域４７１、４７２に近い後ろの部分で特定パターンの重ね書き量を増やす事で“次のボーダーを示す目印”の判別を容易にすると共に再生時の信号ＰＬＬの精度劣化を防止できると言う効果が有る。
【０１２７】
１個の物理セクタ内はシンクコード４３３（ＳＹ０〜ＳＹ３）が配置されている場所と、そのシンクコード４３３の間に配置されたシンクデータ４３４の組み合わせで構成されている。情報記録再生装置あるいは情報再生装置は情報記憶媒体上に記録されているチャネルビット列の中からシンクコード４３３（ＳＹ０〜ＳＹ３）を抽出し、チャネルビット列の切れ目を検出している。後述するようにデータＩＤの情報から情報記憶媒体上に記録されているデータの位置情報（物理セクタ番号または論理セクタ番号）を抽出している。その直後に配置されたＩＥＤを用いてデータＩＤのエラーを検知している。従って、本実施形態では（５）データＩＤとＩＥＤ上での重ね書きを禁止するとともに（４）シンクコード４３１を除いたシンクデータ４３２内に部分的に重ね書きを行う事で、“次のボーダーを示す目印ＮＢＭ”内でもシンクコード４３１を用いたデータＩＤ位置の検出とデータＩＤに記録された情報の再生（内容判読）を可能にしている。
【０１２８】
追記形情報記憶媒体におけるボーダー領域の構造に関する図１９とは異なる他の実施形態を図２０に示す。図２０（ａ）、（ｂ）は図１９（ａ）、（ｂ）と同じ内容を示している。図２０では追記形情報記憶媒体をファイナライズ（Finalization）した後の状態が図１９（ｃ）とは異なる。例えば、図２０（ｃ）に示すようにボーダー内領域ＢＲＤＡ＃３内の情報記録を終了させたのちにファイナライズ（Finalization）したい場合には、ボーダークローズ処理としてボーダー内領域ＢＲＤＡ＃３の直後にボーダーアウトＢＲＤＯを形成する。その後、ボーダー内領域ＢＲＤＡ＃３直後のボーダーアウトＢＲＤＯの後ろにターミネイター（Terminator）領域ＴＲＭを形成し、ファイナライズに必要な時間の短縮を図っている。
【０１２９】
図１９（ｃ）の実施形態では拡張代替え領域ＥＳＰＡの直前までボーダーアウトＢＲＤＯで埋める必要があり、このボーダーアウトＢＲＤＯ形成のために長時間必要となりファイナライズ時間が掛かる問題が生じる。これに対して、図２０（ｃ）の実施形態では比較的長さの短いターミネーター領域ＴＲＭを設定し、ターミネーターＴＲＭより外側全てを新たなデータリードアウト領域ＮＤＴＬＤＯと再定義し、ターミネーターＴＲＭより外側にある未記録部分を使用禁止領域９１１に設定する。すなわち、データ領域ＤＴＡがファイナライズされる時には記録データの最後（ボーダーアウトＢＲＤＯの直後）にターミネーター領域ＴＲＭを形成する。この領域内のメインデータの情報を全て“００ｈ”に設定する。この領域のタイプ情報をデータリードアウトＮＤＴＬＤＯの属性に設定される事で、図２０（ｃ）に示すようにこのターミネーター領域ＴＲＭを新たなデータリードアウト領域ＮＤＴＬＤＯとして再定義される。この領域のタイプ情報は後述するようにデータＩＤ内の領域タイプ情報９３５に記録される。すなわち、このターミネーター領域ＴＲＭ内でのデータＩＤ内の領域タイプ情報９３５を“１０ｂ”に設定することでデータリードアウトＤＴＬＤＯ内に有る事を示す。本実施形態ではデータＩＤ内領域タイプ情報９３５によりデータリードアウト位置の識別情報を設定する所に大きな特徴がある。
【０１３０】
図１８に示した情報記録再生装置または情報再生装置において情報記録再生部１４１が追記形情報記憶媒体上の特定目標位置に粗アクセスした場合を考える。粗アクセス直後は情報記録再生部１４１は追記形情報記憶媒体上の何処に到達したか知るために必ずデータＩＤを再生し、データフレーム番号９２２を解読する必要が有る。データＩＤ内にはデータフレーム番号９２２の近くに領域タイプ情報９３５が有るため、同時にこの領域タイプ情報９３５を解読するだけで情報記録再生部１４１がデータリードアウト領域ＤＴＬＤＯ内に居るか否かが即座に分かるため、アクセス制御の簡素化と高速化を図ることが出来る。上述したようにターミネーター領域ＴＲＭのデータＩＤ内設定によりデータリードアウト領域ＤＴＬＤＯの識別情報を持たせる事でターミネーター領域ＴＲＭ検出が容易となる。
【０１３１】
特例としてもし最後のボーダーアウトＢＲＤＯがデータリードアウトＮＤＴＬＤＯの属性として設定された場合（すなわち、ボーダーアウトＢＲＤＯ領域内のデータフレームのデータＩＤ内の領域タイプ情報９３５を“１０ｂ”に設定した場合）には、このターミネーター領域ＴＲＭの設定は行わない。従って、データリードアウトＮＤＴＬＤＯの属性を持ったターミネーター領域ＴＲＭが記録されると、このターミネーター領域ＴＲＭがデータリードアウト領域ＮＤＴＬＤＯの一部と見なされるためデータ領域ＤＴＡへの記録が不可能となり、図２０（ｃ）のように使用禁止領域９１１として残る場合が有る。
【０１３２】
本実施形態ではターミネーター領域ＴＲＭのサイズを追記形情報記憶媒体上の位置により変える事でファイナライズ時間の短縮化と処理の効率化を図っている。このターミネーター領域ＴＲＭは記録データの最後位置を示すだけでなく、ＤＰＤ方式でトラックずれ検出を行う再生専用装置に使用した場合でもトラックずれによるオーバーランを防止するためにも利用されている。従って、このターミネーター領域ＴＲＭの追記形情報記憶媒体上での半径方向の幅（ターミネーター領域ＴＲＭで埋められた部分の幅）としては、再生専用装置の検出特性の関係から最低でも０．０５ｍｍ以上の長さが必要となる。追記形情報記憶媒体上での１周の長さは半径位置により異なるため、１周内に含まれる物理セグメントブロック数が半径位置で異なる。そのため、半径位置すなわち、ターミネーター領域ＴＲＭ内最初に位置する物理セクタの物理セクタ番号によりターミネーター領域ＴＲＭのサイズが異なり、外周側に行くに従ってターミネーター領域ＴＲＭのサイズが大きくなっている。許容されるターミネーター領域ＴＲＭの物理セクタ番号の最小値は“０４ＦＥ００ｈ”より大きい必要がある。これは前述したように最初のボーダー内領域ＢＲＤＡ＃１は４０８０個以上の物理セグメントブロックで構成され、追記形情報記憶媒体上の半径方向で最初のボーダー内領域ＢＲＤＡ＃１が１．０ｍｍ以上の幅を持っている必要が有るための制約条件から来る。ターミネーター領域ＴＲＭは物理セグメントブロックの境界位置から開始する必要が有る。
【０１３３】
図２０（ｄ）では前述したのと同じ理由から各情報が記録される場所が１物理セグメントブロックサイズ毎に設定され、各１個の物理セグメントブロック内に３２個の物理セクタ内に分散記録された合計６４ＫＢのユーザデータが記録される。それぞれの情報に対して図２０（ｄ）に示すように相対的な物理セグメントブロック番号が設定されており、相対的な物理セグメントブロック番号の若い順に追記形情報記憶媒体に各情報が順次記録される形になっている。図２０に示した実施形態では図１９（ｄ）の記録位置管理ゾーンへの記録内容のコピー情報記録領域Ｃ_ＲＭＺ内に同一内容であるＲＭＤのコピーＣＲＭＤ＃０〜＃４が５回多重書きされている。このように多重書きする事で再生時の信頼性を向上させ、追記形情報記憶媒体上にゴミや傷が付いても安定して記録位置管理ゾーンへの記録内容のコピー情報ＣＲＭＤを再生できる。図２０（ｄ）におけるボーダー終了目印ＳＴＢは図１９（ｄ）のボーダー終了用目印ＳＴＢと一致しているが、図２０（ｄ）の実施形態では図１９（ｄ）の実施形態に示すような次のボーダーを示す目印ＮＢＭを持た無い。リザーブ領域９０１、９０２内でのメインデータの情報は全て“００ｈ”に設定する。
【０１３４】
ボーダーインＢＲＤＩの最初にはアップデートされた物理フォーマット情報Ｕ_ＰＦＩとして全く同じ情報が相対的な物理セグメントブロック番号としてＮ＋１からＮ＋６まで６回多重書きされ、図１９のアップデートされた物理フォーマット情報Ｕ_ＰＦＩを構成している。このようにアップデートされた物理フォーマット情報Ｕ_ＰＦＩを多重書きする事で情報の信頼性を向上させている。
【０１３５】
図２０（ｄ）ではボーダーゾーン内の記録位置管理ゾーンＲＭＺをボーダーインＢＲＤＩ内に持たせた所に大きな特徴がある。図１７に示すようにデータリードイン領域ＤＴＬＤＩ内の記録位置管理ゾーンＲＭＺのサイズが比較的小さく、新たなボーダー内領域ＢＲＤＡの設定を頻繁に繰り返すと記録位置管理ゾーンＲＭＺ内に記録される記録位置管理データＲＭＤが飽和し、途中で新たなボーダー内領域ＢＲＤＡの設定が不可能になってしまう。図２０（ｄ）の実施形態のようにボーダーインＢＲＤＩ内にその後に続くボーダー内領域ＢＲＤＡ＃３内に関する記録位置管理データＲＭＤを記録する記録位置管理ゾーンを設けた事により、新たなボーダー内領域ＢＲＤＡの設定を多数回行えると共にボーダー内領域ＢＲＤＡ内での追記回数を大幅に増やせると言う効果が生まれる。このボーダーゾーン内の記録位置管理ゾーンＲＭＺが含まれるボーダーインＢＲＤＩに続くボーダー内領域ＢＲＤＡ＃３がクローズされるかデータ領域ＤＴＡがファイナライズされる場合には、記録位置管理ゾーンＲＭＺ内の未記録状態にある予約領域２７３内全てに対して最後の記録位置管理データＲＭＤを繰り返し記録して全て埋める必要が有る。これにより、未記録状態の予約領域２７３を無くし、再生専用装置での再生時の（ＤＰＤによる）トラック外れを防止すると共に記録位置管理データＲＭＤの多重記録により記録位置管理データＲＭＤの再生信頼性を向上させる事ができる。リザーブ領域９０３の全てのデータを“００ｈ”に設定している。
【０１３６】
ボーダーアウトＢＲＤＯはＤＰＤを前提とした再生専用装置でのトラック外れによるオーバーラン防止の役割が有るが、ボーダーインＢＲＤＩ内はアップデートされた物理フォーマット情報Ｕ_ＰＦＩとボーダーゾーン内の記録位置管理ゾーンＲＭＺの情報を持つ以外は特に大きなサイズを持つ必要が無い。従って、新たなボーダー内領域ＢＲＤＡ設定時の（ボーダーゾーンＢＲＤＺ記録に必要な）時間短縮の意味からなるべくサイズを小さくしたい。図２０（ａ）に対してボーダークローズによるボーダーアウトＢＲＤＯ形成前の時には、ユーザデータの追記可能範囲２０５は充分広く追記回数も多く行われる可能性が高いので、ボーダーゾーン内の記録位置管理ゾーンＲＭＺには多数回記録位置管理データが記録できるように図２０（ｄ）の“Ｍ”の値を大きく取っておく必要が有る。それに比べて、図２０（ｂ）に対してボーダー内領域ＢＲＤＡ＃２をボーダークローズする前でボーダーアウトＢＲＤＯを記録する前の状態では、ユーザデータの追記可能範囲２０５が狭まっているのでボーダーゾーン内の記録位置管理ゾーンＲＭＺ内に追記される記録位置管理データの追記回数もそれ程多くはならないと考えられる。従って、ボーダー内領域ＢＲＤＡ＃２の直前にあるボーダーインＢＲＤＩ内の記録位置管理ゾーンＲＭＺの設定サイズ“Ｍ”は相対的に小さく取れる。すなわち、ボーダーインＢＲＤＩが配置される場所が内周側の方が記録位置管理データの追記予想回数が多く、外周に行くに従って記録位置管理データの追記予想回数が少なくなるので、ボーダーインＢＲＤＩサイズが外周側で小さくすると言う特徴を持たせている。その結果、新ボーダー内領域ＢＲＤＡ設定時間の短縮化と処理効率化が図れる。
【０１３７】
図１９（ｃ）に示すボーダー内領域ＢＲＤＡ内に記録する情報の論理的な記録単位をＲゾーン（R Zone）と呼ぶ。従って、１個のボーダー内領域ＢＲＤＡ内には少なくとも１個以上のＲゾーンから構成されている。現行のＤＶＤ−ＲＯＭではファイルシステムにＵＤＦ（Universal Disc Format）に準拠したファイル管理情報とＩＳＯ９６６０に準拠したファイル管理情報の両方が同時に１枚の情報記憶媒体内に記録される“ＵＤＦブリッジ”というファイルシステムを採用している。ＩＳＯ９６６０に準拠したファイル管理方法では１個のファイルが情報記憶媒体内に必ず連続して記録されなければならない決まりが有る。すなわち、１個のファイル内の情報が情報記憶媒体上に離散的な位置に分割配置する事を禁止している。従って、例えば、上記ＵＤＦブリッジに準拠して情報が記録された場合、１個のファイルを構成する全情報が連続的に記録されるので、この１個のファイルが連続して記録される領域が１個のＲゾーンを構成するように適応させる事もできる。
【０１３８】
図２１に制御データゾーンＣＤＺとＲ物理情報ゾーンＲＩＺ内のデータ構造を示す。図２１（ｂ）に示すように制御データゾーンＣＤＺ内には物理フォーマット情報（Physical Format Information）ＰＦＩと媒体製造関連情報（Disc Manufacturing Information）ＤＭＩが存在し、Ｒ物理情報ゾーンＲＩＺ内には同じく媒体製造関連情報（Disc Manufacturing Information）ＤＭＩとＲ物理フォーマット情報（R-Physical Format Information）Ｒ_ＰＦＩから構成される。
【０１３９】
媒体製造関連情報ＤＭＩ内は媒体製造国名に関する情報２５１と媒体メーカー所属国情報２５２が記録されている。販売された情報記憶媒体が特許侵害している時に製造場所が有る国内または情報記憶媒体を消費して（使って）いる国内に対して侵害警告を掛ける場合が多い。情報記憶媒体内に前記の情報の記録を義務付ける事で製造場所（国名）が判明し、特許侵害警告が掛け易くする事で知的財産が保証され技術の進歩が促進される。更に、媒体製造関連情報ＤＭＩ内はその他媒体製造関連情報２５３も記録されている。
【０１４０】
物理フォーマット情報ＰＦＩまたはＲ物理フォーマット情報Ｒ_ＰＦＩ内には記録場所（先頭からの相対的なバイト位置）により記録される情報の種類が規定されている所に本実施形態の特徴が有る。すなわち、物理フォーマット情報ＰＦＩまたはＲ物理フォーマット情報Ｒ_ＰＦＩ内の記録場所として０バイト目から３１バイト目までの３２バイトの領域にはＤＶＤファミリー内の共通情報２６１が記録され、３２バイト目から１２７バイト目までの９６バイトが本実施形態の対象となっているＨＤ  ＤＶＤファミリー内の共通な情報２６２が記録され、１２８バイト目から５１１バイト目までの３８４バイトが各規格書タイプやパートバージョンに関するそれぞれ独自な情報（固有情報）２６３が記録され、５１２バイト目から２０４７バイト目までの１５３６バイトが各リビジョンに対応した情報が記録される。このように情報内容により物理フォーマット情報内の情報配置位置を共通化する事で媒体の種類に依らず記録されている情報の場所が共通化されているので、情報再生装置あるいは情報記録再生装置の再生処理の共通化と簡素化が図れる。０バイト目から３１バイト目までに記録されているＤＶＤファミリー内の共通情報２６１は図２１（ｄ）に示すように更に、０バイト目から１６バイト目までに記録されている再生専用形情報記憶媒体と書替え形情報記憶媒体、追記形情報記憶媒体の全てに共通に記録して有る情報２６７と１７バイト目から３１バイト目までに書替え形情報記憶媒体と追記形情報記憶媒体には共通に記録され再生専用形では記録されて無い情報２６８に分かれる。
【０１４１】
次に、図２１（ｃ）に示した１２８バイト目から５１１バイト目までの各規格書のタイプとバージョンの固有情報２６３の意味と５１２バイト目から２０４７バイト目までの各リビジョン毎に固有に設定できる情報内容２６４の意味について説明する。５１２バイト目から２０４７バイト目までの各リビジョン毎に固有に設定できる情報内容２６４としてはタイプが異なる書替え形情報記憶媒体と追記形情報記憶媒体との違いのみならず同じ種類の媒体においてもリビジョンが異なると各バイト位置での記録情報内容の意味が異なる事を許容する。
【０１４２】
具体的な情報記録再生装置の実装方法を以下に説明する。規格書（バージョンブック）あるいはリビジョンブックで“Ｈ→Ｌ”記録膜からの再生信号特性と“Ｌ→Ｈ”記録膜からの再生信号特性の両方を併記し、それに対応して図１８のＰＲ等化回路１３０とビタビ復号器１５６内に２通りずつの対応回路を用意しておく。情報再生部１４１内に情報記憶媒体を装着すると、まず始めにシステムリードイン領域ＳＹＬＤＩ内の情報を読むためのスライスレベル検出回路１３２を起動させる。このスライスレベル検出回路１３２で、１９２バイト目に記録された記録マークの極性（“Ｈ→Ｌ”か“Ｌ→Ｈ”かの識別）情報を読み取った後“Ｈ→Ｌ”か“Ｌ→Ｈ”かの判別を行い、それに合わせてＰＲ等化回路１３０とビタビ復号器１５６内の回路を切り替えた後に、データリードイン領域ＤＴＬＤＩまたはデータ領域ＤＴＡ内に記録されている情報を再生する。上記の方法により比較的早くしかも精度良くデータリードイン領域ＤＴＬＤＩまたはデータ領域ＤＴＡ内の情報を読む事が出来る。１７バイト目に最高記録速度を規定したリビジョン番号情報と１８バイト目に最低記録速度を規定したリビジョン番号情報が記載されているが、前記の情報は最高と最低を規定した範囲情報でしかない。最も安定に記録する場合には記録時に最適な線速情報が必要となるので、その情報が１９３バイト目に記録されている。
【０１４３】
各リビジョン毎に固有に設定できる情報内容２６４内に含まれる各種の記録条件（ライトストラテジ）情報に先立つ位置に光学系条件情報として１９４バイト目の円周方向に沿った光学系のリムインテンシティ値と１９５バイト目の半径方向に沿った光学系のリムインテンシティ値の情報が配置されている所に本実施形態の次の大きな特徴が有る。これらの情報は後ろ側に配置される記録条件を割り出す時に使用した光学ヘッドの光学系の条件情報を意味している。リムインテンシティとは情報記憶媒体の記録面上に集光する前に対物レンズに入射する入射光の分布状況を意味し、
『入射光強度分布の中心強度を“１”とした時の対物レンズ周辺位置（瞳面外周位置）での強度値』
で定義される。対物レンズへの入射光強度分布は点対称ではなく、楕円分布をし、情報記憶媒体の半径方向と円周方向でリムインテンシティ値が異なるので２通りの値が記録される。リムインテンシティ値が大きいほど情報記憶媒体の記録面上での集光スポットサイズが小さくなるので、このリムインテンシティ値により最適な記録パワー条件が大きく変わる。情報記録再生装置は自分が持っている光学ヘッドのリムインテンシティ値情報を事前に知っているので、まず情報記憶媒体内に記録されている円周方向と半径方向に沿った光学系のリムインテンシティ値を読み取り、自分が持っている光学ヘッドの値と比較する。比較した結果に大きな違いが無ければ後ろ側に記録されている記録条件を適用できるが、比較した結果で大きな食い違いが有れば後ろ側に記録されている記録条件を無視し、ドライブテストゾーンＤＲＴＺを利用して記録再生装置自ら試し書きをしながら最適な記録条件の割り出しを始める必要が有る。
【０１４４】
このように後ろ側に記録されている記録条件を利用するか、その情報を無視して自ら試し書きをしながら最適な記録条件の割り出しを始めるかの判断を早急に行う必要が有る。推奨される記録条件が記録されている位置に対する先行位置にその条件を割り出した光学系の条件情報を配置する事で、まず始めにそのリムインテンシティ情報を読み取る事が出来、後に配置される記録条件の適合可否を高速に判定出来ると言う効果が有る。
【０１４５】
上述したように本実施形態では大きく内容が変更に、なった時にバージョンを変更させる規格書（バージョンブック）と記録速度など小変更に、対応してリビジョンを変更して発行するリビジョンブックに分け、記録速度が向上する毎にリビジョンのみを更新したリビジョンブックのみを発行できるようにしている。従って、リビジョン番号が異なるとリビジョンブック内の記録条件が変化するので、記録条件（ライトストラテジ）に関する情報が主にこの５１２バイト目から２０４７バイト目までの各リビジョン毎に固有に設定できる情報内容２６４の中に記録される。
【０１４６】
追記形情報記憶媒体において、データリードイン領域ＤＴＬＤＩ内のＲ物理情報ゾーンＲＩＺ内に記録されたＲ物理フォーマット情報（R-physical format information）は物理フォーマット情報ＰＦＩ（ＨＤ  ＤＶＤファミリーの共通情報のコピー）にボーダーゾーンの開始位置情報（First borderの最外周アドレス）が付加されて記録されている。図１９（ｄ）または図２０（ｄ）に示すボーダーインＢＲＤＩ内のアップデートされた物理フォーマット情報Ｕ_ＰＦＩ内には物理フォーマット情報ＰＦＩ（ＨＤ  ＤＶＤファミリーの共通情報のコピー）にアップデートされた開始位置情報（自己borderの最外周アドレス）が付加されて記録されている。アップデートされた開始位置情報もボーダーゾーンの開始位置情報と同様にピークパワーやバイアスパワー１など記録条件に関する情報（各リビジョン毎に固有に設定できる情報内容２６４）よりも先行した位置で有り、かつＤＶＤファミリー内の共通情報２６２よりも後の位置である２５６バイト目から２６３バイト目に配置される。
【０１４７】
ボーダーゾーンの開始位置情報に関する具体的な情報内容は２５６バイト目から２５９バイト目に現在使用している（カレントの）ボーダー内領域ＢＲＤＡの外側にあるボーダーアウトＢＲＤＯの開始位置情報が物理セクタ番号（ＰＳＮ：Physical Sector Number）あるいは物理セグメント番号（ＰＳＮ：Physical Segment Number）で記載され、２６０バイト目から２６３バイト目には次に使用されるボーダー内領域ＢＲＤＡに関するボーダーインＢＲＤＩの開始位置情報が物理セクタ番号あるいは物理セグメント番号（ＰＳＮ）で記載されている。
【０１４８】
アップデートされた開始位置情報に関する具体的な情報内容はボーダー内領域ＢＲＤＡが新たに設定された場合の最新のボーダーゾーン位置情報を示し、２５６バイト目から２５９バイト目に現在使用している（カレントの）ボーダー内領域ＢＲＤＡの外側にあるボーダーアウトＢＲＤＯの開始位置情報が物理セクタ番号あるいは物理セグメント番号（ＰＳＮ）で記載され、２６０バイト目から２６３バイト目には次に使用されるボーダー内領域ＢＲＤＡに関するボーダーインＢＲＤＩの開始位置情報が物理セクタ番号あるいは物理セグメント番号（ＰＳＮ）で記載されている。次のボーダー内領域ＢＲＤＡが記録不可能な場合には、ここ（２６０バイト目から２６３バイト目）は全て“００ｈ”で埋められる。
【０１４９】
これに対して、追記形情報記憶媒体のＲ物理フォーマット情報Ｒ_ＰＦＩ内では該当するボーダー内領域ＢＲＤＡの中での既記録データの最後の位置情報が記録される。
【０１５０】
更に、再生専用形情報記憶媒体内では再生側光学系から見た手前の層である“０層”内での最後のアドレス情報と書替え形情報記憶媒体内ではランド領域とグルーブ領域間の各開始位置情報の差分値の情報も記録されている。
【０１５１】
図１９（ｄ）に示すように記録位置管理ゾーンＲＭＺのコピー情報が記録位置管理ゾーンへの記録内容のコピー情報Ｃ_ＲＭＺとしてボーダーアウトＢＲＤＯ内にも存在している。この記録位置管理ゾーンＲＭＺの中は図１７（ｂ）に示すように１物理セグメントブロックサイズと同じデータサイズを持った記録位置管理データ（Recording Management Data）ＲＭＤが記録され、その記録位置管理データＲＭＤの内容が更新される毎に更新された新たな記録位置管理データＲＭＤとして順次後ろに追記可能な形になっている。記録位置管理データＲＭＤ内は更に、１個が２０４８バイトサイズの細かなＲＭＤフィールド情報ＲＭＤＦに分割されている。記録位置管理データＲＭＤ内の最初の２０４８バイトはリザーブ領域になっている。
【０１５２】
次の２０４８バイトサイズのＲＭＤフィールド０には記録位置管理データフォーマットコード情報、対象の媒体が(1)未記録状態か、(2)ファイナライズ前の記録途中か、(3)ファイナライズ後かのいずれかで有るかを示す媒体状態情報、ユニークディスクＩＤ（ディスク識別情報）、データ領域ＤＴＡの配置位置情報と最新の（更新された）データ領域ＤＴＡの配置位置情報、記録位置管理データＲＭＤの配置位置情報が順次配置されている。データ領域ＤＴＡの配置位置情報の中には初期状態でのユーザデータの追記可能範囲を示す情報としてデータ領域ＤＴＡの開始位置情報と初期時におけるユーザデータの記録可能範囲の最終位置情報が記録される。
【０１５３】
図１８に示した情報再生装置または情報記録再生装置ではウォブル信号検出部１３５でプッシュプル信号を用いたトラックずれ検出を兼用している。トラックずれ検出回路（ウォブル信号検出部１３５）では上記プッシュプル信号 (I1-I2)ＰＰ/(I1+I2)ＤＣ の値として ０.１≦ (I1-I2)ＰＰ/(I1+I2)ＤＣ ≦０.８ の範囲で安定にトラックずれ検出が行え、特に “Ｈ→Ｌ”記録膜 に対しては ０.２６≦ (I1-I2)ＰＰ/(I1+I2)ＤＣ ≦０.５２ の範囲、“Ｌ→Ｈ”記録膜 に対しては ０.３０≦ (I1-I2)ＰＰ/(I1+I2)ＤＣ ≦０.６０ の範囲で一層安定にトラックずれ検出が行える。
【０１５４】
従って本実施形態において、プッシュプル信号は ０.１≦ (I1-I2)ＰＰ/(I1+I2)ＤＣ ≦０.８ の範囲（好ましくは“Ｈ→Ｌ”記録膜 に対しては ０.２６≦ (I1-I2)ＰＰ/(I1+I2)ＤＣ ≦０.５２ の範囲、“Ｌ→Ｈ”記録膜 に対しては ０.３０≦ (I1-I2)ＰＰ/(I1+I2)ＤＣ ≦０.６０ の範囲）に入るように情報記憶媒体特性を規定している。上記の範囲はデーターリードイン領域ＤＴＬＤＩまたはデーター領域ＤＴＡ、データーリードアウト領域ＤＴＬＤＯにおける既記録場所（記録マークが存在する場所）と未記録場所（記録マークが存在しない場所）の両方において成り立つように規定しているが、本実施形態はそれに限らず例えば既記録場所（記録マークが存在する場所）のみで成り立つまたは未記録場所（記録マークが存在しない場所）のみで成り立つように規定することもできる。
【０１５５】
本実施形態において追記形情報記憶媒体ではプリグルーブ領域上をトラッキングする（プリグルーブ領域上に記録マークを形成する）ので、このオントラック信号とはプリグルーブ領域上をトラッキングした時の検出信号レベルを意味している。すなわち上記オントラック情報とは、例えば図２７（ｂ）に示されたトラックループＯＮ時の未記録領域の信号レベル (Iot)groove を意味している。ただし、本発明においてプリグルーブ領域にしか記録マークを形成できないことを意味せず、プリグルーブ領域の間に記録マークを形成することも可能であり、その場合「groove」を「land」として読み替えればよい。
【０１５６】
Ｒ物理フォーマット情報Ｒ_ＰＦＩにおいてはデータ領域ＤＴＡの開始位置情報を現す物理セクタ番号（030000h）が記録されるとともに、該当するボーダー内領域の中での最後のＲゾーン内で最後に記録された場所を示す物理セクタ番号が記録される。
【０１５７】
アップデートされた物理フォーマット情報Ｕ_ＰＦＩ内では、データ領域ＤＴＡの開始位置情報をあらわす物理セクタ番号（030000h）と、該当するボーダー内領域の中での最後のＲゾーン内で最後に記録された場所を示す物理セクタ番号が記録される。
【０１５８】
これらの位置情報は物理セクタ番号で記述する代わりに、他の実施形態としてＥＣＣブロックアドレス番号で記述する事も可能となる。後述するように本実施形態では３２セクタで１ＥＣＣブロックを構成する。従って、特定のＥＣＣブロック内の先頭に配置されたセクタの物理セクタ番号の下位５ビットは隣接するＥＣＣブロック内の先頭位置に配置されたセクタのセクタ番号と一致する。ＥＣＣブロック内の先頭に配置されたセクタの物理セクタ番号の下位５ビットが“０００００”になるように物理セクタ番号を設定した場合には、同一ＥＣＣブロック内に存在する全てのセクタの物理セクタ番号の下位６ビット目以上の値が一致する。従って、上記同一ＥＣＣブロック内に存在するセクタの物理セクタ番号の下位５ビットデータを除去し、下位６ビット目以上のデータのみを抽出したアドレス情報をＥＣＣブロックアドレス情報（またはＥＣＣブロックアドレス番号）と定義する。後述するように、ウォブル変調により予め記録されたデータセグメントアドレス情報（または物理セグメントブロック番号情報）は上記ＥＣＣブロックアドレスと一致するので、記録位置管理データＲＭＤ内の位置情報をＥＣＣブロックアドレス番号で記述すると
（１）特に未記録領域へのアクセスが高速化する
…  記録位置管理データＲＭＤ内の位置情報単位とウォブル変調により予め記録されたデータセグメントアドレスの情報単位が一致するため差分の計算処理が容易となるため
（２）記録位置管理データＲＭＤ内の管理データサイズを小さくできる
…  アドレス情報記述に必要なビット数が１アドレス当たり５ビット節約できるため
と言う効果が生まれる。後述するように１物理セグメントブロック長は１データセグメント長に一致し、１データセグメント内に１ＥＣＣブロック分のユーザデータが記録される。従って、アドレスの表現として“ＥＣＣブロックアドレス番号”とか“ＥＣＣブロックアドレス”あるいは“データセグメントアドレス”、“データセグメント番号”、“物理セグメントブロック番号”などの表現を行うが、これらは全て同義語の意味を持つ。
【０１５９】
ＲＭＤフィールド０内に有る記録位置管理データＲＭＤの配置位置情報には、この記録位置管理データＲＭＤを内部に順次追記できる記録位置管理ゾーンＲＭＺの設定されたサイズ情報がＥＣＣブロック単位または物理セグメントブロック単位で記録されている。図１７（ｂ）に示したように、１個の記録位置管理ゾーンＲＭＤが１個の物理セグメントブロック毎に記録されているので、この情報で記録位置管理ゾーンＲＭＺの中に何回更新（アップデート）された記録位置管理データＲＭＤが追記できるかが分かる。その次には記録位置管理ゾーンＲＭＺ内での現在の記録位置管理データ番号が記録される。これは記録位置管理ゾーンＲＭＺ内で既に記録された記録位置管理データＲＭＤの数情報を意味している。例えば、図１７（ｂ）に示す例として今この情報が記録位置管理データＲＭＤ＃２内の情報だとすると、この情報は記録位置管理ゾーンＲＭＺ内で２番目に記録された記録位置管理データＲＭＤなので、“２”の値がこの欄の中に記録される。その次には記録位置管理ゾーンＲＭＺ内での残量情報が記録される。この情報は記録位置管理ゾーンＲＭＺ内での更に追加可能な記録位置管理データＲＭＤ数の情報を意味し、物理セグメントブロック単位（＝ＥＣＣブロック単位＝データセグメント単位）で記述される。上記３情報の間には
［ＲＭＺの設定されたサイズ情報］
＝［現在の記録位置管理データ番号］＋［ＲＭＺ内での残量］
の関係が成立する。記録位置管理ゾーンＲＭＺ内の記録位置管理データＲＭＤの既使用量または残量情報を記録位置管理データＲＭＤの記録領域内に記録する所に本実施形態の特徴が有る。
【０１６０】
例えば、１枚の追記形情報記憶媒体に１回で全ての情報を記録する場合には、記録位置管理データＲＭＤは１回だけ記録すれば良いが、１枚の追記形情報記憶媒体に非常に細かくユーザデータの追記を繰り返して記録したい場合には、追記毎に更新された記録位置管理データＲＭＤも追記する必要が有る。この場合、頻繁に記録位置管理データＲＭＤを追記すると、図１７（ｂ）に示す予約領域２７３が無くなってしまい、情報記録再生装置としてはそれに対する善処が必要となる。従って、記録位置管理ゾーンＲＭＺ内の記録位置管理データＲＭＤの既使用量または残量情報を記録位置管理データＲＭＤの記録領域内に記録する事で記録位置管理ゾーンＲＭＺ領域内の追記不可能な状態が事前に分かり情報記録再生装置の早めの対処が可能となる。
【０１６１】
図１８に示した情報記録再生装置で新たに拡張ドライブテストゾーンＥＤＲＴＺ（図２０、図１９）を設定し、そこに試し書きを行う処理方法の一例について説明する。
【０１６２】
（１）追記形情報記憶媒体を情報記録再生装置に装着する
→（２）情報記録再生部１４１でバーストカッティング領域ＢＣＡに形成されたデータを再生し、制御部１４３へ送る→制御部１４３内で転送された情報を解読し、次のステップへ進めるか判定する
→（３）情報記録再生部１４１でシステムリードイン領域ＳＹＬＤＩ内の制御データゾーンＣＤＺに記録されて有る情報を再生し、制御部１４３へ転送する
→（４）制御部１４３内で推奨記録条件を割り出した時のリムインテンシティの値と情報記録再生部１４１で使われている光学ヘッドのリムインテンシティの値を比較し、試し書きに必要な領域サイズを割り出す
→（５）情報記録再生部１４１で記録位置管理データ内の情報を再生し、制御部１４３へ送る。制御部ではＲＭＤフィールド４内の情報を解読し、（４）で割り出した試し書きに必要な領域サイズの余裕の有無を判定し、余裕が有る場合には（６）へ進み、余裕が無い場合には（９）へ進む
→（６）ＲＭＤフィールド４内から試し書きに使用するドライブテストゾーンＤＲＴＺまたは拡張ドライブテストゾーンＥＤＲＴＺ内の既に試し書きに使用した場所の最後の位置情報から今回試し書きを開始する場所を割り出す
→（７）  （６）で割り出した場所から（４）で割り出したサイズ分試し書きを実行する
→（８）  （７）の処理により試し書きに使用した場所が増えたので、既に試し書きに使用した場所の最後の位置情報を書き替えた記録位置管理データＲＭＤをメモリー部１７５に一時保存し、（１２）へ進む
→（９）ＲＭＤフィールド０に記録されて有る“最新のユーザデータの記録可能範囲２０５の最終位置”の情報または物理フォーマットＰＦＩ内のデータ領域ＤＴＡの配置場所情報内に記録されている“ユーザデータの追記可能範囲の最後の位置情報”を情報記録再生部１４１で読み取り、制御部１４３内で更に、新たに設定する拡張ドライブテストゾーンＥＤＲＴＺの範囲を設定する
→（１０）  (９)の結果に基付きＲＭＤフィールド０に記録されて有る“最新のユーザデータの記録可能範囲２０５の最終位置”の情報を更新すると共にＲＭＤフィールド４内の拡張ドライブテストゾーンＥＤＲＴＺの追加設定回数情報を１だけインクリメント（回数を１だけ加算）し、さらに新たに設定する拡張ドライブテストゾーンＥＤＲＴＺの開始／終了位置情報を付け加えた記録位置管理データＲＭＤをメモリー部１７５に一時保存する
→（１１）  →（７）→（１２）へ移動する
→（１２）  （７）で行った試し書きの結果得られた最適な記録条件でユーザデータの追記可能範囲２０５内に必要なユーザ情報を追記する
→（１３）  （１２）に対応して新たに発生したＲゾーン内の開始/終了位置情報を追記して更新された記録位置管理データＲＭＤをメモリー部１７５に一時保存する
→（１４）制御部１４３が制御して情報記録再生部１４１がメモリー部１７５に一時保存されている最新の記録位置管理データＲＭＤを記録位置管理ゾーンＲＭＺ内の予約領域２７３（例えば、図１７（ｂ））内に追加記録する
本実施形態に示す追記形情報記憶媒体において最後に記録された位置を示す物理セクタ番号あるいは物理セグメント番号（ＰＳＮ）の情報は“最後に設定を行った拡張記録位置管理ゾーンＲＭＺ内の最後に記録された記録位置管理データＲＭＤ”内の情報から得る事が出来る。すなわち記録位置管理データＲＭＤ内にはＲＭＤフィールド７以降に記載されているｎ番目の“完結形Ｒゾーン（ Complete R Zone ）”の終了位置情報（物理セクタ番号）または“ｎ番目のＲゾーン内最後の記録位置を表す物理セクタ番号ＬＲＡ”の情報があるので、最後に設定された拡張ＲＭＺ内の最後に記録された記録位置管理データＲＭＤ（例えば図１７（ｂ）のＲＭＤ＃３参照）内から最後に記録された場所の物理セクタ番号あるいは物理セグメント番号（ＰＳＮ）を読取り、その結果から最後に記録された場所を知ることができる。
【０１６３】
情報再生装置ではトラックずれ検出に Push-Pull 法では無くＤＰＤ（ Differencital Phase Detection ）法を用いるためにエンボスピットまたは記録マークが存在する領域しかトラッキング制御が行えない。そのため情報再生装置は追記形情報記憶媒体の未記録領域へアクセスすることができず、未記録領域を含むＲＭＤディプリケーションゾーンＲＤＺ内の再生が不可能となる。そのため、その中に記録されている記録位置管理データＲＭＤを再生できない。その代わり情報再生装置は物理フォーマット情報ＰＦＩおよびＲ物理情報ゾーンＲ−ＰＦＩＺとアップデートされた物理フォーマット情報ＵＰＦＩを再生することができるので、最後に記録された場所を探すことができる。
【０１６４】
情報再生装置ではシステムリードイン領域ＳＹＬＤＩ内の情報再生を行った後、Ｒ物理情報ゾーンＲ−ＰＦＩＺ内に記録された既情報データ最後の位置情報（表３内に記載された“該当するボーダー内領域中の最後のＲゾーン内で最後に記録された場所を示す物理セクタ番号”情報）を読取る。その結果、ボーダー内領域ＢＲＤＡ＃１の最後の場所を知る事ができ、その直後に配置されたボーダーアウトＢＲＤＯの位置を確認した後、その直後に記録されたボーダーインＢＲＤＩ内に記録されたアップデートされた物理フォーマットＵＰＦＩの情報を読み取る事が出来る。
【表３】
2008010129.tif 000006
【０１６５】
表３内に記載された“該当するボーダー内領域中の最後のＲゾーン内で最後に記録された場所を示す物理セクタ番号”を利用する前記方法の代わりに、“ボーダーゾーンの開始位置（図２０（ｃ）から分かるように、この開始位置はボーダーアウトＢＲＤＯの開始位置を意味する）を示す物理セクタ番号ＰＳＮ”の情報を用いてボーダーアウトＢＲＤＯの開始位置へアクセスしても良い。
【０１６６】
次に、既記録データの最後の位置にアクセスし、アップデートされた物理フォーマット情報ＵＦＰＩ内の既記録データの最後の位置情報（表３）を読取る。アップデートされた物理フォーマット情報内に記録された「最後に記録された物理セクタ番号あるいは物理セグメント番号（ＰＳＮ）の情報」を読取り、そしてその情報に基づき最後に記録された物理セクタ番号あるいは物理セグメント番号（ＰＳＮ）までアクセスするという処理を、最後のＲゾーン内の最後に記録された物理セクタ番号ＰＳＮに到達するまで繰り返す。すなわちアクセス後に到達して情報を読取っている場所が、本当に最後のＲゾーン内の最後に記録された位置かを判断し、最後に記録された位置でない場合には上記のアクセス処理を繰り返す。Ｒ物理情報ゾーンＲ-ＰＦＩＺ内と同様、本実施形態ではアップデートされた物理フォーマット情報ＵＰＦＩ内の“ボーダーゾーンの開始位置を示すアップデートされた物理セクタ番号あるいは物理セグメント番号（ＰＳＮ）の情報を利用してボーダーゾーン（ボーダーインＢＲＤＩ）内に記録されているアップデートされた物理フォーマット情報ＵＰＦＩの記録位置を検索しても良い。
【０１６７】
最後のＲゾーン内の最後に記録された物理セクタ番号（あるいは物理セグメント番号）の位置を発見すると、情報再生装置は直前のボーダーアウトＢＲＤＯの位置から再生を行う。その後ＳＴ４６に示すように、最後のボーダー内領域ＢＲＤＡ内を先頭から逐次再生しながら最後に記録された位置に到達する。その後、最後のボーダーアウトＢＲＤＯ位置の確認を行う。本実施形態に示す追記形情報記憶媒体では上記最後のボーダーアウトＢＲＤＯの外側にはデーターリードアウトＤＴＬＤＯ位置まで記録マークが記録されて無い未記録領域が続く。情報再生装置は追記形情報記憶媒体上の未記録領域ではトラッキングが行われず、またそこでは物理セクタ番号ＰＳＮの情報も記録されて無いので、上記最後のボーダーアウトＢＲＤＯ以降の位置での再生は不可能となる。そのため、最後のボーダーアウト位置まで到達するとアクセス処理と連続再生処理は終了する。
【０１６８】
記録位置管理データＲＭＤ内の情報内容の更新を行うタイミング（更新条件）に付いて表２を用いて説明する。記録位置管理データＲＭＤの情報を更新する条件は、５種類存在する。
【表４】
2008010129.tif 000007
【０１６９】
（条件１ａ）ＲＭＤフィールド“０”内の媒体状態情報（Disc status）が変更される場合
…  但しターミネータ（最後に記録されたボーダーアウトＢＲＤＯの後ろ（外周側）に記録する“終端位置情報”）の記録時には記録位置管理データＲＭＤの更新処理は行わない。
【０１７０】
（条件１ｂ）ＲＭＤフィールド“１”内で特定される内側テストゾーンアドレスあるいは外側テストゾーンアドレス（Inner or outer test zone address）が変更される場合
（条件２）ＲＭＤフィールド“３”内で特定されるところの、ボーダーアウトＢＲＤＯの開始位置情報（Start Physical Sector Number of Boder-out area）またはオープン（追記可能な）状態になっている記録位置管理ゾーンＲＭＺの番号（open Extended RMZ number）が変更される場合
（条件３）ＲＭＤフィールド“４”内で下記のいずれかの情報が変更される場合
(1)未指定状態のＲゾーン数とオープン形Ｒゾーン数と完結形Ｒゾーン数の合計数、あるいは認識できないＲゾーンの番号（Invisible RZone number）
(2)最初のオープン形Ｒゾーンの番号情報（First Open RZone number）
(3)２番目のオープン形Ｒゾーンの番号情報（Second RZone number）
なお、本実施形態において、ＨＤ  ＤＶＤ−Ｒ等の追記形情報記憶媒体に（ディスクドライブにより）一連の情報記録動作を行っている期間中は、ＲＭＤの更新は行わなくて良い。例えば映像情報を録画する場合には連続記録が保障される必要が有る。もし映像情報記録（録画）途中で記録位置管理データＲＭＤの更新を行う（ために記録管理データーＲＭＤ位置までのアクセス制御を行う）と、そこで映像情報の記録が中断されるために連続記録が保障されなくなる。従ってＲＭＤの更新は映像録画が終了後に行われるのが一般的である。しかし一連の映像情報の記録動作が余りにも長期間連続すると、現時点での追記形情報記憶媒体上に最後に記録された場所と、追記形情報記憶媒体に既に記録されている記録位置管理データＲＭＤ内の最後の位置情報が大幅にずれてしまう。この時に連続記録途中の異常現象が発生して情報記録再生装置（ディスクドライブ）を強制終了した場合には“記録位置管理データＲＭＤ内の最後の位置情報”と強制終了直前の記録位置との間の乖離が大きくなり過ぎる。その結果、情報記録再生装置の復旧後に行う“記録位置管理データＲＭＤ内の最後の位置情報”に対する強制終了直前の記録位置に合わせたデーター修復が難しくなる危険性が発生する。そのため本実施形態では下記の更新条件を更に追加する。
【０１７１】
（条件４）最新の記録位置管理データＲＭＤ内に記録されている“Ｒゾーン内での最後の記録位置を示す物理セクタ番号ＬＲＡ”と連続記録中に逐次変化する“現時点におけるＲゾーン内での最後に記録された場所の物理セクタ番号ＰＳＮ”との間の開き（“ＰＳＮ−ＬＲＡ”の差分結果）が８１９２を超えた場合（に記録位置管理データＲＭＤの情報を更新する）
…  但し、上記の“（条件１ｂ）”あるいは“（条件４）”において、記録位置管理ゾーンＲＭＺ内での未記録場所予約領域２７３）のサイズが４物理セグメントブロック分（４×６４ＫＢ）以下の場合には更新を行わない。
【０１７２】
次に拡張記録位置管理ゾーンに付いて説明を行う。記録位置管理ゾーンＲＭＺの配置場所として、本実施形態では下記の３種類を規定している。
【０１７３】
（１）データーリードイン領域DTLDI内の記録位置管理ゾーンＲＭＺ（Ｌ-ＲＭＺ）
図２０（ｂ）から分かるように、本実施形態では最初のボーダー内領域に対応したボーダーインＢＲＤＩをデータリードイン領域ＤＴＬＤＩ内の一部が兼用している。そのため図１７（ａ）に示すように最初のボーダー内領域に対応したボーダーインＢＲＤＩ内に記録されるべき記録位置管理ゾーンＲＭＺがデーターリードイン領域ＤＴＬＤＩ内に予め設定されている。この記録位置管理ゾーンＲＭＺ内の構造は図１７（ｂ）に示すように６４Ｋバイト（１物理セグメントブロックサイズ）毎に、逐次記録位置管理データＲＭＤを追記できるようになっている。
【０１７４】
（２）ボーダーインＢＲＤＩ内の記録位置管理ゾーンＲＭＺ（Ｂ-ＲＭＺ）
本実施形態における追記形情報記憶媒体において、記録された情報を再生専用装置で再生する前には、ボーダークローズ処理が必要となる。一度ボーダークローズされた後に新たな情報を記録する場合には、新たなボーダ内領域ＢＲＤＡを設定する必要がある。この新たなボーダ内領域ＢＲＤＡに先行した位置にボーダーインＢＲＤＩが設定される。ボーダークローズ処理の段階で最新記録位置管理ゾーン内の未記録領域（図１７（ｂ）に示す予約領域２７３）が塞がれてしまうため、新たなボーダ内領域ＢＲＤＡ内に記録された情報の位置を示す記録位置管理データーＲＭＤを記録する新たな領域（記録位置管理ゾーンＲＭＺ）を設定する必要が有る。本実施形態では図２０（ｄ）に示すように、新たに設定されたボーダーインＢＲＤＩ内に記録位置管理ゾーンＲＭＺを設定する所に大きな特徴が有る。このボーダーゾーン内の記録位置管理ゾーンＲＭＺ内の構造は“最初のボーダー内領域に対応した記録位置管理ゾーンＲＭＺ（Ｌ-ＲＭＺ）と全く同じ構造をしている。また、この領域内に記録される記録位置管理データーＲＭＤ内の情報は対応したボーダー内領域ＢＲＤＡ内に記録されるデーターに関する記録位置管理データーのみならず、先行するボーダー内領域ＢＲＤＡ内に記録されているデーターに関する記録位置管理情報も一緒に記録される。
【０１７５】
（３）ボーダー内領域ＢＲＤＡ内の記録位置管理ゾーンＲＭＺ（Ｕ-ＲＭＺ）
上記（２）で示した、ボーダーインＢＲＤＩ内のＲＭＺ（Ｂ-ＲＭＺ）は新たなボーダー内領域ＢＲＤＡを作らない限り設定できない。また、上記（１）に示した最初のボーダー内領域管理ゾーンＲＭＺ（Ｌ-ＲＭＺ）のサイズは有限なため、追記を繰り返すうちに予約領域２７３が枯渇し、新たな記録位置管理データＲＭＤが追記不可能となる。その問題を解消するため本実施形態ではボーダー内領域ＢＲＤＡ内に記録位置管理ゾーンＲＭＺを記録する為のＲゾーンを新たに設け、更なる追加が可能なようにしている。すなわち上記“ボーダー内領域ＢＲＤＡ内の記録位置管理ゾーンＲＭＺ（Ｕ-ＲＭＺ）”が設定されている特殊なＲゾーンが存在する。
【０１７６】
また、最初のボーダー内領域管理ゾーンＲＭＺ（Ｌ-ＲＭＺ）内の未記録領域（予約領域２７３）の残りのサイズが少なくなった場合に限らず、本実施形態では“ボーダーインＢＲＤＩ内の記録位置管理ゾーンＲＭＺ（Ｂ-ＲＭＺ）”や既に設定されている“ボーダー内領域ＢＲＤＡ内の記録位置管理ゾーンＲＭＺ（Ｕ-ＲＭＺ）”内の未記録領域（予約領域２７３）の残りのサイズが少なくなった場合にも新たに上記“ボーダー内領域ＢＲＤＡ内の記録位置管理ゾーンＲＭＺ（Ｕ-ＲＭＺ）”を設定できる。
【０１７７】
このボーダー内領域ＢＲＤＡ内の記録位置管理ゾーンＲＭＺ（Ｕ-ＲＭＺ）内に記録される情報内容は図１７（ｂ）に示すデーターリードイン領域DTLDI内の記録位置管理ゾーンＲＭＺ（Ｌ-ＲＭＺ）内と全く同じ構造をしている。また、この領域内に記録される記録位置管理データーＲＭＤ内の情報は対応したボーダー内領域ＢＲＤＡ内に記録されるデーターに関する記録位置管理データーのみならず、先行するボーダー内領域ＢＲＤＡ内に記録されているデーターに関する記録位置管理情報も一緒に記録される。
【０１７８】
上記各種の記録位置管理ゾーンＲＭＺの中で
１．データーリードイン領域DTLDI内の記録位置管理ゾーンＲＭＺ（Ｌ-ＲＭＺ）の位置はユーザーデーター記録前に予め設定されているが、本実施形態では
２．ボーダーインＢＲＤＩ内の記録位置管理ゾーンＲＭＺ（Ｂ-ＲＭＺ）と
３．ボーダー内領域ＢＲＤＡ内の記録位置管理ゾーンＲＭＺ（Ｕ-ＲＭＺ）は
ユーザーデーター記録（追記）状況に合わせて適宜 情報記録再生装置が設定（増設）するため、“拡張（形）記録位置管理ゾーンＲＭＺ”と呼ぶ。
【０１７９】
現在使われている記録位置管理ゾーンＲＭＺ内の未記録領域（予約領域２７３）が１５物理セクタブロック（１５×６４ｋＢ）以下になった場合、ボーダー内領域ＢＲＤＡ内での記録位置管理ゾーンＲＭＺ（Ｕ-ＲＭＺ）の設定をすることができる。設定時のボーダー内領域ＢＲＤＡ内での記録位置管理ゾーンＲＭＺ（Ｕ-ＲＭＺ）のサイズは１２８物理セグメントブロックのサイズ（１２８×６４ｋＢ）とし、そこを記録位置管理ゾーンＲＭＺ専用のＲゾーンとする。
【０１８０】
本実施形態における追記形情報記憶媒体では、上記３種類の記録位置管理ゾーンＲＭＺの設定が可能になるため、１枚の追記形情報記録記憶媒体上に非常に多くの記録位置管理ゾーンＲＭＺの存在を許容する。そのため本実施形態では最新の記録位置管理データーＲＭＤ記録場所への検索容易性を目的として下記の処理を行っている。
【０１８１】
（１）新たに記録位置管理ゾーンＲＭＺを設定する場合には、今まで使われていた記録位置管理ゾーンＲＭＺ内に最新の記録位置管理データＲＭＤを多重書きし、今まで使われていた記録位置管理ゾーンＲＭＺ内に未記録領域が存在しないようにする。（それにより現在使われているか、新たな場所に記録位置管理ゾーンが設定されたかの識別が可能となる。）
（２）新たに記録位置管理ゾーンＲＭＺを設定する毎に、最新の記録位置管理データＲＭＤのコピー情報４８をＲＭＤディプリケーションゾーンＲＭＺ内に記録する。それにより、現在使われている記録位置管理ゾーンＲＭＺ場所の検索を容易にしている。
【０１８２】
本実施形態における追記形情報記憶媒体内では多くの未記録領域の存在を許容している。しかし再生専用装置ではトラックずれ検出にＤＰＤ（ Differencial Phase Detection ）法を用いているため、未記録領域でのトラッキングが不可能となる。そのため上記追記形情報記憶媒体を再生専用装置で再生させる前にはボーダークローズ処理を行い、未記録領域が存在しないようにする必要がある。
【０１８３】
参照コード記録ゾーンＲＣＺに記録される参照コードのパターン内容に付いて詳細に説明する。現行ＤＶＤでは変調方式として８ビットデータを１６チャネルビットに変換する“８／１６変調”方式を採用し、変調後の情報記憶媒体に記録されるチャネルビット列としての参照コードのパターンは“００１０００００１００００００１００１０００００１００００００１”の繰り返しパターンが用いられている。それに比べて、本実施形態では８ビットデータを１２チャネルビットに変調するＥＴＭ変調を用い、ＲＬＬ（１,１０）のランレングス制約を行っていると共にデータリードイン領域ＤＴＬＤＩ、データ領域ＤＴＡ、データリードアウト領域ＤＴＬＤＯ及びミドル領域ＭＤＡからの信号再生にＰＲＭＬ法を採用している。従って、上記変調規則とＰＲＭＬ検出に最適な参照コードのパターンを設定する必要が有る。ＲＬＬ（１,１０）のランレングス制約に従えば“０”が連続する最小値は“ｄ＝１”で“１０１０１０１０”の繰り返しパターンとなる。“１”または“０”のコードから次の隣接コードまでの距離を“Ｔ”とすると、上記パターンでの隣接する“１”間の距離は“２Ｔ”となる。
【０１８４】
本実施形態では情報記憶媒体の高密度化のため、前述したように情報記憶媒体上に記録した“２Ｔ”の繰り返しパターン（“１０１０１０１０”）からの再生信号は光学ヘッド内の対物レンズ（図１８の情報記録再生部１４１内に存在する）のＭＴＦ（Modulation Transfer Fuction）特性の遮断周波数近傍にあるため、ほとんど変調度（信号振幅）が得られ無い。従って、情報再生装置あるいは情報記録再生装置の回路調整に使用する再生信号として“２Ｔ”の繰り返しパターン（“１０１０１０１０”）からの再生信号を用いた場合にはノイズの影響が大きく安定化に乏しい。従って、ＲＬＬ（１,１０）のランレングス制約に従って行う変調後の信号に対しては次に密度の高い“３Ｔ”のパターンを使って回路調整を行うのが望ましい。
【０１８５】
再生信号のＤＳＶ（Digital Sum Value）値を考えた場合には“１”の直後に来る次の“１”までの間の“０”が連続する回数に比例してＤＣ（直流）値の絶対値が増加して直前のＤＳＶ値に加算される。この加算されるＤＣ値の極性は“１”が来る毎に反転する。従って、参照コードが連続するチャネルビット列が続いた所でＤＳＶ値を“０”にする方法としてＥＴＭ変調後の１２個のチャネルビット列内でＤＳＶ値が“０”になるように設定するより、ＥＴＭ変調後の１２個のチャネルビット列に出現する“１”の発生数を奇数個にして１２チャネルビットからなる１組の参照コードセルで発生するＤＣ成分を次の組からなる１２チャネルビットの参照コードセルで発生するＤＣ成分で相殺させる方が参照コードパターン設計の自由度が増す。従って、本実施形態ではＥＴＭ変調後の１２個のチャネルビット列からなる参照コードセル内で出現する“１”の数を奇数個に設定している。
【０１８６】
本実施形態では、高密度化のために、“１”の所が記録マークもしくはエンボスピットの境界位置に一致するマークエッジ記録法を採用している。例えば、“３Ｔ”の繰り返しパターン（“１００１００１００１００１００１００１００”）が続いた場合に記録条件あるいは原盤作成条件により記録マークもしくはエンボスピットの長さとその間にあるスペースの長さが若干異なる場合が生じる。ＰＲＭＬ検出法を用いた場合には再生信号のレベル値が非常に重要となり、前記のように記録マークもしくはエンボスピットの長さとその間にあるスペースの長さが若干異なった場合でも安定かつ精度良く信号検出できるようにその若干の異なり分を回路的に補正する必要が生じる。従って、回路定数を調整するための参照コードとしては“３Ｔ”の長さの記録マークもしくはエンボスピットと同じく“３Ｔ”の長さのスペースが有った方が回路定数の調整の精度が向上する。そのため、本実施形態の参照コードパターンとして“１００１００１”のパターンが内部に含まれると、必ず“３Ｔ”の長さの記録マークもしくはエンボスピットとスペースが配置される事になる。
【０１８７】
また、回路調整には密度の詰まったパターン（“１００１００１”）だけで無く、密度が疎の状態のパターンも必要となる。従って、ＥＴＭ変調後の１２個のチャネルビット列の中で“１００１００１”のパターンを除いた部分で密度が疎の状態（“０”が連続して多く発生するパターン）を発生させ、かつ“１”の出現数を奇数個に設定する事を考慮すると参照コードパターンは“１００１００１０００００”の繰り返しが最適条件となる。変調後のチャネルビットパターンが前記パターンにするには図示していないが本実施形態のＨフォーマットで規定された変調テーブルを利用すると変調前のデータワードは“Ａ４ｈ”に設定する必要が有る。この“Ａ４ｈ”（１６進法表現）のデータはデータシンボル“１６４”（１０進法表現）に対応する。
【０１８８】
前記のデータ変換規則に従った具体的なデータの作り方を以下に説明する。前述したデータフレーム構造内でメインデータ“Ｄ０〜Ｄ２０４７”にデータシンボル“１６４”（＝“０Ａ４ｈ”）をまず設定する。次にデータフレーム１からデータフレーム１５に対してイニシャルプリセット番号“０Ｅｈ”で予めプリスクランブルを掛けておき、データフレーム１６からデータフレーム３１に対してはイニシャルプリセット番号“０Ｆｈ”で予めプリスクランブルを掛けておく。予めプリスクランブルを掛けておくと前記のデータ変換規則に従ってスクランブルを掛けた時に二重でスクランブルを掛けた事になり、（二重でスクランブルを掛けると元のパターンに戻る）データシンボル“１６４”（＝“０Ａ４ｈ”）がそのまま現れる。３２物理セクタからなる参照コード全てにプリスクランブルを掛けるとＤＳＶ制御が出来なくなるので、データフレーム０だけは事前のプリスクランブルは掛けない。前記スクランブルを掛けた後、変調パターンが情報記憶媒体上に記録される。
【０１８９】
本発明では記録形（書替え形あるいは追記形）情報記憶媒体におけるアドレス情報はウォブル変調を用いて予め記録されている。ウォブル変調方式として±９０度（１８０度）の位相変調を用いると共にＮＲＺ（Non Returen to Zero）方法を採用して情報記憶媒体に対してアドレス情報を事前に記録する所に本実施形態の特徴がある。図２２を用いて具体的な説明を行う。本実施形態ではアドレス情報に関しては１アドレスビット（アドレスシンボルとも呼ぶ）領域５１１内を４ウォブル周期で表現し、１アドレスビット領域５１１内は至る所周波数および振幅と位相は一致している。アドレスビットの値として同じ値が連続する場合には各１アドレスビット領域５１１の境界部（図２２の“三角印”を付けた部分）で同位相が継続し、アドレスビットが反転する場合にはウォブルパターンの反転（位相の１８０度シフト）が起きる。
【０１９０】
図１８に示した情報記録再生装置のウォブル信号検出部１３５内では上記アドレスビット領域５１１の境界位置（図２２の“三角印”を付けた場所）と１ウォブル周期の境界位置であるスロット位置４１２を同時に検出している。ウォブル信号検出部１３５内では図示してないがＰＬＬ（Phase Lock Loop）回路が内蔵され、上記アドレスビット領域５１１の境界位置とスロット位置４１２の両方に同期してＰＬＬが掛かる。このアドレスビット領域５１１の境界位置またはスロット位置４１２がずれるとウォブル信号検出部１３５では同期が外れて正確なウォブル信号の再生（判読）が不可能となる。隣接するスロット位置４１２間の間隔をスロット間隔５１３と呼び、このスロット間隔５１３が物理的に短い程ＰＬＬ回路の同期が取り易く、安定にウォブル信号の再生（情報内容の解読）が可能となる。
【０１９１】
図２２から明らかなように１８０度または０度にシフトする１８０度の位相変調方式を採用すると、このスロット間隔５１３は１ウォブル周期と一致する。ウォブルの変調方法としてウォブル振幅を変化させるＡＭ（Amplitude Modulation）方式では情報記憶媒体表面に付着したゴミや傷の影響を受け易いが、上記位相変調では信号振幅では無く位相の変化を検出するため、比較的情報記憶媒体表面のゴミや傷の影響を受け辛い。他の変調方式として周波数を変化させるＦＳＫ（Frequency Shift Keying）方式ではウォブル周期に対してスロット間隔５１３が長く、ＰＬＬ回路の同期が相対的に取り辛い。従って、本実施形態のようにウォブルの位相変調によりアドレス情報を記録するとスロット間隔が狭く、ウォブル信号の同期が取り易いと言う効果が有る。
【０１９２】
図２２に示すように１アドレスビット領域５１１にはそれぞれ“１”か“０”かのバイナリーデータが割り振られるが、本実施形態におけるビットの割り振り方法を図２２に示す。図２２の左側に示すように１ウォブルの開始位置から最初に外周側に蛇行するウォブルパターンをＮＰＷ（Normal Phase Wobble）と呼び、“０”のデータを割り当てる。右側に示すように１ウォブルの開始位置から最初に内周側に蛇行するウォブルパターンをＩＰＷ（Invert Phase Wobble）と呼び、“１”のデータを割り当てる。
【０１９３】
本実施形態では、図２３（ｂ）、（ｃ）に示すようにプリグルーブ領域１１の幅Ｗｇをランド領域１２の幅Ｗｌより広くしている。その結果、ウォブル検出信号の検出信号レベルが下がり、Ｃ／Ｎ比が低下するという問題が発生する。それに対して本実施形態では、無変調領域を変調領域よりも広げることでウォブル信号検出の安定化を図っているところに特徴がある。
【０１９４】
図２４を用いて本実施形態のＨフォーマットにおけるウォブルアドレスフォーマットの説明を行う。図２４（ｂ）に示すように本実施形態のＨフォーマットでは７個の物理セグメント５５０〜５５６により１個の物理セグメントブロックを構成している。１個の物理セグメント５５０〜５５７は図２４（ｃ）に示すようにそれぞれ１７個ずつのウォブルデータユニット５６０〜５７６から構成されている。更に各ウォブルデータユニット５６０〜５７６はウォブルシンク領域５８０または、変調開始マーク５８１、５８２およびウォブルアドレス領域５８６、５８７のいずれかを構成する変調領域と全て連続したＮＰＷが存在している無変調領域５９０、５９１から構成されている。図２５に各ウォブルデータユニット内の変調領域と無変調領域の存在比を説明している。図２５（ａ）から（ｄ）のいずれもウォブルデータユニット内で１６ウォブルにより変調領域５９８が構成されており６８ウォブルにより無変調領域５９３が構成されている。本実施形態では、変調領域５９８よりも無変調領域５９３の方が広くなるように設定していることを特徴としている。無変調領域５９３を広くすることで、無変調領域５９３を用い安定にウォブル検出信号、ライトクロック、あるいは、再生クロックのＰＬＬ回路の同期を取ることができる。安定に同期を取るために、無変調領域５９３は変調領域５９８の幅より２倍以上広いことが望ましい。
【０１９５】
本発明追記形情報記憶媒体のＨフォーマットにおけるウォブル変調を用いたアドレス情報の記録形式について説明する。本実施形態におけるウォブル変調を用いたアドレス情報設定方法では“シンクフレーム長４３３を単位として割り振りを行っている”所に大きな特徴がある。１セクタは２６シンクフレームから構成され、１ＥＣＣブロックは３２物理セクタから成り立っているので、１ＥＣＣブロックは２６×３２＝８３２個のシンクフレームから構成される。
【０１９６】
各物理セグメント毎にそれぞれ１７個のウォブルデータユニット（ＷＤＵ：Wobble Data Unit）に分割する。１個のウォブルデータユニットの長さにはそれぞれ７個のシンクフレーム分が割り当てられる
各ウォブルデータユニット＃０５６０〜＃１１５７１の中は図２５に示すように１６ウォブル分の変調領域５９８と６８ウォブル分の無変調領域５９２、５９３から構成される。本実施形態では変調領域に対する無変調領域５９２、５９３の占有比を大幅に大きくしている所に大きな特徴がある。無変調領域５９２、５９３は常に一定周波数でグルーブ領域またはランド領域がウォブルしているため、この無変調領域５９２、５９３を利用してＰＬＬ（Phase Locked Loop）を掛け、情報記憶媒体に記録された記録マークを再生する時の基準クロックまたは新たに記録する時に使用する記録用基準クロックを安定に抽出（生成）する事が可能となる。
【０１９７】
このように本実施形態において変調領域５９８に対する無変調領域５９２、５９３の占有比を大幅に大きくする事で、再生用基準クロックの抽出（生成）または記録用基準クロックの抽出（生成）の精度と抽出（生成）安定性を大幅に向上させる事が出来る。すなわち、ウォブルでの位相変調を行った場合、波形整形のために再生信号をバンドパスフィルターに通過させると位相変化位置前後で整形後の検出信号波形振幅が小さくなる現象が現れる。従って、位相変調による位相変化点の頻度が多くなると波形振幅変動が多くなって上記のクロック抽出精度が落ち、逆に変調領域内で位相変化点の頻度が低いとウォブルアドレス情報検出時のビットシフトが発生しやすくなると言う問題点が生じる。そのため、本実施形態では位相変調による変調領域と無変調領域を構成し、無変調領域の占有率を高くする事で上記のクロック抽出精度を向上させる効果が有る。
【０１９８】
本実施形態では変調領域と無変調領域の切り替わり位置が予め予想できるので、上記のクロック抽出に対しては無変調領域にゲートを掛けて無変調領域のみの信号を検出し、その検出信号から上記クロック抽出を行うことが可能となる。特に、本実施形態による記録原理を用いた有機色素記録材料で記録層３−２を構成する場合には“３−２）本実施形態における有機色素膜に共通する基本的特徴説明”内の“３−２−Ｄ〕本実施形態におけるプリグルーブ形状／寸法に関する基本的特徴”に記載するプリグルーブ形状／寸法を用いた場合に比較的ウォブル信号が取り辛くなる。この状況に対して上記のように変調領域に対する無変調領域５９０、５９１の占有比を大幅に大きくする事でウォブル信号検出の信頼性を向上させている。
【０１９９】
無変調領域５９２、５９３から変調領域５９８に移る時には４ウォブル分または６ウォブル分を使って変調開始マークとしてのＩＰＷ領域を設定し、図２５（ｃ）、（ｄ）に示すウォブルデータ部ではこの変調開始マークであるＩＰＷ領域を検出直後にウォブル変調されたウォブルアドレス領域（アドレスビット＃２〜＃０）が来るように配置されている。図２５（ａ）、（ｂ）は後述する図２６（ｃ）に示すウォブルシンク領域５８０に対応したウォブルデータユニット＃０５６０内の中身を表し、図２５（ｃ）、（ｄ）は図２６（ｃ）のセグメント情報７２７からＣＲＣコード７２６までのウォブルデータ部に対応したウォブルデータユニットの中身を示している。図２５（ａ）、（ｃ）は後述する変調領域の１次配置場所（Primary position）７０１に対応したウォブルデータユニット内を示し、図２５（ｂ）、（ｄ）は変調領域の２次配置場所（Secondary position）７０２に対応したウォブルデータユニット内を示している。図２５（ａ）、（ｂ）に示すようにウォブルシンク領域５８０ではＩＰＷ領域に６ウォブル、ＩＰＷ領域に囲まれたＮＰＷ領域に４ウォブルを割り当て、図２５（ｃ）、（ｄ）に示すようにウォブルデータ部ではＩＰＷ領域と全てのアドレスビット領域＃２〜＃０それぞれに４ウォブル分を割り当てている。
【０２００】
図２６に追記形情報記憶媒体でのウォブルアドレス情報内のデータ構造に関する実施形態を示す。図２６（ａ）には比較のため、書替え形情報記憶媒体のウォブルアドレス情報内のデータ構造を示した。追記形情報記憶媒体でのウォブルアドレス情報内のデータ構造に関する２通りの実施形態に付いて図２６（ｂ）と（ｃ）に示す。
【０２０１】
ウォブルアドレス領域６１０では１２ウォブルで３アドレスビットを設定（図２２を参照）している。つまり、連続する４ウォブルで１アドレスビットを構成している。このように本実施形態ではアドレス情報を３アドレスビット毎に分散配置させた構造を取っている。ウォブルアドレス情報６１０を情報記憶媒体内の一箇所に集中記録すると、表面のゴミや傷が付いた時に全ての情報が検出困難になる。本実施形態のようにウォブルアドレス情報６１０を１個のウォブルデータユニット５６０〜５７６に含まれる３アドレスピット（１２ウォブル）毎に分散配置し、３アドレスビットの整数倍アドレスビット毎にまとまった情報を記録し、ゴミや傷の影響で一箇所の情報検出が困難な場合でも他の情報の情報検出を可能に出来るという効果が有る。
【０２０２】
上記のようにウォブルアドレス情報６１０を分散配置させると共に１物理セグメント毎にウォブルアドレス情報６１０を完結的に配置させることで物理セグメン毎にアドレス情報が分かるので、情報記録再生装置がアクセスした時に物理セグメント単位での現在位置を知る事ができる。
【０２０３】
本実施形態では図２２に示すようにＮＲＺ法を採用しているので、ウォブルアドレス領域６１０内では連続する４ウォブル内で位相が変化する事は無い。この特徴を利用してウォブルシンク領域５８０を設定している。すなわち、ウォブルアドレス情報６１０内では発生し得無いウォブルパターンをウォブルシンク領域５８０に対して設定する事で、ウォブルシンク領域５８０の配置位置識別を容易にしている。本実施形態では連続する４ウォブルで１アドレスビットを構成するウォブルアドレス領域５８６、５８７に対してウォブルシンク領域５８０位置では１アドレスビット長を４ウォブル以外の長さに設定している所に特徴がある。すなわち、ウォブルシンク領域５８０では図２５（ａ）、（ｂ）に示すようにウォブルビットが“１”になる領域（ＩＰＷ領域）を４ウォブルとは異なる“６ウォブル→４ウォブル→６ウォブル”と言う図２５（ｃ）、（ｄ）に示すようにウォブルデータ部では起こり得ないウォブルパターン変化を設定している。ウォブルデータ部では発生し得無いウォブルパターンをウォブルシンク領域５８０に対して設定する具体的な方法として上述したようにウォブル周期を変える方法を利用すると
（１）図１８のウォブル信号検出部１３５内で行っているウォブルのスロット位置５１２（図２２）に関するＰＬＬが崩れる事無く安定にウォブル検出（ウォブル信号の判定）を継続できる
（２）図１８のウォブル信号検出部１３５内で行っているアドレスビット境界位置のずれにより容易にウォブルシンク領域５８０と変調開始マーク５６１、５８２の検出が行える
と言う効果が生まれる。図２５に示すようにウォブルシンク領域５８０を１２ウォブル周期で形成してウォブルシンク領域５８０の長さを３アドレスビット長に一致させているする所にも本実施形態の特徴が有る。これにより、１個のウォブルデータユニット＃０５６０内での変調領域（１６ウォブル分）全てをウォブルシンク領域５８０に割り当てる事で、ウォブルアドレス情報６１０の開始位置（ウォブルシンク領域５８０の配置位置）の検出容易性を向上させている。このウォブルシンク領域５８０は物理セグメント内の最初のウォブルデータユニットに配置されている。このようにウォブルシンク領域５８０を物理セグメント内の先頭位置に配置する事で、ウォブルシンク領域５８０の位置を検出するだけで容易に物理セグメントの境界位置を抽出できると言う効果が生じる。
【０２０４】
図２５（ｃ）、（ｄ）に示すようにウォブルデータユニット＃１５６１〜＃１１５７１内ではアドレスビット＃２〜＃０に先行し、先頭位置に変調開始マークとしてのＩＰＷ領域（図２２参照）が配置されている。それに先行した位置に配置されている無変調領域５９２、５９３では連続的にＮＰＷの波形になっているので、図１８に示したウォブル信号検出部１３５ではＮＰＷからＩＰＷへの切り替わり目を検出して変調開始マークの位置を抽出する。
【０２０５】
参考までに図２６（ａ）に示した書替え形情報記憶媒体におけるウォブルアドレス情報６１０の中身は
（１）物理セグメントアドレス６０１
…  トラック内（情報記憶媒体２２１内での１周内）での物理セグメント番号を示す情報。
【０２０６】
（２）ゾーンアドレス６０２
…  情報記憶媒体２２１内のゾーン番号を示している。
【０２０７】
（３）パリティー情報６０５
…  ウォブルアドレス情報６１０からの再生時のエラー検出用に設定された物で、予約情報６０４からゾーンアドレス６０２までの１４アドレスビットを各アドレスビット単位で個々に加算し、加算結果が偶数か奇数かの表示を行う情報で、このアドレスパリティ情報６０５の１アドレスビットも含めた合計１５アドレスビットに対して各アドレスビット単位で排他的ＯＲ（Exclusive OR）を取った結果が“１”になるようにパリティー情報６０５の値を設定する。
【０２０８】
（４）ユニティー領域６０８
…  前述したように各ウォブルデータユニットの中は１６ウォブル分の変調領域５９８と６８ウォブル分の無変調領域５９２、５９３から構成されように設定し、変調領域５９８に対する無変調領域５９２、５９３の占有比を大幅に大きくしている。更に、無変調領域５９２、５９３の占有比を広げて再生用基準クロックまたは記録用基準クロックの抽出（生成）の精度と安定性をより向上させている。ユニティー領域６０８内は全てＮＰＷ領域が連続しており、均一位相の無変調領域になっている。
【０２０９】
が記録される。上記各情報に割り当てたアドレスビット数を図２６（ａ）に示した。上述したようにウォブルアドレス情報６１０内はそれぞれ３アドレスビット毎に分離されて各ウォブルデータユニット内に分散配置される。情報記憶媒体表面のゴミや傷によりバーストエラーが発生しても異なる各ウォブルデータユニットを跨ってエラーが広がっている確率は非常に低い。従って、同一情報が記録される場所として異なるウォブルデータユニット間を跨る回数を極力減らし、各情報の切れ目とウォブルデータユニットの境界位置を一致させるように工夫している。これにより、仮に情報記憶媒体表面のゴミや傷によりバーストエラーが発生して特定の情報が読めなくても、他の各ウォブルデータユニット内に記録された他の情報が読めるようにしてウォブルアドレス情報の再生信頼性を向上させている。
【０２１０】
図２６（ａ）〜（ｃ）に示すようにウォブルアドレス情報６１０内でユニティ領域６０８、６０９を最後に配置した所も本実施形態の大きな特徴となっている。上述したようにユニティ領域６０８、６０９ではウォブル波形はＮＰＷに成っているので、実質的に３個もの連続したウォブルデータユニット内で連続してＮＰＷが続く。この特徴を利用して図１８のウォブル信号検出部１３５では３個のウォブルデータユニット５７６分の長さで連続してＮＰＷが続く場所を探す事で容易にウォブルアドレス情報６１０の最後に配置されたユニティ領域６０８の位置が抽出でき、その位置情報を利用してウォブルアドレス情報６１０の開始位置を検出できる効果が生まれる。
【０２１１】
図２６（ａ）に示した各種アドレス情報の内、物理セグメントアドレス６０１とゾーンアドレス６０２は隣接トラック間で同じ値を示しているのに対し、グルーブトラックアドレス６０６とランドトラックアドレス６０７は隣接トラック間で値が変わる。従って、グルーブトラックアドレス６０６とランドトラックアドレス６０７が記録される領域には不定ビット領域５０４が現れる。この不定ビット頻度を低減させるため、本実施形態ではグルーブトラックアドレス６０６とランドトラックアドレス６０７に関してはグレイコードを用いてアドレス（番号）を表示している。グレイコードとは元の値が“１”変化した時の変換後のコードが何処でも“１ビット”だけしか変化しないコードを意味している。これにより不定ビット頻度を低減させてウォブル検出信号のみならず記録マークからの再生信号も信号検出安定化が図れる。
【０２１２】
図２６（ｂ）、（ｃ）に示すように追記形情報記憶媒体においても書替え形情報記憶媒体と同様ウォブルシンク領域６８０を物理セグメント先頭位置に配置し、物理セグメントの先頭位置あるいは隣接する物理セグメント間の境界位置の検出を容易にしている。図２６（ｂ）に示した物理セグメントのタイプ識別情報７２１は上述したウォブルシンク領域５８０内のウォブルシンクパターンと同様物理セグメント内の変調領域の配置位置を示す事で同一物理セグメント内の他の変調領域５９８の配置場所が事前に予測でき、次に来る変調領域検出の事前準備が出来るので変調領域での信号検出（判別）精度を上げる事ができると言う効果が有る。
【０２１３】
図２６（ｂ）に示した追記形情報記憶媒体における層番号情報７２２とは片面１記録層か片面２記録層の場合のどちらの記録層を示しているかを表し、
・“０”の時には片面１記録層媒体か片面２記録層の場合の“Ｌ０層”（レーザ光入射側の手前層）
・“１”の時には片面２記録層の“Ｌ１層”（レーザ光入射側の奥側の層）
を意味する。
【０２１４】
物理セグメント順番情報７２４は同一物理セグメントブロック内の相対的な物理セグメントの配置順を示している。図２６（ａ）と比較して明らかなようにウォブルアドレス情報６１０内での物理セグメント順番情報７２４の先頭位置は書替え形情報記憶媒体における物理セグメントアドレス６０１の先頭位置に一致している。物理セグメント順番情報位置を書替え形に合わせる事で媒体種別間の互換性を高め、書替え形情報記憶媒体と追記形情報記憶媒体の両方が使える情報記録再生装置でのウォブル信号を用いたアドレス検出用制御プログラムの共有化により簡素化が図れる。
【０２１５】
図２６（ｂ）のデータセグメントアドレス７２５はデータセグメントのアドレス情報を番号で記述する。既に説明したように本実施形態では３２セクタで１ＥＣＣブロックを構成する。従って、特定のＥＣＣブロック内の先頭に配置されたセクタの物理セクタ番号の下位５ビットは隣接するＥＣＣブロック内の先頭位置に配置されたセクタのセクタ番号と一致する。ＥＣＣブロック内の先頭に配置されたセクタの物理セクタ番号の下位５ビットが“０００００”になるように物理セクタ番号を設定した場合には同一ＥＣＣブロック内に存在する全てのセクタの物理セクタ番号の下位６ビット目以上の値が一致する。従って、上記同一ＥＣＣブロック内に存在するセクタの物理セクタ番号の下位５ビットデータを除去し、下位６ビット目以上のデータのみを抽出したアドレス情報をＥＣＣブロックアドレス（またはＥＣＣブロックアドレス番号）とする。ウォブル変調により予め記録されたデータセグメントアドレス７２５（または物理セグメントブロック番号情報）は上記ＥＣＣブロックアドレスと一致するので、ウォブル変調による物理セグメントブロックの位置情報をデータセグメントアドレスで表示すると、物理セクタ番号で表示するのと比べて５ビットずつデータ量が減り、アクセス時の現在位置検出が簡単になると言う効果が生まれる。
【０２１６】
図２６（ｂ）、（ｃ）のＣＲＣコード７２６は物理セグメントのタイプ識別情報７２１からデータセグメントアドレス７２５までの２４アドレスビットに対するＣＲＣコード（エラー訂正コード）またはセグメント情報７２７から物理セグメント順番情報７２４までの２４アドレスビットに対するＣＲＣコードで部分的にウォブル変調信号を誤って判読してもこのＣＲＣコード７２６により部分的に修正できる。
【０２１７】
追記形情報記憶媒体では残りの１５アドレスビット分に相当する領域はユニティ領域６０９に割り当てられ、１２番目から１６番目までの５個のウォブルデータユニット内は全てＮＰＷになっている（変調領域５９８が存在しない）。
【０２１８】
図２６（ｃ）における物理セグメントブロックアドレス７２８とは７個の物理セグメントから１個のユニットを構成する物理セグメントブロック毎に設定されるアドレスで、データリードインＤＴＲＤＩ内の最初の物理セグメントブロックに対する物理セグメントブロックアドレスを“１３５８ｈ”に設定する。データ領域ＤＴＡを含め、データリードインＤＴＬＤＩ内の最初の物理セグメントブロックからデータリードアウトＤＴＬＤＯ内の最後の物理セグメントブロックまで順次この物理セグメントブロックアドレスの値が１ずつ加算されて行く。
【０２１９】
物理セグメント順番情報７２４は１個の物理セグメントブロック内での各物理セグメントの順番を表し、最初の物理セグメントに対して“０”、最後の物理セグメントに対して“６”を設定する。
【０２２０】
図２６（ｃ）の実施形態において物理セグメント順番情報７２４より先行した位置に物理セグメントブロックアドレス７２８を配置所に特徴がある。例えば、ＲＭＤフィールド１のようにアドレス情報をこの物理セグメントブロックアドレスで管理する場合が多い。これらの管理情報に従って所定の物理セグメントブロックアドレスにアクセスする場合、図１８内に示したウォブル信号検出部１３５内ではまず始めに図２６（ｃ）に示したウォブルシンク領域５８０の場所を検出し、その後ウォブルシンク領域５８０の直後に記録された情報から順次解読していく。物理セグメント順番情報７２４より先行した位置に物理セグメントブロックアドレスが有る場合には、先に物理セグメントブロックアドレスを解読し、物理セグメント順番情報７２４を解読せずに所定の物理セグメントブロックアドレスか否かを判定できるため、ウォブルアドレスを用いたアクセス性が向上すると言う効果が有る。
【０２２１】
図２６（ｃ）においてウォブルシンク領域５８０の直後にタイプ識別情報７２１が配置されている所にも本実施形態の特徴が有る。上述したように図１８内に示したウォブル信号検出部１３５内ではまず始めに図２６（ｃ）に示したウォブルシンク領域５８０の場所を検出し、その後ウォブルシンク領域５８０の直後に記録された情報から順次解読していく。従って、ウォブルシンク領域５８０の直後にタイプ識別情報７２１を配置する事で即座に物理セグメント内の変調領域の配置場所確認が行えるため、ウォブルアドレスを用いたアクセス処理の高速化が実現できる。
【０２２２】
本実施形態では、Ｈフォーマットを使用しているため、ウォブルの信号周波数の所定値としては、６９７ｋＨｚに設定している。
【０２２３】
次に、ウォブル検出信号のキャリアレベルの最大値（Cwmax）と最小値（Cwmin）の測定例について記述する。
【０２２４】
本実施形態の追記型記憶媒体ではＣＬＶ(Constant Lineor Vilocity)記録方式を使用しているため、トラック位置により隣接トラック間でのウォブル位相が変化する。隣接トラック間のウォブル位相が一致した場合、最もウォブル検出信号のキャリアレベルが高くなり、最大値（Cwmax）になる。また、隣接トラック間のウォブル位相が逆位相になった時、隣接トラックのクロストークの影響でウォブル検出信号が最も小さくなり、最小値（Cwmin）になる。従って、トラックに沿って内周から外周方向にトレースしている場合、検出されるウォブル検出信号のキャリアの大きさは４トラック周期で変動する。
【０２２５】
本実施形態では、４トラック毎にウォブルキャリア信号を検出し、４トラック毎の最大値（Cwmax）と最小値（Cwmin）を測定する。そして、ステップＳＴ０３で最大値（Cwmax）と最小値（Cwmin）のペアを３０ペア以上のデータとして蓄積する。
【０２２６】
次に、下記の計算式を利用して、ステップＳＴ０４で最大値（Cwmax）と最小値（Cwmin）の平均値から最大振幅（Wppmax）と最小振幅（Wppmin）を算出する。
【０２２７】
下記の式において、Rはスペクトラムアナライザのターミネートされた抵抗値を表している。以下に、CwmaxとCwminの値からWppmaxとWppminを換算する式の説明を行う。
【０２２８】
dBm単位系では、0dBm＝1mWを基準とする。ここで、電力Wa＝1mWとなる電圧振幅Voは
Wao
＝IVo
＝Vo×Vo／R
＝1／1000W
である。従って、
Vo＝（R／1000）１／２
となる。
【０２２９】
次に、ウォブル振幅Wpp［V］とスペアナで観測されたキャリアレベルCw［dBm］の関係は下記の通りとなる。ここで、Wppは正弦波なので、振幅を実効値に直すと、
Wpp−rms＝Wpp／（2×2１／２）
Cw＝20×log（Wpp−rms／Vo）［dBm］
となる。従って、
Cw＝10×log（Wpp−rms／Vo）２
上式のlogを変換して
（Wpp−rms／Vo）２
＝10（Ｃｗ／１０）
＝｛［Wpp／（2×2１／２）］／Vo｝２
＝｛Wpp／（2×2２）／（R／1000）１／２｝２
＝（Wpp２／8）／（R／1000）
WPP2２
＝（8×R）／（1000×10（Ｃｗ／１０））
＝8×R×10（−３）×10（Ｃｗ／１０）
＝8×R×10（Ｃｗ／１０）（−３）
Wpp＝｛8×R×10（Ｃｗ／１０）（−３）｝１／２          （６１）
以上説明したように、本実施形態は下記の効果を奏する。
【０２３０】
（１）トラックずれ検出信号である（Ｉ１−Ｉ２）ｐｐに対するウォブル検出信号の振幅の最小値（Wppmin）の比率を０．１以上にすることにより、トラックずれ検出信号のダイナミックレンジに比べて十分に大きなウォブル検出信号が得られ、その結果ウォブル検出信号の検出精度を大きく取ることができる。
【０２３１】
（２）ウォブル検出信号の振幅の最大値（Wppmax）と、ウォブル検出信号の振幅の最小値（Wppmin）との比率を２．３以下にすることにより、隣接トラックからのウォブルのクロストークの影響を大きく受けずに安定にウォブル信号を検出することができる。
【０２３２】
（３）ウォブル検出信号の２乗結果のＮＢＳＮＲの値を２６dB以上に確保することにより、Ｃ／Ｎ比が高い安定なウォブル信号を確保させ、ウォブル信号の検出精度を向上させることができる。
【０２３３】
本実施形態の追記形情報記憶媒体ではグルーブ領域の上に記録マークを形成し、ＣＬＶ記録方式を採用している。この場合隣接トラック間でのウォブルスロット位置がずれるため、ウォブル再生信号に隣接ウォブル間の干渉が乗り易い事を説明した。この影響を除去するため、本実施形態では変調領域が隣接トラック間で互いに重ならないように変調領域をずらす工夫をしている。
【０２３４】
変調領域に関する具体的な１次配置場所と２次配置場所は同一のウォブルデータユニット内配置場所の切り替えにより設定する。本実施形態では変調領域より無変調領域の占有率を高く設定しているので、同一のウォブルデータユニット内での配置変更のみで１次配置場所と２次配置場所の切り替えが行える。具体的には１次配置場所（Primary Position）７０１では図２５（ａ）、（ｃ）に示すように１個のウォブルデータユニット内の先頭位置に変調領域５９８を配置し、２次配置場所７０２（Secondary Position）では図２５（ｂ）、（ｄ）に示すように１個のウォブルデータユニット５６０〜５７１内の後半位置に変調領域５９８を配置する。
【０２３５】
図２５で示した１次配置場所（Primary Position）７０１と２次配置場所７０２（Secondary Position）の適応範囲すなわち、１次配置場所または２次配置場所が連続的に続く範囲を本実施形態では物理セグメントの範囲に規定している。すなわち、図２６に示すように同一物理セグメント内での変調領域の配置パターンを（ｂ）から（ｄ）までの３種類（複数種類）持たせ、物理セグメントのタイプ識別情報７２１の情報から物理セグメント内での変調領域の配置パターンを図１８のウォブル信号検出部１３５が識別すると、同一物理セグメント内の他の変調領域５９８の配置場所が事前に予測できる。その結果、次に来る変調領域検出の事前準備が出来るので変調領域での信号検出（判別）精度を上げる事ができると言う効果が有る。
【０２３６】
以上説明したウォブル変調によりアドレス情報が事前に記録されている物理セグメントもしくは物理セグメントブロックに対して前述したデータセグメントデータを記録する方法について説明する。書替え形情報記憶媒体及び追記形情報記憶媒体いずれも連続してデータを記録する単位としてレコーディングクラスター単位でデータを記録する。このように書き替え単位を表すレコーディングクラスターが１個以上のデータセグメントから構成される構造にする事で少ないデータ量を何度も書き替える事の多いＰＣデータ（ＰＣファイル）と多量のデータを一度に連続して記録するＡＶデータ（ＡＶファイル）の同一情報記憶媒体への混在記録処理を容易に出来ると言う効果が生まれる。すなわち、パーソナルコンピュータ用に使われるデータは比較的少量のデータを何度も書き替える場合が多い。従って、書替え又は追記のデータ単位を極力小さく設定するとＰＣデータに適した記録方法になる。本実施形態では３２物理セクタからＥＣＣブロックが構成されので、ＥＣＣブロックを１個のみ含むデータセグメント単位で書き替え又は追記を行うことが効率良く書替え又は追記を行う最小の単位となる。従って、書替え単位または追記単位を表す記録用クラスター内に１個以上のデータセグメントが含まれる本実施形態における構造がＰＣデータ（ＰＣファイル）に適した記録構造となる。ＡＶ（Audio Video）データでは非常に多量な映像情報や音声情報が途中で途切れる事無く連続的に記録される必要が有る。この場合、連続的に記録されるデータは１個のレコーディングクラスターとしてまとめて記録される。ＡＶデータ記録時に１個のレコーディングクラスターを構成するデータセグメント毎にランダムシフト量やデータセグメント内の構造、データセグメントの属性などを切り替えると、切り替わり処理の時間が掛かり、連続記録処理が難しくなる。本実施形態では同一形式（属性やランダムシフト量を変えず、データセグメント間に特定情報を挿入する事無く）のデータセグメントを連続して並べてレコーディングクラスターを構成する事で多量のデータを連続して記録するＡＶデータ記録に適した記録フォーマットを提供できるだけでなく、レコーディングクラスター内の構造の簡素化を果たして記録制御回路と再生検出回路の簡素化を達成して情報記録再生装置または情報再生装置の低価格化を可能とする。レコーディングクラスター５４０内の（拡張ガードフィールド５２８を除いた）データセグメントが連続して並んだデータ構造は再生専用情報記憶媒体及び追記形情報記憶媒体と全く同じ構造をしている。このように再生専用形／追記形／書替え形に依らず全ての情報記憶媒体で共通のデータ構造になっているため、媒体の互換性が確保され、互換性が確保された情報記録再生装置または情報再生装置の検出回路の兼用化が図れ、高い再生信頼性が確保できると共に低価格化の実現が可能となる。
【０２３７】
書替え形のガード領域の中にポストアンブル領域、エキストラ領域、バッファ領域、ＶＦＯ領域、プリシンク領域が含まれ、連続記録終了場所に限り拡張ガードフィールドが配置される。書替え時の重複箇所で拡張ガード領域と後側のＶＦＯ領域が一部重複するように書き換えまたは追記を行う所に本実施形態の特徴があるそのように一部重複させて書替えまたは追記する事でレコーディングクラスター間に隙間（記録マークが形成されない領域）の発生を防止し、片面２記録層の記録可能な情報記憶媒体における層間クロストークを除去する事で安定した再生信号を検出できる。
【０２３８】
本実施形態における１個のデータセグメント内の書替え可能なデータサイズは
６７＋４＋７７３７６＋２＋４＋１６＝７７４６９（データバイト）
となる。１個のウォブルデータユニット５６０は
６＋４＋６＋６８＝８４（ウォブル）
で構成されており、図３０に示すように、１７個のウォブルデータユニットで１個の物理セグメント５５０を構成し、７個の物理セグメント５５０〜５５６の長さが１個のデータセグメント５３１の長さに一致しているので１個のデータセグメント５３１の長さ内には
８４×１７×７＝９９９６（ウォブル）
が配置される。従って、上記の式から１個のウォブルに対して
７７４９６÷９９９６＝７．７５（データバイト／ウォブル）が対応する。
【０２３９】
物理セグメントの先頭位置から２４ウォブル以降に次のＶＦＯ領域５２２と拡張ガードフィールド５２８の重なり部分が来るが物理セグメント５５０の先頭から１６ウォブルまではウォブルシンク領域５８０となるが、それ以降６８ウォブル分は無変調領域５９０内になる。したがって２４ウォブル以降の次のＶＦＯ領域５２２と拡張ガードフィールド５２８が重なる部分は無変調領域５９０内となる。このように物理セグメントの先頭位置２４ウォブル以降にデータセグメントの先頭位置が来るようにする事で重複箇所が無変調領域５９０内になるだけでなくウォブルシンク領域５８０の検出時間と記録処理の準備時間が相応に取れるので、安定でかつ精度の良い記録処理を保証できる。
【０２４０】
本実施形態における書替え形情報記憶媒体の記録膜は相変化記録膜を用いている。相変化記録膜では書き替え開始／終了位置近傍で記録膜の劣化が始まるので、同じ位置での記録開始／記録終了を繰り返すと記録膜の劣化による書き替え回数の制限が発生する。本実施形態では上記問題を軽減するため、書き替え時にはＪｍ＋１／１２データバイト分ずらし、ランダムに記録開始位置をずらしている。
【０２４１】
上記説明では基本概念を説明するため拡張ガードフィールドの先頭位置とＶＦＯ領域の先頭位置が一致しているとしたが、厳密に言うとＶＦＯ領域の先頭位置がランダムにずれている。
【０２４２】
現行の書替え形情報記憶媒体であるＤＶＤ−ＲＡＭデイスクでも記録膜として相変化記録膜を使用し、書替え回数向上のためにランダムに記録開始／終了位置をずらしている。現行のＤＶＤ−ＲＡＭディスクでのランダムなずらしを行った時の最大ずらし量範囲は８データバイトに設定している。現行のＤＶＤ−ＲＡＭディスクでの（ディスクに記録される変調後のデータとして）チャネルビット長は平均０．１４３μｍに設定されている。本実施形態の書替え形情報記憶媒体実施形態ではチャネルビットの平均長さは（０．０８７＋０．０９３）÷２＝０．０９０（μｍ）となる。物理的なずらし範囲の長さを現行のＤＶＤ−ＲＡＭディスクに合わせた場合には、本実施形態でのランダムなずらし範囲として最低限必要な長さは上記の値を利用して
８バイト×（０．１４３μｍ÷０．０９０μｍ）＝１２．７バイト
となる。本実施形態では再生信号検出処理の容易性を確保するため、ランダムなずらし量の単位を変調後の“チャネルビット”に合わせた。本実施形態では変調に８ビットを１２ビットに変換するＥＴＭ変調（Eight to Twelve modulation）を用いているので、ランダムなずらし量を表す数式表現としてデータバイトを基準として
Ｊｍ／１２（データバイト）
で表す。Ｊｍの取り得る値としては上式の値を用いて
１２．７×１２＝１５２．４
なので、Ｊｍは０から１５２となる。以上の理由から上式を満足する範囲で有ればランダムなずらしの範囲長さは現行ＤＶＤ−ＲＡＭディスクと一致し、現行ＤＶＤ−ＲＡＭディスクと同様な書き替え回数を保証できる。本実施形態では現行以上の書き替え回数を確保するため、最低限必要な長さに対してわずかにマージンを持たせ、
ランダムなずらし範囲の長さを１４（データバイト）
に設定した。これらの式から１４×１２＝１６８なので
Ｊｍの取り得る値は０〜１６７
と設定した。上記のようにランダムシフト量をＪｍ／１２（０≦Ｊｍ≦１５４）より大きな範囲とする事で、ランダムシフト量に対する物理的な範囲の長さが現行ＤＶＤ−ＲＡＭと一致するため、現行ＤＶＤ−ＲＡＭと同様な繰り返し記録回数を保証できると言う効果が有る。
【０２４３】
記録用クラスター内でのバッファ領域とＶＦＯ領域の長さは一定となっている。同一の記録用クラスター内では全てのデータセグメントのランダムずらし量Ｊｍは至る所同じ値になっている。内部に多量のデータセグメントを含む１個の記録用クラスターを連続して記録する場合には、記録位置をウォブルからモニターしている。すなわち、図２６に示すウォブルシンク領域５８０の位置検出をしたり、図２５の無変調領域５９２、５９３内ではウォブルの数を数えながら情報記憶媒体上の記録位置の確認を記録と同時に行う。この時にウォブルのカウントミスや情報記憶媒体を回転させている回転モータの回転ムラによりウォブルスリップ（１ウォブル周期分ずれた位置に記録する事）が生じ、情報記憶媒体上の記録位置がずれる事が希に有る。本実施形態の情報記憶媒体では上記のように生じた記録位置ずれが検出された場合には書替え形のガード領域内で調整を行い、記録タイミングの修正を行う所に特徴が有る。ここでは、Ｈフォーマットに付いて説明しているがこの基本的な考え方は後述するようにＢフォーマットでも採用されている。ポストアンブル領域、エキストラ領域、プリシンク領域ではビット欠落やビット重複が許容できない重要な情報が記録されるが、バッファ領域、ＶＦＯ領域では特定パターンの繰り返しになっているため、この繰り返し境界位置を確保している限りでは１パターンのみの欠落や重複が許容される。従って、本実施形態ではガード領域の中で特にバッファ領域またはＶＦＯ領域で調整を行い、記録タイミングの修正を行う。
【０２４４】
本実施形態では位置設定の基準となる実際のスタートポイント位置はウォブル振幅“０”の（ウォブルの中心）位置と一致するように設定される。しかし、ウォブルの位置検出精度は低いので本実施形態では“±１max”と記載されているように、実際のスタートポイント位置は最大
±１データバイト”までのずれ量
を許容している。
【０２４５】
データセグメントでのランダムシフト量をＪｍとし（上述したように記録用クラスター内は全てのデータセグメントのランダムシフト量は一致する）、その後に追記するデータセグメントのランダムシフト量をＪｍ＋１とする。上記式に示すＪｍとＪｍ＋１の取り得る値として例えば、中間値を取り、Ｊｍ＝Ｊｍ＋１＝８４であり、実際のスタートポイントの位置精度が充分高い場合には拡張ガードフィールドの開始位置とＶＦＯ領域の開始位置が一致する。
【０２４６】
これに対してデータセグメントが最大限後位置に記録され、後で追記または書き替えられるデータセグメントが最大限前位置に記録された場合にはＶＦＯ領域の先頭位置がバッファ領域内へ最大１５データバイトまで入り込む事が有る。バッファ領域の直前のエキストラ領域には特定の重要情報が記録されている。従って、本実施形態において
バッファ領域の長さは１５データバイト以上
必要となる。実施形態では１データバイトの余裕を加味し、バッファ領域のデータサイズを１６データバイトに設定している。
【０２４７】
ランダムシフトの結果、拡張ガード領域とＶＦＯ領域の間に隙間が生じると片面２記録層構造を採用した場合にその隙間による再生時の層間クロストークが発生する。そのため、ランダムシフトを行っても必ず拡張ガードフィールドとＶＦＯ領域の一部が重なり、隙間が発生しない工夫がされている。従って、本実施形態において拡張ガードフィールドの長さは１５データバイト以上に設定する必要が有る。後続するＶＦＯ領域は７１データバイトと充分に長く取って有るので、拡張ガードフィールドとＶＦＯ領域の重なり領域が多少広くなっても信号再生時には支障が無い（重ならないＶＦＯ領域で再生用基準クロックの同期を取る時間が充分確保されるため）。従って、拡張ガードフィールドは１５データバイトよりもより大きな値に設定する事が可能である。連続記録時に希にウォブルスリップが発生し、１ウォブル周期分記録位置がずれる場合が有る事を既に説明した。１ウォブル周期は７．７５（≒８）データバイトに相当するので本実施形態では
拡張ガードフィールドの長さを（１５＋８＝）２３データバイト以上
に設定している。実施形態ではバッファ領域と同様に１データバイトの余裕を加味し、拡張ガードフィールドの長さを２４データバイトに設定している。
【０２４８】
記録用クラスター５４１の記録開始位置を正確に設定する必要が有る。本実施形態の情報記録再生装置では書替え形または追記形情報記憶媒体に予め記録されたウォブル信号を用いてこの記録開始位置を検出する。ウォブルシンク領域以外は全て４ウォブル単位でパターンがＮＰＷからＩＰＷに変化している。それに比べてウォブルシンク領域ではウォブルの切り替わり単位が部分的に４ウォブルからずれているため、ウォブルシンク領域が最も位置検出し易い。そのため、本実施形態の情報記録再生装置ではウォブルシンク領域位置を検出後、記録処理の準備を行い、記録を開始する。そのためレコーディングクラスターの開始位置はウォブルシンク領域の直後の無変調領域の中に来る必要が有る。この場合は、物理セグメント（Physical segment）の切り替わり直後にウォブルシンク領域が配置されている。ウォブルシンク領域の長さは１６ウォブル周期分になっている。更に、そのウォブルシンク領域を検出後、記録処理の準備にマージンを見越して８ウォブル周期分必要となる。従って、レコーディングクラスターの先頭位置に存在するＶＦＯ領域の先頭位置がランダムシフトを考慮していも物理セグメントの切り替わり目位置から２４ウォブル以上後方に配置される必要が有る。
【０２４９】
書替え時の重複箇所では何度も記録処理が行われる。書替えを繰り返すとウォブルグルーブまたはウォブルランドの物理的な形状が変化（劣化）し、そこからのウォブル再生信号品質が低下する。本実施形態では書替え時あるいは追記時の重複箇所がウォブルシンク領域やウォブルアドレス領域内に来るのを避け、無変調領域内に記録されるように工夫している。無変調領域は一定のウォブルパターン（ＮＰＷ）が繰り返されるだけなので、部分的にウォブル再生信号品質が劣化しても前後のウォブル再生信号を利用して補間できる。このように書替え時あるいは追記時の重複箇所位置を無変調領域内に来るように設定したため、ウォブルシンク領域またはウォブルアドレス領域内での形状劣化によるウォブル再生信号品質の劣化を防止し、ウォブルアドレス情報からの安定なウォブル検出信号を保証できると言う効果が生じる。
【０２５０】
以上は主に片面単層の情報記憶媒体を説明したが、次に片面多層（ここでは片面２層）の追記型の情報記憶媒体を説明する。片面単層と同じ構成は説明を省略し、異なる点のみ説明する。
【０２５１】
《測定条件》
記憶媒体の特性は規格で決められており、記憶媒体を販売する前にその規格を満たすか否かをテストする必要がある。このため、ディスクの特性を測定する装置が必要であり、規格には測定装置の測定条件も決められている。媒体の特性測定用の光学ヘッドの特性は次のように規定されている。
【０２５２】
波長（λ）：４０５±５ｎｍ
偏光：円偏光
偏光ビームスプリッタ：使用される
開口数：０．６５±０．０１
対物レンズの瞳孔縁の光強度：最大強度レベルの５５〜７０％
理想的な基板を通過後の波面収差：０．０３３λ(最大)
ディスク上の正規化検出器サイズ：１００＜Ａ／Ｍ２＜１４４μｍ２
ここで、
Ａ：光ヘッドの中央検出器エリア
Ｍ：ディスクから検出器までの横倍率
光検出器は、焦点位置よりも対物レンズ側に寄った位置に置かれる必要がある。これは、光検出器の位置に応じて層間クロストークの影響が異なり検出値にバラツキが生じることを抑えるために、かならず焦点位置の手前側に置くことを決めたものである。ここで、焦点位置とはディスクからの反射光路における光学系の像点である。
【０２５３】
レーザダイオードの相対強度雑音（ＲＩＮ）＊：−１２５ｄＢ／Ｈｚ（最大）
＊ＲＩＮ（ｄＢ／Ｈｚ）＝１０ｌｏｇ[（ＡＣ出力密度／Ｈｚ）／ＤＣ出力]
《追記型片面２層ディスクの断面構造》
図２７に追記型の片面２層ディスクの断面図を示す。片面２層ディスクは、対物レンズから照射されるレーザ光７の入射面（読み出し面）側にポリカーボネートから成る第１の透明基板２−３を有する。第１の透明基板２−３はレーザ光の波長に対して透光性を有する。レーザ光の波長は４０５（±５）ｎｍである。
【０２５４】
第１の透明基板２−３の光入射面と反対側の面には第１の記録層（レイヤー０）３−３が設けられる。第１の記録層３−３には記録情報に応じたピットが設けられる。第１の記録層３−３の上には光半透過層４−３が設けられる。
【０２５５】
光半透過層４−３の上にはスペースレイヤー７が設けられる。スペースレイヤー７はレイヤー１に対する透明基板の働きをするものであり、レーザ光の波長に対して透光性を有する。
【０２５６】
スペースレイヤー７の光入射面と反対側の面には第２の記録層（レイヤー１）３−４が設けられる。第２の記録層３−４には記録情報に応じたピットが設けられる。第２の記録層３−４上には光反射層４−４が設けられる。光反射層４−４の上には基板８が設けられる。
【０２５７】
《スペースレイヤー７の厚み》
追記型の片面２層ディスクにおけるスペースレイヤー７の厚みは２５．０±５．０μｍである。薄いと層間クロストークが大きいし、製造しにくいので、ある程度の厚みが規定されている。片面２層の再生専用型記憶媒体では、スペースレイヤー７の厚みは２０．０±５．０μｍである。追記型は再生専用型に比べて層間クロストークの影響が大きいので、再生専用型に比べて若干厚く、スペースレイヤー７の厚みの中心値が２５μｍ以上と規定されている。
【０２５８】
《複屈折を含む反射率》
“Ｈ→Ｌ”ディスクのシステムリードイン領域およびシステムリードアウト領域の反射率は４．５〜９．０％であり、“Ｌ→Ｈ”ディスクは４．５〜９．０％である。
【０２５９】
“Ｈ→Ｌ”ディスクのデータリードイン領域、データ領域、ミドル領域およびデータリードアウト領域における反射率は４．５〜９．０％であり、“Ｌ→Ｈ”ディスクは４．５〜９．０％である。
【０２６０】
この反射率は高ければ高い方が良いが、限度があり、繰返し再生回数と再生信号特性が所定の基準を満たすように決められている。レイヤー０の記録層は半透明である必要があるので、反射率は単層の場合より低い。
【０２６１】
《層間クロストーク》
上述したように、片面多層記憶媒体は他のレイヤーからの反射光が再生信号に影響を与えるという問題（層間クロストーク）がある。詳しく説明すると、一方のレイヤー（例えばレイヤー１）を再生中に、その再生光束が照射される他方のレイヤー（例えばレイヤー０）の信号の記録状態が変化すると、そのクロストークによって再生中のレイヤー１の信号がオフセットするという問題が発生する。また、レイヤー１に信号を記録する場合、レイヤー０が記録済みであるか、未記録であるかによって最適な記録パワーが異なるという問題がある。これらの問題は、レイヤー０の記憶媒体の透過率及び反射率が記録状態と未記録状態で変化することや、光学的な収差を抑えるためにスペースレイヤーの厚みをあまり大きくできないことなどが原因で発生するが、このような特性を物理的に低減することは非常に難しい。そこで、本発明の光ディスクでは各層にクリアランス（記録状態一定領域）を設けたことにより、このような信号のオフセットが生じることが無いという特徴を持っている。
【０２６２】
《一般パラメータ》
追記型片面１層ディスクと比較した追記型片面２層ディスクの一般パラメータを表５に示す。
【表５】
2008010129.tif 000008
【０２６３】
追記型片面２層ディスクの一般パラメータは１層ディスクの一般パラメータとほとんど同じであるが、以下の点で異なる。ユーザが使用可能な記録容量は３０ＧＢであり、データ領域の内半径がレイヤー０では２４．６ｍｍであり、レイヤー１では２４．７ｍｍであり、データ領域の外半径が５８．１ｍｍ（レイヤー０、レイヤー１共通）である。
【０２６４】
《情報領域のフォーマット》
２層のレイヤーにわたって設けられる情報領域は７つの領域：システムリードイン領域、コネクション領域、データリードイン領域、データ領域、データリードアウト領域、システムリードアウト領域、ミドル領域からなる。各レイヤーにミドル領域が設けられることにより、再生ビームをレイヤー０からレイヤー１に移動させることができる（図３８参照）。データ領域はメインデータを記録する。システムリードイン領域は制御データと参照（リファレンス）コードとを含む。データリードアウト領域は連続するスムーズな読み出しを可能とする。
【０２６５】
《リードアウト領域》
システムリードイン領域とシステムリードアウト領域はエンボスピットからなるトラックを含む。レイヤー０のデータリードイン領域、データ領域、ミドル領域と、レイヤー１のミドル領域、データ領域、データリードアウト領域はグルーブトラックを含む。グルーブトラックはレイヤー０のデータリードイン領域の開始位置からミドル領域の終了位置まで連続であり、レイヤー１のミドル領域の開始位置からデータリードアウト領域の終了位置まで連続である。なお、片面２層ディスクを張り合わせると、２つの読み出し面を有する両面２層ディスクとなる。
【０２６６】
システムリードイン領域、システムリードアウト領域の各トラックはデータセグメントに分割される。
【０２６７】
データリードイン領域、データ領域、データリードアウト領域、ミドル領域内のトラックはＰＳブロックに分割される。各ＰＳブロックは７物理セグメントに分割される。各物理セグメントは１１０６７バイトである。
【０２６８】
《リードイン領域、リードアウト領域》
リードイン領域とリードアウト領域の概要を図３５に示す。リードイン領域、リードアウト領域およびミドル領域の各ゾーン、各エリアの境界はデータセグメントの境界と一致している必要がある。
【０２６９】
レイヤー０の内周側には最内周から順にシステムリードイン領域、コネクション領域、データリードイン領域、データ領域が設けられる。レイヤー１の内周側には最内周から順にシステムリードアウト領域、コネクション領域、データリードアウト領域、データ領域が設けられる。このように、管理領域が含まれるデータリードイン領域はレイヤー０にしか設けられていないので、レイヤーＬ１でファイナライズした時、レイヤーＬ１の情報もレイヤーＬ０のデータリードイン領域に書く。これにより、起動時にレイヤーＬ０だけを読めば全部の管理情報が得られ、いちいちレイヤーＬ０、レイヤーＬ１を読まなくても良いという利点がある。なお、レイヤーＬ１にデータを記録するためには、レイヤーＬ０が全部書かれていなければならない。管理領域を埋めるのは、ファイナライズする時である。
【０２７０】
レイヤー０のシステムリードイン領域は内周側から順にイニシャルゾーン、バッファーゾーン、制御（コントロール）データゾーン、バッファーゾーンからなる。レイヤー０のデータリードイン領域は内周側から順にブランクゾーン、ガードトラックゾーン、ドライブテストゾーン、ディスクテストゾーン、ブランクゾーン、ＲＭＤデュプリケーションゾーン、Ｌ−ＲＭＤ（記録位置管理データ）、Ｒ物理フォーマット情報ゾーン、参照コードゾーンからなる。レイヤー０のデータエリアの開始アドレス（内周側）とレイヤー１のデータエリアの終了アドレス（内周側）とはクリアランスの分だけずれており、レイヤー１のデータエリアの終了アドレス（内周側）の方がレイヤー０のデータエリアの開始アドレス（内周側）より外周側である。
【０２７１】
レイヤー１のデータリードアウト領域は内周側から順にブランクゾーン、ディスクテストゾーン、ドライブテストゾーン、ガードトラックゾーンからなる。
【０２７２】
ブランクゾーンは溝はあるが、データが記録されない領域である。ガードトラックゾーンはテストのための特定パターンを記録するゾーンであり、変調前のデータ“００”が記録される。レイヤー０のガードトラックゾーンはレイヤー１のディスクテストゾーン、ドライブテストゾーンの記録のために設けられる。そのため、レイヤー０のガードトラックゾーンはレイヤー１のディスクテストゾーン、ドライブテストゾーンに少なくともクリアランスを加えた範囲に対応している。レイヤー１のガードトラックゾーンはレイヤー０のドライブテストゾーン、ディスクテストゾーン、ブランクゾーン、ＲＭＤデュプリケーションゾーン、Ｌ−ＲＭＤ、Ｒ物理フォーマット情報ゾーン、参照コードゾーンの記録のために設けられる。そのため、レイヤー１のガードトラックゾーンはレイヤー０のドライブテストゾーン、ディスクテストゾーン、ブランクゾーン、ＲＭＤデュプリケーションゾーン、Ｌ−ＲＭＤ、Ｒ物理フォーマット情報ゾーン、参照コードゾーンに少なくともクリアランスを加えた範囲に対応している。
【０２７３】
《トラックパス》
本実施形態ではレイヤー０からレイヤー１への記録の連続性を維持するために、図３７に示すようなオポジットトラックパスが採用されている。シーケンシャル記録ではレイヤー０の記録が終了しないと、レイヤー１の記録に移らない。
【０２７４】
《物理セクタレイアウトと物理セクタ番号》
各ＰＳブロックは３２個の物理セクタを含む。片面２層ディスク用のＨＤ  ＤＶＤ−Ｒのレイヤー０の物理セクタ番号（ＰＳＮ）は、図３８に示すように、システムリードイン領域において連続的に増分し、データリードイン領域の最初からミドル領域の最後まで連続的に増分する。しかし、レイヤー１のＰＳＮは、レイヤー０の物理セクタ番号に対しては反転ビットを取り、ミドル領域（外側）の最初からデータリードアウト領域（内側）の最後まで連続的に増分し、システムリードアウト領域の外側からシステムリードアウト領域の内側まで連続的に増分する。 
ビット反転の数値はビット値の“１”が“０”（逆も同様）になるように計算される。互いにＰＳＮがビット反転された各レイヤーの物理セクタは、ディスクの中心部からの距離がほぼ同じである。
【０２７５】
ＰＳＮがＸの物理セクタは、Ｘを３２で割り、端数を切り捨てした値によって計算されたＰＳブロックアドレスのＰＳブロックに含まれる。
【０２７６】
システムリードイン領域のＰＳＮは、システムリードイン領域の終了位置の物理セクタを“１３１０７１”（０１  ＦＦＦＦｈ）として計算する。
【０２７７】
システムリードイン領域を除くレイヤー０のＰＳＮは、データリードイン領域の後のデータ領域の開始位置の物理セクタのＰＳＮを“２６２１４４”（０４  ００００ｈ）として計算する。システムリードアウト領域を除くレイヤー１のＰＳＮは、ミドル領域の後のデータ領域の開始位置の物理セクタのＰＳＮを“９１８４２５６”（８Ｃ  ２４００ｈ）として計算する。
【０２７８】
《物理セグメント構造》
データリードイン領域、データ領域、データリードアウト領域、ミドル領域は物理セグメントを具備する。物理セグメントは物理セグメントオーダーとＰＳブロックアドレスにより指定される。
【０２７９】
《リードイン領域の構造》
図２８にレイヤー０のリードイン領域の構造を示す。システムリードイン領域は内周側から順にイニシャルゾーン、バッファーゾーン、コントロールデータゾーン、バッファーゾーンが配置される。データリードイン領域は内周側から順にブランクゾーン、ガードトラックゾーン、ドライブテストゾーン、ディスクテストゾーン、ブランクゾーン、ＲＭＤデュプリケーションゾーン、データリードイン領域内の記録位置管理（レコーディングマネージメント）ゾーン（Ｌ−ＲＭＺ）、Ｒ物理フォーマット情報ゾーン、参照コードゾーンが配置される。
【０２８０】
《システムリードイン領域の詳細》
イニシャルゾーンは、エンボスされたデータセグメントを含む。イニシャルゾーンのデータセグメントとして記録されたデータフレームのメインデータは、“００ｈ”に設定される。
【０２８１】
バッファーゾーンは、３２個のデータセグメントからの１０２４の物理セクタで構成される。このゾーンのデータセグメントとして記録されたデータフレームのメインデータは、“００ｈ”に設定される。
【０２８２】
コントロールデータゾーンは、エンボスされたデータセグメントを含む。データセグメントはエンボスされた制御データを含む。コントロールデータは、ＰＳＮ  １２３９０４（０１  Ｅ４００ｈ）を起点とする１９２のデータセグメントから構成される。
【０２８３】
コントロールデータセクション内の物理フォーマット情報を表６に示す。
【表６】
2008010129.tif 000009
【０２８４】
各バイト位置（ＢＰ）の機能の説明は以下に述べる。ＢＰ１３２からＢＰ１５４に示すリードパワー、記録速度、データ領域の反射率、プッシュプル信号、オントラック信号の値は一例である。これらの実際の値は、エンボス情報の規定、記録後のユーザデータの特性の規定を満足する値の中からディスク製造者が選ぶことができる。
【０２８５】
ＢＰ４〜ＢＰ１５のデータエリア配置の詳細を表７に示す。
【表７】
2008010129.tif 000010
【０２８６】
ＢＰ１４９、ＢＰ１５２はレイヤー０、レイヤー１のデータ領域の反射率を指定する。例えば、００００  １０１０ｂは５％を示す。実際の反射率は次の式で指定される。
【０２８７】
実際の反射率＝値×（１／２）
ＢＰ１５０、ＢＰ１５３はレイヤー０、レイヤー１のプッシュプル信号を指定する。ビットｂ７は各レイヤーのディスクのトラック形状を指定する。ビットｂ６〜ｂ０はプッシュプル信号の振幅を指定する。
【０２８８】
トラック形状：０ｂ（グルーブ上のトラック）
１ｂ（ランド上のトラック）
プッシュプル信号：例えば、０１０  １０００ｂは０．４０を示す。
【０２８９】
プッシュプル信号の実際の振幅は次の式で指定される。
【０２９０】
プッシュプル信号の実際の振幅＝値×（１／１００）
ＢＰ１５１、ＢＰ１５４はレイヤー０、レイヤー１のオントラック信号の振幅を指定する。
【０２９１】
オントラック信号：例えば、０１００  ０１１０ｂは０．７０を示す。
【０２９２】
オントラック信号の実際の振幅は次の式で指定される。
【０２９３】
オントラック信号の実際の振幅＝値×（１／１００）
《コネクション領域》
レイヤー０のコネクション領域は、システムリードイン領域とデータリードイン領域を接続することが目的である。ＰＳＮが“０１  ＦＦＦＦｈ”のシステムリードイン領域の終点物理セクタの中心線間の距離および、ＰＳＮが“０２  ６Ｂ００ｈ”のデータリードイン領域の開始物理セクタの中心線間の距離は、１．３６〜５．１０μｍである。単層の場合は上限が１０．２０μｍである。これは、２層媒体は層間クロストークがあるので、狭くしたいからである。コネクション領域には、エンボスされたピットや溝はない。
【０２９４】
《データリードイン領域の詳細》
ブランクゾーンのデータセグメントには、データが記録されない。
【０２９５】
ガードトラックゾーンのデータセグメントは、レイヤー１に記録する前に、“００ｈ”で埋められる。
【０２９６】
ディスクテストゾーン
このゾーンは、ディスクメーカーによる品質テストを目的とする。
【０２９７】
ドライブテストゾーンは、ドライブによるテストを目的とする。このゾーンは、外側のＰＳブロックから内側のＰＳブロックに記録される必要がある。このゾーンのすべてのデータセグメントは、ディスクをファイナライズする前に記録される必要がある。
【０２９８】
ＲＭＤデュプリケーションゾーンは、図２９に示すようにＲＤＺリードインから構成される。ＲＤＺリードインは、Ｌ−ＲＭＺの最初のＲＭＤを記録する前に記録される必要がある。ＲＭＤデュプリケーションゾーンの他のフィールドはリザーブされ、“００ｈ”で埋められる必要がある。ＲＤＺリードインのサイズは６４ｋＢであり、システムリザーブフィールド（４８ｋＢ）とユニークＩＤ（固有識別子）フィールド（１６ｋＢ）で構成される必要がある。システムリザーブフィールドのデータは、“００ｈ”に設定され、ユニークＩＤフィールドは８ユニットで構成され、それぞれが２ｋＢのサイズの情報を有する。各ユニットはドライブ製造者ＩＤ、シリアル番号、モデル番号、ユニークディスクＩＤ、リザーブ領域からなる。
【０２９９】
データリードイン領域内の記録位置管理ゾーン（Ｌ−ＲＭＺ）は、ＰＳＮの“０３  ＣＥ００ｈ”から“０３  ＦＦＦＦｈ”まで記録される必要がある。記録位置管理ゾーンＲＭＺは、記録位置管理データＲＭＤで構成される。Ｌ−ＲＭＺの未記録部は、ディスクをファイナライズする前に現在の記録位置管理データＲＭＤで記録される必要がある。
【０３００】
データリードイン領域内の記録位置管理データＲＭＤは、ディスクの記録位置についての情報を格納する必要がある。ＲＭＤのサイズは６４ｋＢであり、記録位置管理データＲＭＤのデータ構成を図３０に示す。
【０３０１】
各ＲＭＤは２０４８バイトのメインデータで構成され、所定の信号処理により記録される必要がある。
【０３０２】
ＲＭＤフィールド０はディスクの一般情報を指定し、このフィールドの内容を表８に示す。
【表８】
2008010129.tif 000011
【０３０３】
ＢＰ２のディスクステータスは
００ｈ：ディスクが空であることを示す。
【０３０４】
０１ｈ：ディスクが記録モード１であることを示す。
【０３０５】
０２ｈ：ディスクが記録モード２であることを示す。
【０３０６】
０３ｈ：ディスクがファイナライズされていることを示す。
【０３０７】
０８ｈ：ディスクが記録モードＵであることを示す。他はリザーブされている。
【０３０８】
ＢＰ３のパディングステータスの各ビットは以下を示す。
【０３０９】
ｂ７…０ｂ：レイヤー０の内周ガードゾーンがパディングされていないことを示す。
【０３１０】
１ｂ：レイヤー０の内周ガードゾーンがパディングされていることを示す。
【０３１１】
ｂ６…０ｂ：レイヤー０の内周テストゾーンがパディングされていないことを示す。
【０３１２】
１ｂ：レイヤー０の内周テストゾーンがパディングされていることを示す。
【０３１３】
ｂ５…０ｂ：ＲＭＤデュプリケーションゾーンがパディングされていないことを示す。
【０３１４】
１ｂ：ＲＭＤデュプリケーションゾーンがパディングされていることを示す。
【０３１５】
ｂ４…０ｂ：記録管理ゾーンがパディングされていないことを示す。
【０３１６】
１ｂ：記録管理ゾーンがパディングされていることを示す。
【０３１７】
ｂ３…０ｂ：レイヤー０の外周ガードゾーンがパディングされていないことを示す。
【０３１８】
１ｂ：レイヤー０の外周ガードゾーンがパディングされていることを示す。
【０３１９】
ｂ２…０ｂ：レイヤー０の外周テストゾーンがパディングされていないことを示す。
【０３２０】
１ｂ：レイヤー０の外周テストゾーンがパディングされていることを示す。
【０３２１】
ｂ１…０ｂ：レイヤー１の外周ガードゾーンがパディングされていないことを示す。
【０３２２】
１ｂ：レイヤー１の外周ガードゾーンがパディングされていることを示す。
【０３２３】
ｂ０…０ｂ：レイヤー１の内周ガードゾーンがパディングされていないことを示す。
【０３２４】
１ｂ：レイヤー１の内周ガードゾーンがパディングされていることを示す。
【０３２５】
ＲＭＤフィールド１は最適記録パワーを決定する最適パワー制御（ＯＰＣ:Optical Power Control）関連情報を含む。ＲＭＤフィールド１には、表９、表１０に示すように、システム内で共存する最大４ドライブのＯＰＣ関連情報の記録が可能である。
【表９】
2008010129.tif 000012
【０３２６】
【表１０】
2008010129.tif 000013
【０３２７】
ドライブが１台の場合、ＯＰＣ関連情報はフィールド♯１に記録され、他のフィールドは“００ｈ”に設定される。どの場合も、ＲＭＤフィールド１の未使用フィールドは、“００ｈ”に設定される。現在のドライブのＯＰＣ関連情報は、常にフィールド♯１に記録される。現在のＲＭＤのフィールド♯１に現在のドライブの情報（ドライブメーカーＩＤ、シリアルナンバー、モデルナンバー）が格納されていない場合、現在のＲＭＤのフィールド♯１〜＃３の情報が、新しいＲＭＤのフィールド♯２〜＃４にコピーされ、現在のＲＭＤのフィールド♯４の情報は破棄される。現在のＲＭＤのフィールド♯１が現在のドライブ情報を格納している場合、フィールド♯１の情報は更新され、他のフィールドの情報は新しいＲＭＤのフィールド♯２〜＃４にコピーされる。
【０３２８】
ＢＰ７２〜ＢＰ７５、ＢＰ３２８〜ＢＰ３３１、ＢＰ５８４〜ＢＰ５８７、ＢＰ８４０〜ＢＰ８４３のレイヤー０の内周側テストゾーンアドレス：
これらのフィールドは、最新のパワーキャリブレーションが実行された、データリードイン領域におけるドライブテストゾーンの最小ＰＳブロックアドレスを指定する。現在のドライブが、レイヤー０の内周側テストゾーンでパワーキャリブレーションを実行しない場合、現在のＲＭＤのレイヤー０の内周側テストゾーンアドレスは新しいＲＭＤの内周側テストゾーンアドレスにコピーされる。これらのフィールドが“００ｈ”に設定されている場合、このテストゾーンは使用されない。
【０３２９】
ＢＰ７６〜ＢＰ７９、ＢＰ３３２〜ＢＰ３３５、ＢＰ５８８〜ＢＰ５９１、ＢＰ８４４〜ＢＰ８４７のレイヤー０の外周側テストゾーンアドレス：
これらのフィールドは、最新のパワーキャリブレーションが実行された、レイヤー０のミドル領域におけるドライブテストゾーンの最小ＰＳブロックアドレスを指定する。現在のドライブが、レイヤー０の外周側テストゾーンでパワーキャリブレーションを実行しない場合、現在のＲＭＤのレイヤー０の外周側テストゾーンアドレスは新しいＲＭＤの外周側テストゾーンアドレスにコピーされる。これらのフィールドが“００ｈ”に設定されている場合、このテストゾーンは使用されない。
【０３３０】
ＢＰ１０６、ＢＰ３６２、ＢＰ６１８、ＢＰ８７４のテストゾーン使用記述子：
これらのフィールドは、４つのテストゾーンについての使用法を指定する。
【０３３１】
各ビットは次のように割り当てられる。
【０３３２】
ｂ７〜ｂ４…リザーブ領域。
【０３３３】
ｂ３…０ｂ：ドライブはレイヤー０の内周側テストゾーンを使用しなかった。
【０３３４】
１ｂ：ドライブはレイヤー０の内周側テストゾーンを使用した。
【０３３５】
ｂ２…０ｂ：ドライブはレイヤー０の外周側テストゾーンを使用しなかった。
【０３３６】
１ｂ：ドライブはレイヤー０の外周側テストゾーンを使用した。
【０３３７】
ｂ１…０ｂ：ドライブはレイヤー１の内周側テストゾーンを使用しなかった。
【０３３８】
１ｂ：ドライブはレイヤー１の内周側テストゾーンを使用した。
【０３３９】
ｂ０…０ｂ：ドライブはレイヤー１の外周側テストゾーンを使用しなかった。
【０３４０】
１ｂ：ドライブはレイヤー１の外周側テストゾーンを使用した。
【０３４１】
ＢＰ１０８〜ＢＰ１１１、ＢＰ３６４〜ＢＰ３６７、ＢＰ６２０〜ＢＰ６２３、ＢＰ８７６〜ＢＰ８７９のレイヤー１の内周側テストゾーンアドレス：
これらのフィールドは、最新のパワーキャリブレーションが実行された、データリードアウト領域におけるドライブテストゾーンの最小ＰＳブロックアドレスを指定する。現在のドライブが、レイヤー１の内周側テストゾーンでパワーキャリブレーションを実行しない場合、現在のＲＭＤのレイヤー１の内周側テストゾーンアドレスは新しいＲＭＤの内周側テストゾーンアドレスにコピーされる。これらのフィールドが“００ｈ”に設定されている場合、このテストゾーンは使用されない。
【０３４２】
ＢＰ１１２〜ＢＰ１１５、ＢＰ３６８〜ＢＰ３７１、ＢＰ６２４〜ＢＰ６２７、ＢＰ８８０〜ＢＰ８８３のレイヤー１の外周側テストゾーンアドレス：
これらのフィールドは、最新のパワーキャリブレーションが実行された、レイヤー１のミドル領域におけるドライブテストゾーンの最小ＰＳブロックアドレスを指定する。現在のドライブが、レイヤー１の外周側テストゾーンでパワーキャリブレーションを実行しない場合、現在のＲＭＤのレイヤー１の外周側テストゾーンアドレスは新しいＲＭＤの外周側テストゾーンアドレスにコピーされる。これらのフィールドが“００ｈ”に設定されている場合、このテストゾーンは使用されない。
【０３４３】
ＲＭＤフィールド２はユーザー専用のデータを指定する。このフィールドを使用しない場合は、フィールドに“００ｈ”を設定する。ＢＰ０〜ＢＰ２０４７がユーザー専用データに使用可能なフィールドである。
【０３４４】
ＲＭＤフィールド３のすべてのバイトはリザーブされ、“００ｈ”に設定される。
【０３４５】
ＲＭＤフィールド４はＲゾーンの情報を指定する。このフィールドの内容は表１１に示す。ユーザデータを記録するためにリザーブされているデータ記録可能領域の一部分を、Ｒゾーンと呼ぶ。Ｒゾーンは、記録条件に応じて、２タイプに分けられる。オープン（Open）Ｒゾーンでは、データを追加することができる。コンプリート（Complete）Ｒゾーンでは、ユーザデータを追加することはできない。データ記録可能領域には、オープンＲゾーンを３つ以上、存在させることはできない。データ記録用にリザーブされていないデータ記録可能領域の一部分を、インビジブル（Invisible）Ｒゾーンと呼ぶ。Ｒゾーンに続くエリアは、インビジブルＲゾーンにリザーブすることができる。それ以上、データが追加できない場合、インビジブルＲゾーンは存在しない。
【０３４６】
ＢＰ０〜ＢＰ１のインビジブルＲゾーン数はインビジブルＲゾーン、オープンＲゾーン、コンプリートＲゾーンの合計数である。
【表１１】
2008010129.tif 000014
【０３４７】
ＲＭＤフィールド５〜ＲＭＤフィールド２１は、Ｒゾーンの情報を指定する。このフィールドの内容を表１２に示す。これらのフィールドが使用されない場合、すべて“００ｈ”に設定される。
【表１２】
2008010129.tif 000015
【０３４８】
データリードイン領域内のＲ物理フォーマット情報ゾーンは、ＰＳＮ  ２６１８８８（０３  ＦＦ００ｈ）を起点とする７個のＰＳブロック（２２４物理セクタ）で構成される。Ｒ物理情報ゾーンにおける最初のＰＳブロックの内容は、７回繰り返される。Ｒ物理フォーマット情報ゾーンにおけるＰＳブロックの構成を図２７に示す。
【０３４９】
データリードイン領域内の物理フォーマット情報の内容を表１３に示す。表１３はシステムリードイン領域内の物理フォーマット情報の内容を示す表６と同じである。ＢＰ０〜ＢＰ３はシステムリードイン領域内の物理フォーマット情報からコピーされる。ＢＰ４〜ＢＰ１５のデータ領域配置は表１３とは異なり、表１４に示す。ＢＰ１６〜ＢＰ２０４７はシステムリードイン領域内の物理フォーマット情報からコピーされる。
【表１３】
2008010129.tif 000016
【０３５０】
【表１４】
2008010129.tif 000017
【０３５１】
《ミドル領域》
ミドル領域の構造は、ミドル領域拡張によって変更される。ユーザが記録したデータが少ない場合、ミドル領域を拡張することにより、ファイナライズ用のダミーデータ量を少なくすることができ、ファイナライズ時間を短縮することができる。
【０３５２】
ミドル領域拡張の概要を図３２に示す。拡張の詳細は後述する。拡張前後のミドル領域の構造を図３３、図３４に示す。拡張後のガードトラックゾーンのサイズは、レイヤー０のデータ領域の終了ＰＳＮに依存する。ガードトラックゾーンにおける物理セクタの数であるＹおよびＺの値は、表１５に示す。
【表１５】
2008010129.tif 000018
【０３５３】
レイヤー０におけるガードトラックゾーンのデータセグメントは、レイヤー１への記録前に“００ｈ”で埋められる必要がある。レイヤー１におけるガードトラックゾーンのデータセグメントは、ディスクのファイナライズ前に“００ｈ”で埋められる必要がある。
【０３５４】
ドライブテストゾーンは、ドライブによるテストを目的とする。これらのゾーンは、外側のＰＳブロックから内側のＰＳブロックに記録される。レイヤー０におけるドライブテストゾーンのすべてのデータセグメントは、レイヤー１への記録前に“００ｈ”で埋められてもよい。
【０３５５】
ディスクテストゾーンはディスク製造者による品質テストを目的とする。
【０３５６】
ブランクゾーンのデータセグメントは、データを含まない。レイヤー０における最も外側のブランクゾーンのサイズは、９６８ＰＳブロック以上の必要がある。レイヤー１における最も外側のブランクゾーンのサイズは、２４６４ＰＳブロック以上の必要がある。
【０３５７】
《リードアウト領域》
リードアウト領域の構造を図３５に示す。データリードアウト領域は外側から順にガードトラックゾーン、ドライブテストゾーン、ディスクテストゾーン、ブランクゾーンが配置されてなる。システムリードアウト領域はシステムリードアウトゾーンからなる。
【０３５８】
ガードトラックゾーンのデータセグメントは、ディスクのファイナライズの前に“００ｈ”で埋める必要がある。
【０３５９】
ドライブテストゾーンは、ドライブによるテストを目的とする。これらのゾーンは、外側のＰＳブロックから内側のＰＳブロックに記録される。
【０３６０】
ブランクゾーンのデータセグメントには、データが記録されない。
【０３６１】
《レイヤー１のコネクション領域》
レイヤー１のコネクション領域は、データリードアウト領域とシステムリードアウト領域を接続することを目的とする。データリードアウト領域の終点物理セクタの中心線間、ＰＳＮがＦＥ  ０００ｈであるシステムリードアウト領域の始点物理セクタの中心線間の距離は、１．３６〜５．１０μｍの必要がある。コネクション領域には、エンボスされたピットや溝はない。
【０３６２】
システムリードアウト領域に物理セクタとして記録されたデータフレームのすべてのメインデータは、“００ｈ”に設定される必要がある。
【０３６３】
《フォーマッティング》
初期化：
ディスクにユーザデータを記録する前に、ＲＭＤデュプリケーションゾーン内のＲＤＺリードインが記録され、記録モードが選択される必要がある。
【０３６４】
ミドル領域の拡張：
レイヤー０のミドル領域に記録する前に、ミドル領域拡張を実行することができる。ミドル領域拡張は、ミドル領域を拡大し、同時にデータ領域を縮小する。レイヤー０のデータ領域のデフォルトの終了ＰＳＮは７３  ＤＢＦＦｈであり、レイヤー１のデータ領域のデフォルトの開始ＰＳＮは８Ｃ  ２４００ｈである。レイヤー０のミドル領域に記録する前に、ドライブは、レイヤー０のデータ領域の新しい終了ＰＳＮに対し、７３  ＤＢＦＦｈ以下のＰＳＮを再割り当てできる。ＲＭＤフィールド０はミドル領域拡張によって更新される必要があり、レイヤー０のデータ領域の新しい終了ＰＳＮは、データ領域がファイナライズによって再配置されることを除いて、Ｒ物理フォーマット情報ゾーンに記録される必要がある。
【０３６５】
ミドル領域拡張が実行され、レイヤー０のデータ領域の終了ＰＳＮがＸ（＜７３  ＤＢＦＦｈ）になれば、Ｘのビット反転値は、レイヤー１のデータ領域の開始ＰＳＮとなる必要がある。さらに、ミドル領域のガードトラックゾーン、ドライブテストゾーンおよびブランクゾーンも再配置される（図３２参照）。
【０３６６】
レイヤー１記録前要件：
レイヤー１に記録する前に、データリードイン領域およびミドル領域に置かれるレイヤー０のガードトラックゾーンは、レイヤー０の影響（層間クロストークの発生）を避けるため、“００ｈ”で埋められる必要がある。レイヤー０のミドル領域におけるドライブテストゾーンは “００ｈ”で埋められることもある。これらのゾーンが“００ｈ”で埋められる場合、ＲＭＤフィールド０の情報は更新される必要がある。
【０３６７】
《データリードイン領域、データ領域、ミドル領域、データリードアウト領域の動作信号の測定条件》
オフセットキャンセラは次のように単層に比べて広げられている。
【０３６８】
−３ｄＢクローズドループ帯域：２０．０ｋＨｚ〜２５．０ｋＨｚ
単層では５ｋＨｚであったが、余裕を持たせるために帯域を広げた。
【０３６９】
《バーストカッティング領域（ＢＣＡ）コード》
ＢＣＡは、ディスク製造プロセスの完了後の記録情報の領域である。読み出し信号がＢＣＡコード信号仕様を満たしている場合、プリピットを用いた複製プロセスを通して、ＢＣＡコードを記述することが許されている。ＢＣＡは、片面２層ディスクのレイヤー１に存在している必要がある。これは、再生専用型もレイヤー１に存在しているので、ドライブの互換性を保つためである。
【０３７０】
《ＲＭＤの更新条件》
ＲＭＤは、以下の条件に１つでも該当する場合は、更新される必要がある。
【０３７１】
１．ＲＭＤフィールド０で指定された内容が１つでも変更された場合
２．ＲＭＤフィールド１で指定されたドライブテストゾーンアドレスが変更された場合
３．ＲＭＤフィールド４で指定されたインビジブルＲゾーン番号、最初のオープンＲゾーン番号または２番目のＲゾーン番号が変更された場合
４．Ｒゾーン♯ｉに最後に記録された物理セグメントのＰＳＮと、最新のＲＭＤに登録されたＲゾーン♯ｉの最後に記録されたＰＳＮの差が３７８８８より大きくなった場合
注：ＲＭＤの更新はドライブによってデータ記録動作が進行する限り、必要はない。
【０３７２】
２番目または４番目の条件においては、ＲＭＺの未記録部が４ＰＳブロックに等しいかあるいはそれ未満の場合、ＲＭＤの更新は実行されるべきではない。
【０３７３】
《ディスクの耐光性》
ディスクの耐光性は空調されたキセノンランプと、ＩＳＯ−１０５−Ｂ０２に適合する装置を用いて試験される。
【０３７４】
試験条件…ブラックパネル温度：４０℃未満
相対湿度：７０〜８０％
ディスク照明…基板を介する通常の照射
《記録パワー》
記録パワーには、ピークパワー、バイアスパワー１、バイアスパワー２およびバイアスパワー３の４レベルがある。これらはディスクの読み出し面への光学パワーの投射を示し、マークやスペースの書き込みに使用される。
【０３７５】
ピークパワー、バイアスパワー１、バイアスパワー２およびバイアスパワー３は制御データゾーンに記載される。最大ピークパワーは１３．０ｍＷを越えない。最大バイアスパワー１、バイアスパワー２およびバイアスパワー３は６．５ｍＷを越えない。
【０３７６】
レイヤー０の記録エリア越しのレイヤー１のピークパワーであるＰｒｅｃと、レイヤー０の未記録部越しのレイヤー１のピークパワーであるＰｕｎｒｅｃは、以下の要件を満たす必要がある。
【０３７７】
｜Ｐｒｅｃ  −  Ｐｕｎｃｅｃ｜＜Ｐｕｎｒｅｃの１０％
ＰｒｅｃとＰｕｎｒｅｃの両方は、１３．０ｍＷを越えないという要件を満たす必要がある。
【０３７８】
§２  Ｂフォーマットの説明
Ｂフォーマットの光ディスク仕様
図３６は青紫色レーザ光源を使うＢフォーマットの光ディスクの仕様を示す。Ｂフォーマットの光ディスクは書き換え型（ＲＥディスク）と、再生専用（ＲＯＭディスク）と、追記型（Ｒディスク）に分類されるが、図３６に示すように、標準のデータ転送速度以外はどのタイプでも共通の仕様であり、異なるタイプに共通の互換性のあるドライブの実現が容易である。現行ＤＶＤでは厚さが０．６ｎｍのディスク基板２枚を張り合わせているのに対して、Ｂフォーマットでは、ディスクでは厚さが１．１ｎｍのディスク基板上に記録層を設け、０．１ｎｍの透明なカバー層で覆う構造である。片面２層媒体も規定されている。
【０３７９】
[誤り訂正方式]
Ｂフォーマットではピケット（picket）コードと呼ばれるバースト誤りを効率的に検知できる誤り訂正方式を採用している。ピケットは一定間隔でメインデータ（ユーザデータ）の列に挿入される。メインデータは強力で効率的なリードソロモン符号により保護されている。ピケットはメインデータとは別の第２の非常に強力で効率的なリードソロモン符号により保護されている。復号の際は、先ずピケットが誤り訂正される。訂正情報はメインデータ内のバーストエラーの位置を推定するために使うことができる。これらの位置のシンボルはメインデータのコードワードを訂正する時に利用されるErasureと呼ばれるフラグが立てられる。
【０３８０】
図３７はピケットコード（誤り訂正ブロック）の構成を示す。Ｂフォーマットの誤り訂正ブロック（ＥＣＣブロック）は、Ｈフォーマットと同様に６４Ｋバイトのユーザデータを単位に構成している。このデータは非常に強固なリードソロモン符号ＬＤＣ（long distance code）によって保護されている。
【０３８１】
ＬＣＤは３０４個のコードワードから成る。それぞれのコードワードは２１６個の情報シンボルと３２個のパリティシンボルから成る。つまりコードワード長は２４８（＝２１６＋３２）シンボルである。これらのコードワードはＥＣＣブロックの縦方向に２×２ごとにインターリーブしてあり、横１５２（＝３０４÷２）バイト×縦４９６（＝２×２１６＋２×３２）バイトのＥＣＣブッロクを構成している。
【０３８２】
ピケットのインターリーブ長は１５５×８バイト（４９６バイト中に制御コードの訂正系列が８個ある）、ユーザデータのインターリーブ長は１５５×２バイトである。縦方向の４９６バイトは３１行毎が記録単位とされる。メインデータのパリティシンボルは２グループのパリティシンボルが１行毎に入れ子となっている。
【０３８３】
Ｂフォーマットでは、このＥＣＣブッロクに「柱」のような形で一定の間隔で埋め込むピケットコードを採り入れた。その誤りの状況を見ることよってバースト誤りを検知する。具体的には、１つのＥＣＣブロッの中に４本のピケット列を等間隔に配置した。ピケットの中にはアドレスもある。ピケットは独自のパリティを含む。
【０３８４】
ピケット列内のシンボルも訂正する必要があるので、右３列のピケットはＢＩＳ（burst indicator subcode）によって誤り訂正符号化し、保護している。このＢＩＳは３０個の情報シンボルと３２個のパリティシンボルから成り、コードワード長は６２シンボルである。情報シンボルとパリティシンボルの比率から、極めて強力な訂正能力があることが分かる。
【０３８５】
ＢＩＳのコードワードは、それぞれ４９６バイトで構成している３列のｐｉｃｋｅｔ列にインタリ一ブして格納する。ここで、ＬＤＣとＢＩＳの両コードが持つ１コードワード当たりのパリティシンボル数は両者とも３２個で等しい。これは、１つの共通のリードソロモン復号器でＬＤＣもＢＩＳも復号できることを意味している。
【０３８６】
データを復号する際は、まずＢＩＳによってピケット列の訂正処理を行う。それによってバースト誤りの場所を推定し、その場所にＥｒａｓｕｒｅと呼ぶフラグを立てておく。これをメインデータのコードワードを訂正するときに利用する。
【０３８７】
なお、ＢＩＳコードで保護した情報シンボルは、メインデータとは別の付加的なデータチャネル（サイドチャネル）を形成している。このサイドチャネルにはアドレス情報を格納してある。アドレス情報の誤り訂正は、メインデータとは別に用意した専用のリードソロモン符号を使う。このコードは５つの情報シンボルと４つのパリティシンボルから成る。これによって、メインデータの誤り訂正体系とは独立した、高速かつ信頼性の高いアドレスの把握を可能とした。
【０３８８】
[アドレスフォーマット]
ＲＥディスクにはＣＤ−Ｒディスクと同様に記録トラックとして渦巻気のように極めて細い溝が刻まれている。記録マークを書き込むのは、その凹凸のうち、レーザ光の入射方向から見て凸の部分だけである（オングルーブ記録）。
【０３８９】
ディスク上の絶対位置を示すアドレス情報はＣＤ−Ｒディスクなどと同じようにこのグルーブをわずかにウォブル（蛇行、揺動）させることによって埋め込んでいる。信号を変調し、蛇行の形状や周期などに“１”や“０”を表すデジタルデータを載せている。図３８にウォブル方式を示す。蛇行の振幅はディスク半径方向にわずか±１０ｎｍである。５６ウォブル（ディスク上の長さで約０．３ｍｍ）がアドレス情報１ビット＝ＡＤＩＰユニット（後述）となる。
【０３９０】
微細な記録マークをほとんど位置ズレなく書き込むには、安定で正確な記録用クロック信号を生成する必要がある。そこで、ウォブルの主な周波数成分が単一で、かつグルーブがスムーズに連続する方式に注目した。周波数が単一であれば、フィルタで抽出したウォブル成分から容易に安定な記録用クロック信号を生成できる。
【０３９１】
この単一周波数をベースとしたウォブルにタイミング情報やアドレス情報を付加する。そのために施すのが、「変調」である。この変調方式には、光ディスク固有のさまざまな歪みがあっても誤りを起こしにくいものが選ばれる。
【０３９２】
光ディスクで発生するウォブル信号の歪みは、原因別に整理すると次の４つとなる。
【０３９３】
（１）ディスク雑音：製造時にグルーブの部分に生じた表面形状の乱れ（表面粗さ）、記録膜で発生する雑音、記録したデータから漏れてくるクロストーク雑音など。
【０３９４】
（２）ウォブルシフト：記録再生装置においてウォブル検出位置が正規位置より相対的にズレることで検出感度が低下する現象。シーク動作の直後などに発生しやすい。
【０３９５】
（３）ウォブルビート：記録したいトラックと隣接トラックのウォブル信号の間に発生するクロストーク。回転制御方式がＣＬＶ（constant linear velocity）において、隣接ウォブルの角周波数にズレがある場合に起こる。
【０３９６】
（４）欠陥：ディスク表面のゴミや傷による局所欠陥によって生じる。
【０３９７】
ＲＥディスクでは、これら異なる４タイプの信号歪みのすべてに対して高い耐性を備えることを条件に、異なる２つのウォブル変調方式を、相乗効果を生み出す形で組み合わせている。一般に１種類の変調方式だけでは達成が困難な、４タイプの信号歪みに対する耐性が副作用なしに得られるからである。
【０３９８】
２つの方式とは、ＭＳＫ（minimum shift keying）方式とＳＴＷ（saw tooth wobble）方式である（図３９）。ＳＴＷの名前は、その波形が「のこぎりの歯形」に似ていることから命名されている。
【０３９９】
ＲＥディスクでは、合計５６個のウォブルで“０”または“１”の１ビットを表現する。この５６個をひとまとまりの単位、すなわちＡＤＩＰ（address inpre groove）ユニットと呼ぶ。このＡＤＩＰユニットを８３個連続して読み出すと、１つのアドレスを示すＡＤＩＰワードとなる。ＡＤＩＰワードは、２４ビット長のアドレス情報と１２ビット長の補助データ、リファレンス（校正）領域、誤り訂正用データなどから成る。ＲＥディスクでは、メインデータを記録するＲＵＢ（recording unit block、６４Ｋバイト単位）１つ当たりに３個のＡＤＩＰワードを割り当てた。
【０４００】
５６ウォブルから成るＡＤＩＰユニットは、前半と後半に大きく分けられる。ウォブル番号が０番〜１７番までの前半はＭＳＫ方式、１８番から５５番の後半はＳＴＷ方式で、次のＡＤＩＰユニットへと滑らかにつないでいる。１つのＡＤＩＰユニットで１ビットを表現できる。“０”か“１”かによって、先ず前半ではＭＳＫ方式の変調を施したウォブルの位置を変え、後半ではのこぎり波の形状の向きを変えて区別している。
【０４０１】
ＭＳＫ方式の前半部分は、さらにＭＳＫ変調を施した３個のウォブルの領域と、モノトーンウォブルｃｏｓ（ｗｔ）の領域に分かれる。まず０番から２番までの３個のウォブルは、どのＡＤＩＰユニットでも必ず、ＭＳＫ変調を施したもので始まる。これをビットシンク（ＡＤＩＰユニットの開始位置を示す識別子）と呼ぶ。
【０４０２】
それが過ぎると、次にモノトーンウォブルの連続になる。そして次に再び現れるＭＳＫ変調を施した３個のウォブルまで何個のモノトーンウォブルがあるかで、データを表す。具体的には１１個の場合は“０”で、９個の場合は“１”である。ウォブル２個分のズレでデータを区別している。
【０４０３】
ＭＳＫ方式は基本波の局所的な位相変化を利用している。言い換えると、位相変化が無い領域は支配的である。この領域はＳＴＷ方式でも、基本波の位相が変化しない場所として有効に利用される。
【０４０４】
ＭＳＫ変調を施した領域はウォブル３個長の長さがある。１個目のところは、モノトーンウォブルに対して周波数を１．５倍にして（ｃｏｓ（１．５ｗｔ））、２個目はモノトーンウォブルと同じ周波数とし、３個目は再び周波数を１．５倍にして、位相を元に戻す。こうすると２個目（中央）のウォブルは、モノトーンウォブルに対してちょうど極性が反転し、これが検出される。１個目の始点と３個目の終点は、モノトーンウォブルとぴったり位相が合っている。従って、不連続部がない滑らかな接続が可能である。
【０４０５】
一方、後半のＳＴＷ方式の波形は２種類ある。１つは、ディスク外周側に向かって急峻に立ち上がり、ディスク中心側へ緩い傾斜で戻ってくる波形で、もう１つは逆に緩い傾斜で立ち上がって急峻に戻る波形である。前者はデータ“０”を、後者はデーダ“１”を表す。１つのＡＤＩＰユニットの中でＭＳＫ方式とＳＴＷ方式の両方を使って同じビットを指し示すことで、データの信頼性を増している。
【０４０６】
ＳＴＷ方式を数学的に表現すると基本波ｃｏｓ（ｗｔ）に、振幅が１／４の２次高調波ｓｉｎ（２ｗｔ）を加算または減算したものといえる。ただし、ＳＴＷ方式が“０”と“１”のどちらを表すものであっても、ゼロクロス点はモノトーンウォブルと同じである。つまり、ＭＳＫ方式のモノトーンウォブルの部分と共通の基本波成分からクロック信号を抽出するにあたり、その位相に全く影響を与えない。
【０４０７】
以上のようにＭＳＫ方式とＳＴＷ方式は、互いに相手の弱点を補うように働く。
【０４０８】
図４０はＡＤＩＰユニットを示す。アドレスウォブルフォーマットの基本ユニットはＡＤＩＰユニットである。５６ＮＭＬ（公称ウォブル長：Nominal Wobble Length）の各グループがＡＤＩＰユニットと呼ばれる。１ＮＭＬは６９チャンネルビットに等しい。異なるタイプのＡＤＩＰユニットは変調ウォブル（ＭＳＫマーク）をＡＤＩＰユニット内の特定の位置に挿入することにより定義される（図３９参照）。８３個のＡＤＩＰユニットが１個のＡＤＩＰワードとされる。ディスクに記録されるデータの最小区分は連続する３個のＡＤＩＰワードに正確に一致する。各ＡＤＩＰワードは３６情報ビット（そのうちの２４ビットはアドレス情報ビットである）を含む。
【０４０９】
図４１、図４２は１個のＡＤＩＰワードの構成を示す。
【０４１０】
１個のＡＤＩＰワードは１５個のニブルを含み、図４３に示すように、９個のニブルが情報ニブルである。他のニブルはＡＤＩＰの誤り訂正のために使われる。１５個のニブルは［１５，９，７］のリードソロモン符号のコードワードを構成する。
【０４１１】
コードワードは９個の情報ニブルからなり、６個の情報ニブルはアドレス情報を記録し、３個の情報ニブルは補助情報（例えば、ディスク情報）を記録する。
【０４１２】
［１５，９，７］のリードソロモン符号は非体系的であり、事前の知識が“Informed Decoding”によるハミング距離を増加させることができる。“Informed Decoding”とは全てのコードワードが距離７を有し、ニブルｎ０の全てのコードワードが共通に距離８を有するので、ｎ０に関する事前の知識がハミング距離を増加する。ニブルｎ０はレイヤインデックス（３ビット）と物理セクタ番号のＭＳＢからなる。ニブルｎ０が既知であれば、距離が７から８に増加する。
【０４１３】
図４４はトラック構造を示す。ここでは、片面２層構造のディスクの第１層（第１層はレーザ光源から遠い層とする）と第２層のトラック構造を説明する。プッシュプル方式のトラッキングを可能とするためにグルーブが設けられている。複数のタイプのトラック形状が用いられている。第１層レイヤＬ０と第２層レイヤＬ１はトラッキング方向が異なり、第１層では図の左から右がトラッキング方向であり、第２層では右から左がトラッキング方向となる。図の左側がディスクの内周であり、右側が外周である。第１層のストレートグルーブからなるＢＣＡ領域と、ＨＦＭ（High Frequency Modulated）グルーブからなるプリ記録領域と、書き換え領域内のウォブルグルーブ領域とがＨフォーマットのリードイン領域に相当し、第２層の書き換え領域内のウォブルグルーブ領域と、ＨＦＭ（High Frequency Modulated）グルーブからなるプリ記録領域と、ストレートグルーブからなるＢＣＡ領域とがＨフォーマットのリードアウト領域に相当する。ただし、Ｈフォーマットでは、リードイン領域、リードアウト領域はグルーブ方式ではなくプレピット方式で記録されている。ＨＦＭグルーブは層間クロストークが生じないように、第１層と第２層とで位相をずらしている。
【０４１４】
図４５は記録フレームを示す。図３７に示したように、ユーザデータは６４Ｋバイトの区分毎に記録される。ＥＣＣクラスタの各行はフレームシンクビットとＤＣコントロールビットを付加することにより記録フレームに変換される。各行の１２４０ビット（１５５バイト）のストリームは次のように変換される。１２４０ビットのストリームは先頭に２５ビットのデータが配置され、以下は４５ビットのデータに分割され、２０ビットのフレームシンクが２５ビットのデータの前に付加され、２５ビットのデータの後ろに１ビットのＤＣコントロールビットが付加され、以下同様に４５ビットのデータの後ろに１ビットのＤＣコントロールビットが付加される。最初の２５ビットのデータを含むブロックがＤＣコントロールブロック＃０とされ、以下、４５ビットのデータと１ビットのＤＣコントロールビットがＤＣコントロールブロック＃１、＃２、…＃２７とされる。４９６個の記録フレームが物理クラスタと称される。
【０４１５】
記録フレームは２／３のレートで１−７ＰＰ変調される。先頭のフレームシンクを除いた１２６８ビットに変調規則を適用し、１９０２チャンネルビットとし、それ全体の先頭に３０ビットのフレームシンクを付加する。すなわち、１９３２チャンネルビット（＝２８ＮＭＬ）が構成される。チャンネルビットはＮＲＺＩ変調されてディスクに記録される。
【０４１６】
フレームシンクの構造
各物理クラスタは１６個のアドレスユニットを含む。各アドレスユニットは３１個の記録フレームを含む。各記録フレームは３０チャンネルビットのフレームシンクで始まる。フレームシンクの最初の２４ビットは１−７ＰＰ変調規則に違反する（９Ｔの２倍のランレングスを含む）。１−７ＰＰ変調規則とは（１，７）ＰＬＬ変調方式を用い、Parity Preserve/ProhibitＰＭＴＲ（repeated minimum transition runlength）を行うものである。Parity Preserveは符号のいわゆるＤＣ（直流）成分の制御（符号のＤＣ成分を減らす）を行う。フレームシンクの残りの６ビットは変化し、７フレームシンクＦＳ０、ＦＳ１、…ＦＳ６を識別する。これらの６ビットの記号は偏移量に関する距離が２以上であるように選ばれる。
【０４１７】
７個のフレームシンクは１６個のアドレスユニットだけよりも詳細な位置情報を得ることを可能とする。もちろん、７個の異なるフレームシンクだけでは３１個の記録フレームを識別するのが不十分である。したがって、３１個の記録フレームから、各フレームが自身のフレームシンクと４個の先行するフレームのいずれかのフレームシンクとの組み合わせにより識別できるように、７個のフレームシンクシーケンスが選択される。
【０４１８】
図４６は記録ユニットブロックＲＵＢの構造を示す。記録の単位はＲＵＢと呼ばれる。同図（ａ）に示すように、ＲＵＢは４０ウォブルのデータ・ラン・インと、４９６×２８ウォブルの物理クラスタと、１６ウォブルのデータ・ラン・アウトからなる。データ・ラン・インとデータ・ラン・アウトは完全にランダムな上書きを容易にするために十分なデータバッファリングを可能とする。ＲＵＢは１個１個記録されてもよいし、あるいは同図（ｂ）に示すように複数のＲＵＢが連続して記録されてもよい。
【０４１９】
データ・ラン・インは主に３Ｔ／３Ｔ／２Ｔ／２Ｔ／５Ｔ／５Ｔの繰り返しパターンからなり、この中に２つのフレームシンク（ＦＳ４、ＦＳ６）が次の記録ユニットブロックの開始位置を示すインジケータとして互いに４０ｃｂｓ離間している。
【０４２０】
データ・ラン・アウトはＦＳ０で開始し、ＦＳ０の次にデータの終了を示す９Ｔ／９Ｔ／９Ｔ／９Ｔ／９Ｔ／９Ｔパターンが続き、主に３Ｔ／３Ｔ／２Ｔ／２Ｔ／５Ｔ／５Ｔの繰り返しパターンからなる。
【０４２１】
図４７はデータ・ラン・インとデータ・ラン・アウトの構造である。
【０４２２】
図４８はウォブルアドレスに関するデータの配置を示す図である。物理クラスタは４９６フレームである。データ・ラン・インとデータ・ラン・アウトの合計の５６ウォブル（ＮＷＬ）は２×２８ウォブルであり、２個の記録フレームに相当する。
【０４２３】
１ＲＵＢ＝４９６＋２＝４９８記録フレーム
１ＡＤＩＰユニット＝５６ＮＷＬ＝２記録フレーム
８３ＡＤＩＰユニット＝１ＡＤＩＰワード（１ＡＤＩＰアドレスを含む）
３ＡＤＩＰワード＝３×８３ＡＤＩＰユニット
３ＡＤＩＰワード＝３×８３×２＝４９８記録フレーム
追記型のディスクではデータを記録する際に、既に記録されているデータに連続して次のデータを記録することが必要である。データの間に隙間が生じると、再生できなくなる。そこで、後続記録フレームの最初のデータ・ラン・イン領域を先行記録フレームの最後のデータ・ラン・アウト領域に重ねて記録（上書き）するために、図４９に示すようにデータ・ラン・アウト領域の最後にガード３領域を配置する。同図（ａ）は１個の物理クラスタだけ記録する場合であり、同図（ｂ）は複数の物理クラスタを連続して記録する場合であり、最後のクラスタのラン・アウトの後だけガード３領域を設ける。このように、単独で記録された各記録ユニットブロック、あるいは連続して記録された複数の記録ユニットブロックはガード３領域で終結される。ガード３領域は２つの記録ユニットブロック間に未記録領域がないことを保証する。
【０４２４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０４２５】
【図１】本発明にかかる２層追記型情報記録媒体の構成の一例を表す断面図
【図２】本発明の情報記録媒体におけるランド及びグルーブ形状を説明するための図
【図３】L0層のプッシュプル信号特性と透明基板の溝幅の相関を表すグラフ図
【図４】L1層のプッシュプル信号特性と透明基板の溝幅の相関を表すグラフ図
【図５】L0層のプッシュプル信号特性と透明基板の溝深さの相関を表すグラフ図
【図６】L1層のプッシュプル信号特性と透明基板の溝深さの相関を表すグラフ図
【図７】L0層のSbERと透明基板の溝幅の相関を表すグラフ図
【図８】L1層のSbERと透明基板の溝幅の相関を表すグラフ図
【図９】L0層のSbERと透明基板の溝深さの相関を表すグラフ図
【図１０】L1層のSbERと透明基板の溝深さの相関を表すグラフ図
【図１１】L0層のRSNRとグルーブの溝幅との相関を表すグラフ図
【図１２】L1層のSNRとグルーブの溝幅との相関を表すグラフ図
【図１３】一定のL0層のグルーブ溝幅のとき、L1層のグルーブ溝幅とL1層の反射率との関係を表すグラフ図
【図１４】一定のL0層のグルーブ溝幅のとき、L1層のグルーブ溝幅とL1層の反射率との関係を表すグラフ図
【図１５】一定のL0層のグルーブ溝幅のとき、L1層のグルーブ溝幅とL1層の反射率との関係を表すグラフ図
【図１６】L0層のグルーブ幅256nmの時の、L1層のウォブル信号特性を表すグラフ図
【図１７】追記形情報記憶媒体内にあるＲＭＤディプリケーションゾーンＲＤＺと記録位置管理ゾーンＲＭＺ内のデータ構造を示す図
【図１８】本発明の情報記録再生装置の一実施形態の構造説明図。
【図１９】追記形情報記憶媒体におけるボーダー領域の他の構造を示す図。
【図２０】追記形情報記憶媒体におけるボーダー領域の構造を示す図。
【図２１】制御データゾーンＣＤＺとＲ物理情報ゾーンＲＩＺ内のデータ構造を示す図。
【図２２】ウォブル変調における１８０度位相変調とＮＲＺ法の説明図。
【図２３】記録膜の形状と寸法の特徴説明図。
【図２４】追記形情報記憶媒体におけるウォーブルアドレスフォーマット説明図
【図２５】ウォブルシンクパターンとウォブルデータユニット内の位置関係の比較説明図。
【図２６】追記形情報記憶媒体でのウォブルアドレス情報内のデータ構造に関する説明図。
【図２７】本発明の第２の実施形態としての追記型の片面２層ディスクの断面図
【図２８】リードイン領域の構造を示す図。
【図２９】データリードイン領域内のＲＭＤデュプリケーションゾーンのレイアウトを示す図。
【図３０】データリードイン領域内の記録位置管理ゾーン（Ｌ−ＲＭＤ）のデータ構造を示す図。
【図３１】データリードイン領域内のＲ−物理フォーマット情報ゾーン（Ｒ−ＰＦＩＺ）のＰＳブロックの構造を示す図。
【図３２】拡張前後のミドル領域の構成を示す図。
【図３３】拡張前のミドル領域の構成を示す図。
【図３４】拡張後のミドル領域の構成を示す図。
【図３５】リードアウト領域の構造を示す図。
【図３６】Ｂフォーマットの光ディスクの仕様説明図。
【図３７】Ｂフォーマットにおけるピケットコード（誤り訂正ブロック）の構成を示す図。
【図３８】Ｂフォーマットにおけるウォブルアドレスの説明図。
【図３９】ＭＳＫ方式とＳＴＷ方式を組み合わせたウォブルアドレスの詳細な構造を示す図。
【図４０】５６個のウォブルのひとまとまりの単位であり、“０”または“１”の１ビットを表現するＡＤＩＰユニットを示す図。
【図４１】８３個のＡＤＩＰユニットからなり、１つのアドレスを示すＡＤＩＰワードを示す図。
【図４２】ＡＤＩＰワードを示す図。
【図４３】ＡＤＩＰワードに含まれる１５個のニブルを示す図。
【図４４】Ｂフォーマットのトラック構造を示す図。
【図４５】Ｂフォーマットの記録フレームを示す図。
【図４６】記録ユニットブロックの構造を示す図。
【図４７】データ・ラン・インとデータ・ラン・アウトの構造を示す図。
【図４８】ウォブルアドレスに関するデータの配置を示す図。
【図４９】データ・ラン・アウト領域の最後に配置されるガード３領域の説明図。
【符号の説明】
【０４２６】
５１…第１の基板、５８…第１の記録層、５９…第２の記録層、５４…第２の基板、５２…第１の色素層、５３…第１の反射層、５５…第２の色素層、５６…第２の反射層、６１…ランド、６２…グルーブ
【図１】
2008010129.tif 000019
【図２】
2008010129.tif 000020
【図３】
2008010129.tif 000021
【図４】
2008010129.tif 000022
【図５】
2008010129.tif 000023
【図６】
2008010129.tif 000024
【図７】
2008010129.tif 000025
【図８】
2008010129.tif 000026
【図９】
2008010129.tif 000027
【図１０】
2008010129.tif 000028
【図１１】
2008010129.tif 000029
【図１２】
2008010129.tif 000030
【図１３】
2008010129.tif 000031
【図１４】
2008010129.tif 000032
【図１５】
2008010129.tif 000033
【図１６】
2008010129.tif 000034
【図１７】
2008010129.tif 000035
【図１８】
2008010129.tif 000036
【図１９】
2008010129.tif 000037
【図２０】
2008010129.tif 000038
【図２１】
2008010129.tif 000039
【図２２】
2008010129.tif 000040
【図２３】
2008010129.tif 000041
【図２４】
2008010129.tif 000042
【図２５】
2008010129.tif 000043
【図２６】
2008010129.tif 000044
【図２７】
2008010129.tif 000045
【図２８】
2008010129.tif 000046
【図２９】
2008010129.tif 000047
【図３０】
2008010129.tif 000048
【図３１】
2008010129.tif 000049
【図３２】
2008010129.tif 000050
【図３３】
2008010129.tif 000051
【図３４】
2008010129.tif 000052
【図３５】
2008010129.tif 000053
【図３６】
2008010129.tif 000054
【図３７】
2008010129.tif 000055
【図３８】
2008010129.tif 000056
【図３９】
2008010129.tif 000057
【図４０】
2008010129.tif 000058
【図４１】
2008010129.tif 000059
【図４２】
2008010129.tif 000060
【図４３】
2008010129.tif 000061
【図４４】
2008010129.tif 000062
【図４５】
2008010129.tif 000063
【図４６】
2008010129.tif 000064
【図４７】
2008010129.tif 000065
【図４８】
2008010129.tif 000066
【図４９】
2008010129.tif 000067